(57)【特許請求の範囲】
【請求項１】
本体の中に脱臭機能を有する集塵フィルターを内蔵し、空気中の塵埃を捕集する空気清浄機において、
運転条件を入力する操作部と、
前記操作部の入力結果を表示する表示部と、
運転された状態の前記本体の位置を特定する情報を取得する位置情報取得手段と、
使用者によってＯＮ・ＯＦＦ操作される主電源スイッチと、
前記主電源スイッチがＯＮにされてからＯＦＦにされるまでの１回の使用において、前記位置情報取得手段で取得した運転位置の情報と、その運転された時間を順次累積して記憶する記憶部と、
前記集塵フィルターに室内の空気を流通させる送風用モーターと、
使用者が持ち運べる情報通信端末機器との間で、近距離無線通信によって情報を授受できる入出力部と、
前記操作部からの入力に応じて、前記表示部及び前記送風用モーターの運転を制御する制御装置と、を有し、
前記制御装置は、前記入出力部を介して前記情報通信端末機器と通信状態を確立した場合、前記記憶部に記憶されている運転位置毎の累積運転時間の情報を、前記情報通信端末機器の表示用として送信することを特徴とする空気清浄機。
【請求項２】
前記操作部は、空気中の塵埃を捕集する空気清浄運転モードと、空気中の匂い物質の捕集をする脱臭運転モードの少なくとも２つの運転モードの選択結果を、前記制御装置に入力するものであることを特徴とする請求項１に記載の空気清浄機。
【請求項３】
前記主電源スイッチがＯＮにされてからＯＦＦにされるまでの１回の使用において、その運転された時間を順次累積して記憶する場合、単位時間あたりの空気浄化能力レベルを示す情報も前記記憶部に記憶させ、
前記制御装置が、前記入出力部を介して前記情報通信端末機器と通信状態を確立した場合、前記記憶部に記憶されている単位時間あたりの空気浄化能力レベルを示す情報も読み出しを許可し、前記表示部に表示させることを特徴とする請求項２に記載の空気清浄機。
【請求項４】
前記本体には、前記位置情報取得手段に対して使用場所を特定する信号を送信する使用場所情報入力手段を備え、
前記前記主電源スイッチがＯＮにされた後、前記使用場所情報入力手段を使用者が操作することによって前記本体の位置情報が前記位置情報取得手段に送信されることを特徴とする請求項１に記載の空気清浄機。
【請求項５】
本体の中に脱臭機能を有する集塵フィルターを内蔵し、空気中の塵埃を捕集する空気清浄機において、
運転条件を入力する操作部と、
前記操作部の入力結果を表示する表示部と、
運転された状態の前記本体の位置を特定する情報を取得する位置情報取得手段と、
使用者によってＯＮ・ＯＦＦ操作される主電源スイッチと、
前記主電源スイッチがＯＮにされてからＯＦＦにされるまでの１回の使用において、前記位置情報取得手段で取得した運転位置の情報と、その運転された時間を順次累積して記憶する記憶部と、
前記集塵フィルターに室内の空気を流通させる送風用モーターと、
使用者が持ち運べる情報通信端末機器との間で、近距離無線通信によって情報を授受できる入出力部と、
前記操作部からの入力に応じて、前記表示部及び前記送風用モーターの運転を制御する制御装置と、を有し、
前記制御装置は、前記入出力部を介して前記情報通信端末機器と通信状態を確立した場合、前記記憶部に記憶されている運転モード毎の累積運転時間とその時間に応じたメンテナンス情報と、前記記憶部に格納された運転場所毎の前記累積運転時間の情報とを、前記情報通信端末機器の表示用として送信することを特徴とする空気清浄機。
【請求項６】
前記操作部は、空気中の塵埃を捕集する空気清浄運転モードと、空気中の匂い物質の捕集をする脱臭運転モードの少なくとも２つの運転モードの選択結果を、前記制御装置に入力するものであることを特徴とする請求項５に記載の空気清浄機。
【請求項７】
前記本体には移動用の車輪と、
前記車輪の回転量とその回転方向を検知する移動判定回路、をさらに有し、
前記制御装置は、前記判定回路からのデータを受けて前記本体の位置の推定することを特徴とする請求項６に記載の空気清浄機。
【請求項８】
居住空間から空気を吸引し、花粉や塵埃等の対象物を除去した後の空気を居住空間へ排出する機能を有し、居住空間内を移動可能な空気清浄機と、
前記空気清浄機に対して第１の入出力部を介して運転開始指令信号を送信し、家電機器の運転を制御する統合管理装置と、
前記統合管理装置の第２の入出力部に対し、所定の指令信号を与える情報通信端末機器と、を備え、
前記空気清浄機には、前記情報通信端末機器と近接した場合に通信状態が確立される入出力部を有し、
前記統合管理装置は、前記第２の入出力部を介して通信状態が確立された前記情報通信端末機器から、前記空気清浄機の、所定期間における累積運転時間を含む運転関連情報を読み出す制御装置と、この制御装置によって空気清浄機から取得した運転関連情報を記憶させる記憶部と、この制御装置に記憶された前記運転関連情報を任意のタイミングで表示画面に表示させることを指令する入力操作部、とを具備したことを特徴とする空気清浄機の運転管理システム。
【請求項９】
前記運転関連情報には、前記空気清浄機の所定期間における移動距離、移動の軌跡、運転回数、の少なくとも何れか１つを含んでいることを特徴とする請求項８に記載の空気清浄機の運転管理システム。
【請求項１０】
前記統合管理装置には、前記空気清浄機のアプリケーション・ソフトウェアを提供する情報サーバーと無線通信する第３の入出力部を有し、
前記統合管理装置は、前記情報通信端末機器から送信された前記空気清浄機の累積運転時間のデータを受信した場合、前記情報サーバーに前記第３の入出力部を介して接続し、前記空気清浄機のメンテナンスの必要性に関する情報を受信することを特徴とした請求項８に記載の空気清浄機の運転管理システム。
【請求項１１】
前記統合管理装置は、前記居住空間に配置された環境センサーが計測した居住空間の気温や臭気等の環境データを取得する環境検知部と表示画面とを有し、
前記環境検知部は、前記居住空間の環境が所定の警報レベルの信号を発した場合、前記表示画面において、警報内容を表示することを特徴とする請求項８に記載の空気清浄機の運転管理システム。
【請求項１２】
前記統合管理装置は、ＴＶ受像機と接続され、かつ前記居住空間に配置された環境センサーが計測した居住空間の気温や臭気等の環境データを取得する環境検知部を有し、
前記環境検知部は、前記居住空間の環境が所定の警報レベルの信号を発した場合、前記ＴＶ受像機の表示画面を起動して前記警報内容を表示することを特徴とする請求項８に記載の空気清浄機の運転管理システム。
【請求項１３】
前記環境検知部は、居住空間の空気中に熱を発生させるキッチン内家電機器を設置したキッチンと、キッチン内家電機器を設置していない居住空間のそれぞれに、環境センサーを設置し、前記キッチンから環境データを取得する時間間隔を、キッチン内家電機器を設置していない居住空間における環境データを取得する時間間隔よりも短く設定していることを特徴とする請求項８に記載の空気清浄機の運転管理システム。
【発明の詳細な説明】
【技術分野】
【０００１】
この発明は、空気清浄機とその運転管理システムに関するものである。
【背景技術】
【０００２】
従来において、例えば空気清浄機本来の機能である塵埃の捕集機能に加え、臭いの除去、分解等の脱臭機能を備えた複合型の空気清浄機が既に知られており、その構成は、プラスチック製の本体ケースと、この本体ケース内に設けられたファンと、ファンモータ３及び集塵フィルター４とを備えたものである。前記ファンを有する送風室のうちの空気吹出口の近傍には、脱臭部とそれを加熱する加熱部とが設けられている。空気吸込口から吸い込まれた空気中の臭気成分は放熱フィンの表面における吸着材に吸着されて除去される。そして、吸着材が臭気成分を吸着するにつれて脱臭機能が落ちてくるので、一定時間ごとに脱臭部の白金系触媒を前記加熱部のＰＴＣヒーターで加熱することにより、脱臭機能を回復させるようにしたものである（例えば、特許文献１参照）。
また利用者が室内にいる可能性が高い場合に脱臭することを妨げず、脱臭部の脱臭機能を効率よく回復させることができる空気清浄機を提供するため、加熱により脱臭機能が回復し得るように形成された脱臭エレメントと、その脱臭エレメントを加熱するヒーターと、室内の明暗を検知する照度検知手段と、前記送風手段の運転時間が予め設定された累積運転時間を超えている際に前記照度検知手段からの検知信号に基づいて室内が暗いと判定した場合に、前記ヒーターに通電する制御手段と、を備えたものが知られている（例えば、特許文献２参照）。
【先行技術文献】
【特許文献】
【０００３】
【特許文献１】特許公開２００１−３８１２６号公報
【特許文献２】特許公開２０１４−１２４２９４号公報
【発明の概要】
【発明が解決しようとする課題】
【０００４】
しかしながら、この種の空気清浄機では、汚れた空気の空間（部屋）や不快な臭いのある空間が常に同じであるとは限らないので、室内空気の汚染状況、場所に応じて空気清浄機自体を移動させ、目的の空間で効果的に空気清浄機能を発揮することが求められ、そのため、室内を自由に移動するタイプの空気清浄機が要望されている。このため、長い期間に亘って使用していると、過去の運転時間や運転状態を使用者が記憶している訳ではないので、脱臭部の脱臭機能が低下しているのかどうかを使用者が個々に正確にチェックするのは困難であった。特に、１つの空気清浄機を公共の施設（例えば、介護施設、病院）等で、複数の部屋で必要な都度使用するような場合には、使用者・使用場所（部屋）が数ケ所以上に及ぶ場合もあり、脱臭機能の回復用運転時期や消耗部品の交換等のメンテナンス時期等の予測も難しいという実態があり、利用者の利便性が低下していた。
【０００５】
この発明は、上述の課題を解決するためになされたもので、利用者の利便性を向上させることができる空気清浄機とその運転管理システムを提供することである。
【課題を解決するための手段】
【０００６】
第１の発明に係る空気清浄機は、
本体の中に脱臭機能を有する集塵フィルターを内蔵し、空気中の塵埃を捕集する空気清浄機において、
運転条件を入力する操作部と、
前記操作部への入力結果を表示する表示部と、
運転された状態の前記本体の位置を特定する情報を取得する位置情報取得手段と、
使用者によってＯＮ・ＯＦＦ操作される主電源スイッチと、
前記主電源スイッチがＯＮにされてからＯＦＦにされるまでの１回の使用において、前記位置情報取得手段で取得した運転位置の情報と、その運転された時間を順次累積して記憶する記憶部と、
前記集塵フィルターに室内の空気を流通させる送風用モーターと、
使用者が持ち運べる情報通信端末機器との間で、近距離無線通信によって情報を授受できる出力部と、
前記操作部からの入力に応じて、前記表示部及び前記送風用モーターの運転を制御する制御装置と、を有し、
前記制御装置は、前記入出力部を介して前記情報通信端末機器と通信状態を確立した場合、前記記憶部に記憶されている運転位置毎の累積運転時間の情報を、前記情報通信端末機器の表示用として送信することを特徴とするものである。
【０００７】
第１の発明の空気清浄機によれば、スマートフォンなどの情報通信端末機器に対してＮＦＣ入出力部経由で運転位置毎の累積運転時間の情報を送信することができ、空気清浄機の利用や保守管理（メンテナンス）が格段と楽になる。
【０００８】
第２の発明に係る空気清浄機は、
本体の中に脱臭機能を有する集塵フィルターを内蔵し、空気中の塵埃を捕集する空気清浄運転モードと空気中の匂い物質の捕集をする脱臭運転モードの少なくとも２つを有する空気清浄機において、
前記運転モードの選択結果を入力する操作部と、
前記操作部への入力結果を表示する表示部と、
運転された状態の前記本体の位置を特定する情報を取得する位置情報取得手段と、
使用者によってＯＮ・ＯＦＦ操作される主電源スイッチと、
前記主電源スイッチがＯＮにされてからＯＦＦにされるまでの１回の使用において、前記位置情報取得手段で取得した運転位置の情報と、その運転された時間を順次累積して記憶する記憶部と、
前記集塵フィルターに室内の空気を流通させる送風用モーターと、
使用者が持ち運べる情報通信端末機器との間で、近距離無線通信によって情報を授受できる入出力部と、
前記操作部からの入力に応じて、前記表示部及び前記送風用モーターの運転を制御する制御装置と、を有し、
前記制御装置は、前記入出力部を介して前記情報通信端末機器と通信状態を確立した場合、前記記憶部に記憶されている運転モード毎の累積運転時間とその時間に応じたメンテナンス情報と、前記記憶部に格納された運転場所毎の前記累積運転時間の情報とを、前記情報通信端末機器の表示用として送信することを特徴とするものである。
【０００９】
第２の発明の空気清浄機によれば、スマートフォンなどの情報通信端末機器に対してＮＦＣ入出力部経由で運転モード毎の累積運転時間又はその時間に応じたメンテナンス情報を送信することができ、また空気清浄機を運転した場所とその場所毎の使用時間の履歴を把握できるので、使用頻度の高い場所が過去の使用実績データから分かり、予めその場所へ移動させておくこともでき、長期にわたり、保守管理（メンテナンス）が格段と楽になり、また複数の部屋で使用する場合に利便性が向上する。
【００１０】
第３の発明に係る空気清浄機の運転管理システムは、
居住空間から空気を吸引し、花粉や塵埃等の対象物を除去した後の空気を居住空間へ排出する機能を有し、居住空間内を移動可能な空気清浄機と、
前記空気清浄機に対して第１の入出力部を介して運転開始指令信号を送信し、家電機器の運転を制御する統合管理装置と、
前記統合管理装置の第２の入出力部に対し、所定の指令信号を与える情報通信端末機器と、を備え、
前記空気清浄機には、前記情報通信端末機器と通信状態が確立される入出力部を有し、
前記統合管理装置は、前記第２の入出力部を介して通信状態が確立された前記情報通信端末機器から、前記空気清浄機の、所定期間における累積運転時間を含む運転関連情報を読み出す制御装置と、この制御装置によって空気清浄機から取得した運転関連情報を記憶させる記憶部と、この制御装置に記憶された前記運転関連情報を任意のタイミングで表示画面に表示させることを指令する入力操作部、とを具備したことを特徴とするものである。
【００１１】
この第３の発明の空気清浄機の運転管理システムによれば、空気清浄機の累積運転時間等の運転関連情報を家電機器の統合管理装置によって管理でき、また、使用者によって任意のタイミングでそれら運転関連情報を読み出して表示画面で確認でき、空気清浄機の保守管理（メンテナンス）の利便性が向上する。
【発明の効果】
【００１２】
この発明によれば、移動式の空気清浄機の保守管理を容易にし、利用者の利便性を向上させることができる。
【図面の簡単な説明】
【００１３】
【図１】この発明の実施の形態１における空気清浄機の正面図。
【図２】この発明の実施の形態１における空気清浄機の平面図。
【図３】この発明の実施の形態１における空気清浄機の一部分を示す分解斜視図１。
【図４】この発明の実施の形態１における空気清浄機の一部分を示す分解斜視図２。
【図５】図１の空気清浄機のＢ−Ｂ線縦断面図。
【図６】図１の空気清浄機の電気回路構成を示すブロック図１。
【図７】この発明の実施の形態１における図１の空気清浄機の電気回路構成を示すブロック図２。
【図８】図１の空気清浄機の動作を説明するためのフローチャート図１。
【図９】図１の空気清浄機の動作を説明するためのフローチャート図２。
【図１０】この発明の実施の形態１における情報通信端末機器の構成を示すブロック図。
【図１１】図１０の情報通信端末機器の構成を示すフローチャート図１。
【図１２】図１０の情報通信端末機器の構成を示す正面図１。
【図１３】図１０の情報通信端末機器の構成を示す正面図２。
【図１４】この発明の実施の形態１における１つの家屋とその外部通信環境に関する概要図。
【図１５】図１４に示した１つの家屋とその外部通信環境を示す概念図。
【図１６】本発明の実施の形態１に係る統合管理装置（電力指令装置）を含む、家電機器の運転管理システムの構成図。
【図１７】図１６の統合管理装置の動作を示すフローチャート図。
【図１８】本発明の実施の形態１の変形例を示したもの統合管理装置、通信アダプター、及び家電機器の全体構成を示すブロック図。
【図１９】本発明の実施の形態２に関する空気清浄機の平面図。
【図２０】本発明の実施の形態２に関する空気清浄機の運転管理システムに使用された情報通信端末機器の正面図１。
【図２１】本発明の実施の形態２に関する空気清浄機の運転管理システムに使用された情報通信端末機器の正面図２。
【図２２】本発明の実施の形態３に係る統合管理装置（電力指令装置）を含む、家電機器の運転管理システムの構成図。
【図２３】図２２の運転管理システムの時系列動作説明図１。
【図２４】図２２の運転管理システムの時系列動作説明図２。
【図２５】本発明の実施の形態４に係る空気清浄機の移動用車輪部分と制御装置の概要図。
【図２６】空気清浄機を使用する家屋の内部居住空間を模式的に示した平面図。
【図２７】本発明の実施の形態４に係る運転管理システムで制御されるＴＶ受像機の画面例の概要図１。
【図２８】本発明の実施の形態４に係る運転管理システムで制御されるＴＶ受像機の画面例の概要図２。
【図２９】図２７に示したＴＶ受像機の画面例の概要図２。
【図３０】図２７に示したＴＶ受像機の画面例の概要図３。
【図３１】本発明の実施の形態５に係る家電機器の運転監視システムを行う統合管理装置の動作を示すフローチャート図。
【図３２】本発明の実施の形態６に係る空気清浄機の縦断面図。
【図３３】図３２の空気清浄機の電気回路構成を示すブロック図１。
【図３４】図３２の空気清浄機の電気回路構成を示すブロック図２。
【図３５】図３２の空気清浄機の動作を示すフローチャート図である。
【発明を実施するための形態】
【００１４】
この発明を実施するための形態について添付の図面に従って説明する。なお、各図中、同一又は相当する部分には同一の符号を付しており、その重複説明は適宜に簡略化ないし省略する。
【００１５】
実施の形態１．
（定義）
本発明で、空気清浄機Ａの「運転モード」とは、以下のような「自動運転モード」と、「手動運転モード」と、「急速脱臭運転モード」と、「強制的再生運転モード」の、４つがある。
「急速運転モード」には、吹き出し空気の形態を区別した「ワイド吹き出しモード」と「スポット吹き出しモード」がある。
「自動運転モード」には、標準モードと、おやすみモード及び節電モードの３つのモードがある。節電モードは、送風モーター１３の消費電力を抑制したもので、埃の量が少ない場合には、自動的に運転が一時的に停止される。
「おやすみモード」は、深夜でも気兼ねなく使用できるように運転音を抑えた運転をするものである。
「標準モード」は、空気中の埃の量が少ない場合でも、送風モーター１３を弱風量で運転継続するものである。
「ワイド吹き出しモード」は、後述する空気吹出口９から空気清浄後の空気を吹き出す際に、自動的に向きが変化するルーバー（風向き板）により、空気の向きを広範囲に吹き出すようにしたものであり、これに対して「スポット吹き出しモード」は、そのようなルーバーの動きを固定したままにして、１つの方向のみに空気吹出口９から空気清浄後Ａの空気を吹き出すことをいう。
また「急速脱臭モード」は、所定時間（例えば１５分間）だけ、最大の脱臭能力を発揮させるように運転するものであり、このモードは、臭いの発生現場において最短時間で脱臭したい場合に利用すると便利である。
「強制的再生運転モード」は、送風モーター１３を停止している状態で、後述する加熱ユニット１７のヒーター２２に通電を行い、後述する脱臭エレメント１６を、一定の角度だけ間欠的に回転・停止という動作を繰り返しことで、最終的に脱臭エレメント１６の全面を加熱し、その脱臭機能を再生（復活）させる運転モードをいう。つまり、空気を浄化するという動作を行わずに、専ら脱臭エレメントの脱臭機能再生だけを目的にしたものである（後述する「脱臭機能回復動作」だけを行う運転モード）。
【００１６】
「運転モード」を整理すると以下の通りである。
（１）「自動運転モード」
標準・おやすみ・節電、の３つのモードがある。
（２）「手動運転モード」
強運転・中運転・弱運転、の３つのモードがある。
（３）「急速脱臭運転モード」
（２−１）「ワイド吹き出しモード」
（２−２）「スポット吹き出しモード」
なお、「切タイマー運転」という運転方法も使用できる。これは使用者が運転時間を事前に設定し（例えば３０分間）、運転開始すると、制御装置１９がその操作部８から入力された設定時間（例えば、１時間、２時間、３時間、４時間の４つの内、１つを選択して確定）だけ運転するというものである。但し、この「切タイマー運転」は、「急速脱臭運転モード」には適用できない。「急速脱臭運転モード」は、前記したように１つの固定時間（例えば１５分間）だけ運転するように設定されており、この時間を使用者が変更することはできない。
【００１７】
前記手動運転モードにおいて、「強運転」、「中運転」、「弱運転」は、単位時間あたりの空気浄化能力レベルを示す情報の１つである。この他に、例えば１分間当たり１立法メートルというように、数値で空気浄化できる送風量（体積）を示した情報も空気浄化能力レベルを示す情報の１つである。
【００１８】
本発明で「家電機器」ＥＥとは、主に家庭で使用されることを想定して設計された電気機器をいい、後述するキッチン内家電機器ＫＰ、ＴＶ受像機７５等の映像機器、空気調和機７６、空気清浄機Ａや空気脱臭機等の空気処理機、電気ストーブ等の暖房機器、電気掃除機、電気洗濯機（乾燥機能付きを含む）、お風呂に使用される給湯機器（給湯タンク付きを含む）を含む。なお、以下の説明では、家電機器という場合には、特に断りがない限り、空気清浄機Ａを含む。
【００１９】
本発明で家電機器ＥＥの「識別情報」とは、家電機器ＥＥを特定するための情報で、家電機器ＥＥに固有の情報のことであり、的確な修理や点検を行う場合に必要となる重要な情報である。例えば、具体的には、以下のようなものが識別情報に含まれるが、これらには限定されない。なお、家電機器ＥＥについては、あとで詳しく説明する。
（１）家電機器の製造者名
（２）型名
（３）形式番号
（４）定格消費電力
（５）購入年月日（製造業者や販売業者の品質保証期間の起算日になる場合が多い）
（６）使用開始年月日（食器洗い乾燥機では、「法定点検」時期の起算日になる）
（７）品質保証書番号
前記（６）の「法定点検」とは、２００９年４月１日から改正・施行された「消費者生活用製品安全法」で新設された「長期使用製品安全点検制度による点検」をいう。なお、この法律とは別の「電気用品安全法」では、技術基準省令の改正により、長期使用製品安全表示制度が創設されており、消費生活用製品のうち、特定の製品にいついては、設計上の標準使用期間と経年劣化について、消費者に対し適切な保守点検を促すように注意喚起等の表示が義務化されている。そこで、その標準使用期間の参考となるように、消費者に対して表示する「製品の製造日」や製造年月から起算した「経過年数」の情報を、家電機器ＥＥの「識別情報」に含めても良い。
また後述する空気調和機７６等の「特定家電機器」（環境改善機器）ＳＰ１であるかどうかも識別情報の一部であり、電力指令装置（「統合管理装置」と呼ぶ場合がある）７９と相互に無線通信を行う場合、その電力指令装置７９側にこの識別情報が、特定家電機器（環境改善機器）ＳＰ１側から提供される。
【００２０】
本発明では、「環境情報」とは、環境検知部１０３で検出する「環境データ」それ自体と、そのような環境データに基づいて作成される「環境評価情報」を総称したものをいい、家屋の居住快適性に影響する以下のような種類の情報を含むが、これに限定されない。
（１）温度情報
（２）湿度情報
（３）塵埃飛散度（単位容積あたり）情報
（４）花粉飛散量情報
（５）光量（可視光線量）情報・・言い換えると居住空間の明るさの情報である。
（６）騒音情報・・・居住空間の静けさの情報である。
また本実施の形態１では、「環境情報の利用」とは、後述する各種家電機器ＥＥが前記環境情報をその家電機器ＥＥの、効率的運転又は効果的運転又は環境に配慮した運転に利用することをいい、以下のような例を含む。
（１）温度高い場合、電気炊飯器の保温機能を炊飯工程の終了に連続して動作させる。
（２）湿度の場合、家電機器ＥＥの１種である除湿機を動作させる。または換気扇を運転開始する。空気調和機７６の運転条件（目標とする室温など）を変える。
（３）空中を浮遊するような微細な塵埃が飛量している場合、空気清浄機Ａを動作させる。または換気扇を運転開始する。
（４）花粉飛散量が多い場合、空気清浄機Ａの運転を開始する。
（５）比較的直径や長さが大きく、床に落下する土埃や衣類の埃等の場合、自走式電気掃除機を運転開始させる。
（６）光量（可視光線量）の場合、照明器具７７Ａ、７７Ｂを点灯させる。
（７）騒音の場合は、騒音がない状態から、深夜などの静寂な時間帯と判断し、ブロワーモーターの運転音や走行音が発生する自走式電気掃除機の運転や、洗濯乾燥用ドラムを回転させる電気モーターの運転音が発生する洗濯乾燥機の運転を避ける。
なお、気温と湿度の関係で、いわゆる「不快指数」を算出し、空気調和機３の運転を開始することも含む。
（８）不快な臭いが居住空間７１にある場合、空気清浄機Ａの運転を開始する。
【００２１】
本発明で「環境データ」とは、計測された温度や湿度、臭い等の物理的状態を示すデータそれ自体をいう。例えば気温３５℃は環境データに該当する。
これに対し、そのようなデータ（例：気温３５℃）に基づいて、何らかの評価基準や計算処理等を経て分類やランク付け、又はその他加工をされた情報は前記した「環境評価情報」に該当する。例えば、「室温は高い」、「標準気温」、「臭いが強い」というような情報が前記「環境評価情報」に該当する。
【００２２】
本発明で「臭気強度」とは、脱臭効果を確認するために設定した臭気の強度であり、例えば６段階の臭気強度で区分される。臭気強度０は、無臭であり、臭気強度１は、やっと人が感知できる臭い、臭気強度２は、何の臭いであるか分かる弱いである。
また、臭気強度３は、楽に感知できる臭い、臭気強度４は、強い臭い（全ての人が不快であると感じ、環境改善対策が必要）、臭気強度５は、強烈な臭い（その場に居られない）レベル、とそれぞれ定義してある。本実施の形態１の空気清浄機Ａでは、一度の処理空気の吸い込みで臭いを８０％除去し、前記臭気強度を１ランク下げる能力がある（これを、「ワンパス除去率８０％」と呼んでいる）。
【００２３】
さらにまた本実施の形態１では、環境情報の利用により、以下のように居住者の利便性が向上する。
（１）居住環境を良くするために家電機器ＥＥの使用について、アドバイス情報が出る（例えば、換気扇や空気清浄機Ａなど）。このアドバイス情報により、居住者の利便性、快適性が確保される。
（２）現在、運転中の家電機器ＥＥが分かる。
（３）離れた居住空間の人の存在・不存在が分かる。
（４）高い温度で、かつ湿度も高い、不快な臭い強いなど、快適ではない居住空間が分かる。
（５）室内運動をする際に、運動に不向きな居住空間が分かる。
（６）電力指令装置５から、警報を出すために、室温の上限値を設定しておけば、その設定値を超えた部屋があることを知ることが分かり、離れた部屋の環境も知ることができる。
【００２４】
また居住空間内の空気の温度、湿度、質を改善する効果がある家電機器ＥＥを「第１の特定家電機器」（「環境改善機器」）ＳＰ１という場合がある。
また、室内空間の快適性を維持、向上させるために、暖房用の熱を発生する電気ヒーター式ストーブや空気調和機３は環境改善機器の１種である。
一方、室内空間の快適性維持・向上が本来の目的ではなく、室内空間に熱を与えてしまう電熱加熱調理器等のような家電機器ＥＥを「第２の特定家電機器ＳＰ２」という場合がある。
さらにまた、複数の家電機器ＥＥの中で、電力削減要請信号ＡＳ２や電力削減指令信号ＡＳ３を受信するものを「第１の家電機器」いう場合があり、またその第１の家電機器と区別するために別の家電機器を「第２の家電機器」という場合がある。
【００２５】
本発明の空気清浄機Ａは、空気清浄運転を行っている場合には、前記第１の特定家電機器（環境改善機器）ＳＰ１に属するが、後述する加熱ユニット１７のヒーター２２に通電を開始し、それが高熱を発して脱臭エレメント１６の機能再生処理を行っている場合には、空気中に熱を出すので、第２の特定家電機器ＳＰ２でもある。
【００２６】
本発明で「電力指令装置」とは、２つ以上の電気機器、家電機器の通電を制御して、１つの家庭や家屋、複数の部屋からなる居住エリア等の総電力使用量が所定の量を超過しないように抑制する装置をいう。抑制の手段としては、例えば（予め定めた家電機器の優先順位に従って選定された家電機器の）電力量を減少させること、電力の供給自体を遮断することである。これに対し、「統合管理装置」とは、２つ以上の電気機器、家電機器と有線（ケーブル等）又は無線通信で接続され、当該電気機器、家電機器の個々について通電は制御（遮断や抑制）する場合はあっても、１つの家庭や家屋、居住エリア等の総電力使用量を監視し、それを超えないような総電力制御動作を行わないものをいう。従って、有線や無線通信で電力指令装置に接続される空気調和機があり、その電力指令装置に空気清浄機が追加で接続された場合、空気清浄機は前記電力指令装置の総電力制御動作の影響を受けない場合には、空気清浄機から見た場合、前記「電力指令装置」は、「電力指令装置」ではなく「統合管理装置」である。
【００２７】
本実施の形態１では、「在宅検知手段」１０４とは、以下のような手段を含むが、以下の実施の形態の説明では全ての手段については詳しく説明せず、代表的な手段についてのみ詳しく説明する。
（１）住宅の入口（玄関）の外側に設置された電子錠４２とその電子錠に入力された暗証番号や生体情報（例えば指紋情報）から、居住者が帰宅したことを検知する手段。
（２）居住者が保持している固有の身分証やＩＤカード等に記録された個人特定情報を、磁気的又は光学的手段で、あるいは近距離通信やその他通信手段で電力指令装置５に直接読み込ませ、その読み込ませた情報を解読してその本人が在宅していると判定する手段。
（３）居住者が保持している携帯用電話等の情報通信端末機器２５等に記録された個人特定情報を、近距離通信やその他通信手段で直接電力指令装置５に読み込ませ、その読み込ませた情報を解読してその本人が在宅していると判定する手段。
（４）個人が固有している身分証やＩＤカード等、情報通信端末機器２５等に記録された個人特定情報を、特定の家電機器ＥＥに読み込ませ、又は個人だけが知っているＩＤ番号やパスワードを家電機器ＥＥに読み込ませたり、入力キーによって入力したりして、その個人特定情報やパスワードを電力指令装置５側にて解読し、読み込ませた本人が在宅していると判定する手段。
【００２８】
本実施の形態１では、「居住者」とは、後述する１つの家屋に居住する者をいい、血縁関係にある親子、兄弟、姉妹等を含むが、後述する居住空間７１に所定期間だけ臨時で宿泊する訪問者や、生活を共にするその他の者を含んでいる。１つ又は複数の居住空間を１人又は数人で借用している者も含む。なお、家電機器ＥＥを使用した場合には、居住者を「使用者」と呼ぶ。
複数の個人が居住（一時的滞在を含む）する介護施設、病院等で、空気清浄機Ａを各居住空間の共用機器として利用する場合には、居住者でなくとも、その空気清浄機Ａを操作して運転した者を「使用者」と呼ぶ。
【００２９】
本実施の形態１では、「家庭」とは、特定の管理者が管理する１つの家屋を意味しており、複数の部屋があり、複数の家族が入居している集合住宅や介護施設等も含む場合がある。すなわち、そのような集合住宅等でも、１つの家屋の場合と同様に、１つの居住空間又は複数の居住空間に対して商用電力の上限が１つの電力遮断機器（ブレーカーＢＫ）で一元管理されている場合は、ここでいう家庭とみなす。
【００３０】
本実施の形態１において、後述する電力指令装置７９の「動作情報」とは、１つの家庭に設定されている上限の総電力量を示す情報、現在使用している使用電力量を示す情報、前記総電力量と使用電力量の差を表す情報、前記電力指令装置７９が制御対象にしている家電機器ＥＥを具体的に特定する名称等の情報、当該家電機器ＥＥの使用状態を示した情報、各家電機器ＥＥで使用されている電力量の情報（例えば１分間の平均電力量）等をいうが、これに限定されるものではない。
【００３１】
本実施の形態１において、後述する空気清浄機Ａの「記憶装置」（記憶部）とは、特に明記ない限り、制御装置１９の記憶部１９Ｒ、１９ＡとＮＦＣ記憶部４３の一方又は両方をいうものとする。
【００３２】
本実施の形態１において、「家電機器側の電力制限情報」とは、電力指令装置７９から家電機器が受けた電力消費量に関する何らかの信号に関する情報をいい、後述する電力削減要請信号ＡＳ２、電力削減指令信号ＡＳ３の送信を指令に関する情報を含んだものをいう。それら情報には、その信号の受信時期（年月と秒単位の時刻）と信号の意味を示す情報が含まれる。例えば、誘導加熱調理器に対するある時点の電力削減指令信号ＡＳ３について「受信時刻：２０１４年１月１５日  １７時００秒    瞬間最大消費電力量を２％下げ」のような情報である。なお、この家電機器側の電力制限情報は、家電機器、例えば誘導加熱調理器では、その制御装置の記憶装置の中に時系列で記憶されており、主電源をＯＮ又はＯＦＦしても消えない。主電源をＯＮし、ＯＦＦしたことを１回の調理と考えて、少なくとも数回分は記憶保持されるようになっている。それを超えた分が順次自動的に消去される。
【００３３】
本実施の形態１において、「家電機器側の位置情報」とは、居住空間７１の中のどの部屋に、家電機器が存在しているのかを示す情報（コード）であり、例えば居間はコード００１、キッチンはコード００２、寝室は００３、のように事前に電力指令装置７９の制御部９４によってルール化されており、家電機器ＥＥを使用して電力指令装置７９の制御対象になる場合には、その家電機器の識別情報とともに当該位置情報が電力指令装置７９に登録される。
【００３４】
キッチンの厨房家具の中に設置されて使用されるビルト・イン式の誘導加熱調理器や、壁や天井部に固定して使用される空気調和機７６のように、最初の設置位置が変化しない（非可搬式）家電機器ＥＥの場合は、そのまま永続的に位置情報を利用できる。
【００３５】
しかしながら、自走式電気掃除機や本発明の対象となる空気清浄機Ａのように、使用者が任意の位置に持ち運び容易な（可搬式）家電機器ＥＥの場合には、電力指令装置７９と無線通信を行った場合に、その最新の位置が電力指令装置７９によって割り出される。割り出された結果で、ある居住空間に空気清浄機Ａがあって保湿運転された場合には、その時の居住空間の識別コードが、その空気清浄機Ａの運転のデータ（例えば、運転開始時刻と終了時刻）と対になって、電力指令装置７９の制御部３６の記憶部（後述する第２の記憶部）９９Ｂに記憶されるようになっている。言い換えると、その後に別の居住空間において、その空気清浄機Ａを運転すると、別の居住空間の識別コードが付されて制御部９４の記憶部に記憶される。
【００３６】
電力指令装置７９と電気的接続又は通信セッションが確立した家電機器について、その位置を電力指令装置７９側から特定する技術は色々提案されている。例えば最近のものでは、日本国特許公開２０１４−７９０３６号公報に１例が提案されている。その先行例では、新規に導入した家電機器と、電源タップ（又は壁等の構造物に固定されている「コンセント」又は「ソケット」と呼ぶ差し込み口）との関係情報を管理するために、従来では家電機器の使用者が手動で情報を手動登録しなければならないという課題があったことを解決するため、電源タップに家電機器を接続した際、電源タップからは機器接続検知イベントを、また家電機器からは起動完了イベント通知を行い、２つの通知を受信した、家電機器（情報家電）管理装置は、どの情報端末が、どの電源タップ又はコンセントに挿されたかの候補情報をテーブルに登録する。その後、家電機器管理装置より電源タップに対し、該当コンセントに対する電源ＯＦＦ指示を行い、相関関係を仮定した情報家電との通信状態をモニタする。電源ＯＦＦ指示の結果、相関関係を仮定した家電機器との通信が切れたた場合には、再度、該当コンセントに対する電源ＯＮ指示を行うとともに、仮定した相関関係が正しいものとして家電機器、及び接続コンセントの登録を行う。これにより、家電機器管理装置では、人手を介さずに自動的にコンセントと家電機器との正しい接続関係を検知し、自動登録処理を行うことが可能となる技術を提案している。つまり、１つの居住空間７１で電源供給を受けるコンセントを特定することで、家電機器が使用される場所の特定が可能となる。
従って、この実施の形態１の説明では、空気清浄機Ａやその他個々の可搬性家電機器の最新の位置を把握する手段についての詳細な説明は省略する。
【００３７】
図１〜図１７は、この発明の実施の形態１を示すものである。図１は、この発明の実施の形態１における空気清浄機の正面図である。図２は、この発明の実施の形態１における空気清浄機の平面図である。図３は、この発明の実施の形態１における空気清浄機の脱臭部を前方から見た斜視図である。図４は、この発明の実施の形態１における空気清浄機の脱臭部を後方から見た斜視図である。図５は、図１に示した空気清浄機の中央部Ｂ−Ｂ線における縦断面図である。図６は、図１の空気清浄機の電気回路構成を示すブロック図１。図７は、この発明の実施の形態１における図１の空気清浄機の電気回路構成を示すブロック図２。図８は、図１の空気清浄機の動作を説明するためのフローチャート図１。図９は、図１の空気清浄機の動作を説明するためのフローチャート図２。図１０は、この発明の実施の形態１における情報通信端末機器の構成を示すブロック図。図１１は、図１０の情報通信端末機器の構成を示すフローチャート図１。図１２は、図１０の情報通信端末機器の構成を示す正面図１。図１３は、図１０の情報通信端末機器の構成を示す正面図２。図１４は、この発明の実施の形態１における１つの家屋とその外部通信環境に関する概要図。図１５は、図１４に示した１つの家屋とその外部通信環境を示す概念図。図１６は、本発明の実施の形態１に係る統合管理装置（電力指令装置）を含む、家電機器の運転管理システムの構成図。図１７は、図１６の統合管理装置の動作を示すフローチャート図である。
【００３８】
図１の空気清浄機Ａにおいて、１は、空気清浄機Ａの本体１Ａ外郭前面を形成する前パネルであり、正面視において長方形状に形成されている。前パネル１の前面には、複数の空気吸込口２が規則的に形成されている。前記空気吸込口２は、長手方向を水平方向にして形成されている。空気吸込口２は、外部に向けて開口している。すなわち、空気吸込口２は、空気清浄機Ａの外郭の前壁を貫通している。
【００３９】
図２に示すように、前記前パネル１の後方には、空気清浄機Ａの本体１Ａ外郭（前半分）を形成する前ケース３が設けられている。その前ケース３は、直方体状に形成されている。前ケース３の正面は、前記前パネル１によって覆われている。前ケース３の下面には、複数の車輪４が設けられる。この車輪は、前記本体１Ａに固定された支持軸を中心として平面的に見て３６０度のどの方向にも自在に回転するものである。前記前ケース３の後方には、空気清浄機Ａの外郭（後半分）を形成する後ケース５が設けられている。後ケース５は、直方体状に形成されている。後ケース５の下面には、複数の車輪６が設けられる。この車輪は、前記車輪４と同様に、平面的に見て３６０度のどの方向にも自在に回転する。
【００４０】
図１と図２に示すように、前記前ケース３の上面には、本体１Ａを移動させるときに使用者が手を掛けて握ることができるプラスチック製のハンドル７と、使用者が運転条件を入力するための操作部８が設けられている。操作部８には、５つの操作ボタン８ａ１、８ａ２、８ａ３、８ａ４、８ａ５、表示部８ｂ、ブザー８ｃ、音声出力部（音声ガイド装置）８ｄ、発光部８ｅ、警告光発光部８ｆが設けられる。表示部８ｂは、例えば液晶表示画面によって形成されている。
【００４１】
図２と図４、図５に示すように、前記前ケース３の上面には、室内の照度検知手段として、照度センサー９が設けられている。操作部８において、８ａ３は、後述する「自動運転モード」を使用者が選定する操作ボタン、８ａ４は、空気中の匂い物質の捕集をする「急速脱臭運転モード」を使用者が選定する操作ボタンである。最も右側にある８ａ５は、主電源スイッチ２５の押しボタン（操作ボタン）である。
【００４２】
図２において、９は、前記後ケース５の上面に形成した空気吹出口であり、使用者が手指等を不用意に挿入しないように、安全用の格子状の枠で覆われている。この空気吹出口９は、前記本体１Ａの内部空間を外部に向けて連通させるものである。すなわち、この空気吹出口９は、空気清浄機Ａの内部空間に吸込んだ空気を上方へ吹き出す口である。
【００４３】
図２において、２０は、使用者が持ち運べる情報通信端末機器４５との間で、近距離無線通信によって情報を授受できるＮＦＣ入出力部（第１の入出力部）である。これは、前記情報通信端末機器４５の無線通信部４１（「無線入出力部」ともいう）が所定の距離（約１０センチメートル）まで接近した場合に、情報の授受が行える通信確立状態となり（１つの通信セッションの開始となる）、情報の授受が行えるための入出力部となる。
【００４４】
ＮＦＣとは、Ｎｅａｒ  Ｆｉｅｌｄ  Ｃｏｍｍｕｎｉｃａｔｉｏｎ（略称：ＮＦＣ）としてとして知られている無線通信の国際規格技術のことである。
【００４５】
２１は、統合管理装置７９と無線通信ができるように、前記ハンドル７の中に設置した無線通信用のアンテナである。このアンテナは、後述する無線通信部（入出力部）３５に繋がっている。
【００４６】
前記無線通信用のアンテナ２１は、例えばＩＥＥＥにより策定された、広く普及している無線ＬＡＮ関連規格の一つである「国際標準規格ＩＥＥＥ  ８０２．１１ｂ」で定める２．４ＧＨｚのＩＳＭ帯と呼ばれる周波数帯域を利用するものである。なお、この実施の形態１では、実際の使用中心周波数は２．４１２ＧＨｚ（２４１２ＭＨｚ）〜２．４７２ＧＨｚに設定されている。
【００４７】
図４において、１２は、「脱臭運転モード」において空気中の匂い物質の捕集をする機能を発揮する脱臭部（「脱臭ユニット」ともいう）である。
【００４８】
図５に示すように、脱臭部１２には、前記本体１Ａの中心部に配置された額縁状の枠体１５の中に設けられている。枠体１５には、円板状に形成された脱臭エレメント１６が設けられている。その脱臭エレメント１６は、セラミック又はアルミニウムにより形成されたハニカムコアからなる。すなわち、脱臭エレメント１６には、蜂の巣の開口のような複数の開口が形成される。例えば、脱臭エレメント１６には、触媒がバインダーを介して塗布される。例えば、脱臭エレメント１６には、触媒が含浸される。
【００４９】
脱臭エレメント１６は、その中心部が支軸（図示せず）によって前記枠体１５に回転自在に支持されている。
脱臭エレメント１６下部の後方（風下側）には、加熱ユニット１７が設けられている。加熱ユニット１７は、扇状に形成された金属製のケースによって全体が覆われており、その加熱ユニット１７の金属製のケースの内部には、ヒーター２２（図６参照）が設けられている。例えば、ヒーターは、ＰＴＣヒーターからなる。ＰＴＣヒーター２２は、チタン酸バリウムを主成分とする半導体セラミックからなる。
【００５０】
脱臭エレメント１６上部一側の後方には、脱臭エレメント１６の位置変更手段として、モーター２３（図６参照）によって脱臭エレメント１６を回転駆動する駆動手段１８が設けられる。なお、駆動手段１８は、脱臭エレメント１６の周囲を支える外枠に形成したギアと噛み合う駆動側ギアを有しており、前記ヒーター２２の加熱により、脱臭エレメント１６を部分的に加熱し、その脱臭機能を回復し得る目的で設けたものである。加熱ユニット１７は所定時間だけ脱臭エレメントと向かい合ってその対向部分を加熱すると、後述する制御装置１９の指令によって自動的に駆動され、一定の角度だけ脱臭エレメント１６を回動させて停止し、その停止状態で再び前記ヒーター２２の加熱により、脱臭エレメント１６を部分的に加熱するという方法を繰り返して、最終的には脱臭エレメント１６の全体を加熱し、脱臭機能を回復させることができる（この脱臭機能の回復動作を、以下「脱臭機能回復動作」という）。
【００５１】
図４に示すように、前パネル１の下流側には、空気中の塵埃や花粉等の捕集対象物（以下、「塵埃等」という）の内、比較的大きなものを捕捉するプレフィルター１０Ｐと、塵埃等の内、微細なものを捕集する集塵フィルター１０Ｍとが、それぞれ前記本体１Ａの内側に（互いに重なり合った状態で）着脱自在に設けられている。集塵フィルター１０Ｍは、例えば除菌性能付きのＨＥＰＡフィルターが用いられる。
【００５２】
図５において、集塵フィルター１０Ｍから見て空気流の下流側には、前記脱臭部１２が設けられている。後ケース５には、送風手段として、送風用モーター１３と送風ファン１４とが設けられている。送風用モーター１３は、その送風ファン１４の中心部を支えている回転軸が水平になっている。なお、空気清浄能力は、送風手段の送風能力に依存するが、この実施の形態１では、送風能力は３段階に設定されており、最大能力時の風量は毎分８立法メートル（８ｍ３）、中段階能力は毎分５．１ｍ３、最小能力時の風量は毎分は１．７ｍ３になっている。また空気清浄できる適用床面積の目安は、６１平方メートル（６１ｍ２）である（一般社団法人「日本電機工業会」：規則  ＪＥＭ１４６７により規定）。
【００５３】
図５において、後ケース５の下部には、制御手段としての制御装置１９が設けられている。制御装置１９は、操作部８、送風用モーター１３、加熱ユニット１７、駆動手段１８に対して、それぞれ電気的に接続されている。この制御装置１９は、その中核部分がマイクロコンピューターによって構成されており、運転用のコンピューター・プログラムを格納した記憶部１９Ａ（図６参照）を備えている。
【００５４】
空気清浄機Ａの本体１Ａ内部には、清浄にすべき空気（「処理空気」ともいう）が流れるための通風路Ｒが形成されている。通風路Ｒは、空気吸込口２、プレフィルター１０、集塵フィルター１１、脱臭エレメント１６、送風ファン１４、空気吹出口９を、順次つなぐように形成されている。
【００５５】
空気清浄機Ａにおいて、利用者が操作部８の操作ボタン８ａ４を操作して通常の空気清浄運転モードを選択すると、操作部８は、通常運転モードに対応した情報を出力し、当該情報は制御装置１９に入力される。当該情報に基づいて、制御装置１９は、空気清浄機Ａの運転を行う動作プログラムを実行する。
【００５６】
具体的には、制御装置１９は、送風用モーター１３を駆動する。当該駆動により、送風ファン１４が予め設定された回転数で回転する。当該回転により、吸込み力が発生する。当該吸込み力により、室内の空気が空気吸込口２へ流入する。この際、表示部８ｂには、次回の脱臭機能回復動作を制御装置１９が自動的に実行するまでの残時間が表示される。例えば、「残時間1時間」と表示された場合、それから通常の空気清浄運転を続けて１時間を経過すると、その直後において、制御装置１９は脱臭機能回復動作の開始を指令する。
【００５７】
空気吸込口２へ流入した処理空気は、空気清浄機Ａの本体１Ａ内部を後方へと流れる。当該空気は、プレフィルター１０Ｐを通過する。この際、プレフィルター１０Ｐは、空気中から大きな塵埃を取り除く。その後、当該空気は、集塵フィルター１０Ｍを通過する。この際、集塵フィルター１０Ｍは、空気中から微細な塵埃を取り除く。
【００５８】
その後、当該空気は、更に後方へと流れる。当該空気は、脱臭エレメント１６に至る。当該空気は、脱臭エレメント１６上部の表側から裏側へと通過する際に、ハニカム形状の開口を通過する。この際、脱臭エレメント１６の触媒は、空気に含まれる臭気の原因物質、例えばアンモニアを吸着する。当該吸着により、臭気が空気から取り除かれる。
【００５９】
当該空気は、更に後方に流れる。当該空気は、送風ファン１４に至る。当該空気は、空気吹出口９から外部に吐き出される。
【００６０】
空気清浄機Ａの運転を長時間継続すると、脱臭エレメント１６には、吸着した臭気成分が蓄積される。当該蓄積により、脱臭エレメント１６の脱臭機能が低下する。
【００６１】
そこで、制御装置１９は、表示部８ｂに表示される残時間が０分になると脱臭機能回復動作を開始する。すなわち、制御装置１９は、前回の脱臭機能回復動作が終了してからの累積運転時間が予め設定された時間を超えた場合に、脱臭機能回復動作を開始する。
【００６２】
具体的には、制御装置１９は、空気清浄機Ａが空気清浄運転を行っていない状態において、加熱ユニット１７に対して通電する。当該通電により、加熱ユニット１７のヒーター２２が熱を発する。当該熱により、脱臭エレメント１６において、加熱ユニット１７と対向している部位が予め設定された温度まで上昇する。当該加熱は、予め設定された時間だけ継続する。その結果、脱臭エレメント１６において、当該部位に吸着した臭気成分物質が十分に除去（化学分解等）される。この際、送風用モーター１３は、駆動していても駆動していなくてもよい。この際、表示部８ｂには、脱臭機能回復動作終了までの残時間が表示される。
【００６３】
当該部位に対する脱臭機能回復動作が終了すると、制御装置１９は、駆動手段１８を予め設定された時間だけ動作させる。当該動作により、脱臭エレメント１６が予め設定された角度だけ回転する。当該回転により、当該部位は、加熱ユニット１７に対して回転方向にずれる。
【００６４】
このように、制御装置１９は、脱臭エレメント１６の局部的な加熱と回転とを繰り返すことを指令する。その結果、脱臭エレメント１６の全域が加熱される。当該加熱により、脱臭エレメント１６の全域において、吸着した臭気が十分に除去される。
【００６５】
（空気清浄機Ａの制御装置と回路）
図６において、２４は、１００Ｖの商用電源ＥＰにブレーカーＢＫ介して接続された電源線、２５は使用者によって開閉操作される主電源スイッチ、２５Ａは、その主電源スイッチ２５の操作ボタン、２６は、この主電源スイッチを介して電気エネルギーが供給される電源回路である。
【００６６】
１９は、この電源回路２６から所定の低圧電流が供給されるマイクロコンピューターを中心に構成される制御装置である。前記マイクロコンピューターは、入力部と、出力部と、記憶部と、ＣＰＵ（演算制御部）の４つの部分から構成され、その記憶部１９Ａには、各種調理メニューに対応した通電制御プログラムが予め記憶（格納）されている。また、前記マイクロコンピューターの記憶部（ＲＯＭ、ＲＡＭ）とは別に、異常監視情報や運転時間情報を記録する大容量の記憶装置１９Ｒを内蔵している。
【００６７】
空気清浄機Ａの運転中は、電気的な異常状態の有無の監視が制御装置１９によって実施されている。さらに制御装置１９は、異常検知手段ＥＳの一部を構成する温度検出回路２７から温度情報を得て、空気清浄機Ａの主要な部分（例えば、脱臭エレメント１６）が異常な高温度になっていないかどうかを監視しており、所定温度を超えないように温度検出回路２７を通じて監視しており、前記所定温度を超えた時点で異常状態である、と制御装置１９によって判定される。この異常状態では直ちに加熱動作は停止され、送風用モーター１３も電源供給が遮断する。
【００６８】
そして、少なくともこのような運転開始から異常発生までの期間における空気清浄機Ａの主要な部分（一例として前記した脱臭エレメント１６の温度）の異常監視データが、制御装置１９の記憶部１９Ｒの中に、時系列で順次格納される。
【００６９】
図６において、８ｄは、電子的に作成した音声を合成する音声合成装置であり、使用者に対する操作の案内や、異常発生時の報知などをスピーカー２８から音声でその都度報知する。８ｃは、異常発生時に警報音を出すブザーである。
【００７０】
２７は、温度検出回路である。この温度検出回路は、前記脱臭エレメント１６の温度や、空気清浄機Ａの本体１Ａの内部空間の温度を検知するための複数個の温度センサー（図示せず）から温度検知情報を受け取る。
この温度検出回路２７で取得した温度データは制御装置１９に送られて、異常な高温になっているかどうかの判定に利用される。なお、前記温度センサー（図示せず）は赤外線センサーのような非接触型、あるいはサーミスタのような接触型の何れであっても良く、それらを単独で、又は組み合わせて使用している。
【００７１】
図６において、２９は、ヒーター２２の駆動回路で、前記電源回路２６から所定の電圧（１００Ｖ）の電流が供給される。
３０は、位置変更手段であるモーター２３の駆動回路であり、前記電源回路２６から所定の電圧（１００Ｖ）の電流が供給される。
【００７２】
図６において、３１は、送風用モーター１３の駆動回路であり、前記電源回路２６から所定の電圧（１００Ｖ）の電流が供給される。
３２は、操作部８に設けた表示部８ｂ（液晶表示画面）の駆動回路である。
【００７３】
３３は、リアルタイム・クロックとも呼ばれている時計回路であり、後述する主電源スイッチ２５に繋がる電源回路２６とは別の専用電源（内蔵電池）ＢＴ１から電源が供給され、長期間に亘って駆動されるようになっている。これは例えば電波時計でも良く、常に制御装置１９から求めがあれば、現在の日にちと正確な時刻を秒単位で知らせるものであり、この空気清浄機Ａの製造段階で正しい日時にセットされている。従って、空気清浄機Ａの主電源スイッチ２５を切り、その後再度主電源を投入しても、この時計回路の時刻情報は、影響受けず、常に最新の正しい時刻を制御装置１９に伝える機能がある。このため、前記制御装置１９の記憶装置１９Ｒに記録される異常監視情報も常に正確な時刻情報が同時に記録されて保存されることになる。さらに運転時刻の開始・終了時刻、また運転時間等も、記憶装置１９Ｒに順次蓄積して保存されることになる。従ってＮＦＣ入出力部２０から、情報通信端末機器４５によって外部に読み出される異常監視データには、前記した発生時刻情報が付加されている。これにより後でデータを分析する際に、時間の経過を正確に把握できる。
【００７４】
３４は、地震発生時の揺れを検知する感振機器であり、所定の震度（加速度）以上を感知した場合、振動感知信号を前記制御装置１９に送り、制御装置１９ではその信号を受けて地震発生と判断し、通電中のヒーター２２と、モーター２３、送風用モーター１３の電源を瞬時に遮断する動作を行う。なお、この緊急遮断情報は、後述する電力指令装置７９にも瞬時に発信され、運転中の他の家電機器（特に、電気熱源を内蔵しているもの）がある場合、電力指令装置７９が、それら家電機器の電源も一斉に緊急遮断する。
【００７５】
３５は、前記無線通信用のアンテナ２１（図２参照）と接続されている無線通信部（第２の入出力部）である。
３６は、空気清浄機Ａの本体１Ａの内部空間に設置した臭いセンサーであり、特定の臭い（例えば、臭気成分としてアンモニア）を検知した場合、その臭いの強さに応じた電圧の信号を前記制御装置１９に送信する。
【００７６】
３７は、空気清浄機Ａの本体１Ａの内部空間や前ケース１の前面等に設置した埃センサーであり、空気中に含まれる所定以上の大きさ（例えば、粒径０．３μｍ以上）の粒子の単位体積あたりの数を検知し、その数値の大小に応じた電圧の信号を前記制御装置１９に送信する。
【００７７】
３８は、空気清浄機Ａの本体１Ａの位置を特定する情報（例えば、水平面におけるＸ軸と、これに直交するＹ軸上の座標値や、事前に登録された部屋を特定する識別情報）を取得する位置情報取得手段である。この位置情報取得手段については、あとで詳しく説明する。なお、この位置情報取得手段３８は、これ単体で物理的に独立した回路構成である必要はなく、例えば前記制御装置１９の中に物理的に包含させ、その制御装置の動作を規定するコンピュータ・ソフトウエアの一部分として構成しても良い。
【００７８】
３９は、空気清浄機Ａの本体１Ａの内部空間に設置された風量センサーであり、送風用モーター１３によって本体１Ａの空気吹出口９から吹き出される空気の量を検知し、その空気量の大小に応じた電圧の信号を前記制御装置１９に送信する。
【００７９】
次に図７について説明する。図７は空気清浄機Ａの内部構成を示すブロック図である。
前記表示部８ｂの駆動回路４０は、表示用メモリー４０Ａ、表示コントローラー４０Ｂ、インターフェース部４０Ｃ、電源４０Ｄ、コモンドライバー４０Ｅ、およびセグメントドライバー４０Ｆを備えている。 
【００８０】
駆動回路４０は、図７に示している通り、電源回路２６からの電力により動作し、インターフェース部４０Ｃにより制御装置１９の記憶部（内蔵メモリー）１９Ｒから表示用の画像情報を取得する。この記憶部１９Ｒを、以下「第１の記憶部」と呼ぶ。メモリー表示用メモリー９１Ｒは、制御装置１９から取得した画像情報を記憶する。なお、空気清浄機Ａの動作用制御プログラムを格納した記憶部１９Ａは、以下「第２の記憶部」と呼ぶ場合がある。
【００８１】
図７において、表示コントローラー４０Ｂは、表示用メモリー４０Ａに記憶された画像情報を読み出し、この画像情報に基づいて、コモンドライバー４０Ｅおよびセグメントドライバー４０Ｆを継続的に駆動する。コモンドライバー４０Ｅおよびセグメントドライバー４０Ｆは、液晶表示画面で構成された表示部８ｂの、各画素に対応して設けられた互いに交差する電極に電圧を印加することで液晶を駆動する。
【００８２】
前記駆動回路４０は、表示用メモリー４０Ａに記憶された画像情報を、必要な都度表示部８ｂに表示させる。なお、表示コントローラー４０Ｂによって表示部８ｂに表示させる情報は、後述するように異常の種類や原因等が分かるように、文章化されたテキストデータも含まれる。
【００８３】
図７において、４１は所定の位置に配置されたＮＦＣタグの一部を構成するＮＦＣ用の通信制御ＩＣ（ＮＦＣ制御回路）である。４２は、このＮＦＣ制御回路４１に接続されていて、外部から所定の周波数の無線を受けるとＮＦＣ制御回路４１のための電源となる誘導電力を発生させアンテナである。４３は、前記ＮＦＣ制御回路４１に接続されているマイクロチップメモリー（前述した「ＮＦＣ記憶部」と同じ）である。このメモリーを以下「第３の記憶部」と呼ぶ。
【００８４】
図７において、４４は、前記ＮＦＣ用入出力部２０を構成するアンテナ４２部分の近傍を囲むように設置された導光板（図示せず）を、その下方から照らす発光ダイオード素子（ＬＥＤ）である。このＬＥＤによって近接通信のためのタッチ位置を示す表示部２０（図２に示した、前記近距離通信用入出力部と同じ）は、本体１Ａの上面壁の内側から光で照らされるので、使用者は、空気清浄機Ａと情報通信端末機器４５との間でＮＦＣ通信状態を確立させる場合に、情報通信端末機器４５を接近させる位置が容易に分かる。
【００８５】
前記ＬＥＤ４４は、常時発光していなくとも良く、制御装置１９によって駆動回路４０の動作と連携するようになっているため、近距離通信（ＮＦＣ）機能のある情報通信端末機器４５等で、詳しい異常内容と対処方法等の情報が得られる旨表示することに同期して、駆動回路４０により所定タイミングで点灯される。なお、点灯から一定時間経過後、ＬＥＤ４４を自動消灯する構成にしても良い。
【００８６】
表示部駆動回路４０は、制御装置１９を構成するマイクロコンピューターとは別の、専用のマイクロコンピューターによって構成されているが、同じマイクロコンピューターで構成しても良い。
【００８７】
次に、図８を用いて、空気清浄機Ａの動作を説明する。
図８はこの発明の実施の形態１における空気清浄機の動作を説明するためのフローチャートである。最初に、主電源スイッチ２５の押しボタン（操作ボタン）８ａ５を押し、次に「自動運転モード」を使用者が選定する操作ボタン８ａ３を押した場合について以下説明する。
【００８８】
ステップＳ１において、操作部８からの入力により、制御装置１９は、空気清浄機Ａの運転を開始する。その後、ステップＳ２に進み、空気清浄機Ａは、空気清浄運転を開始する。その後、ステップＳ３に進み、制御装置１９は、送風用モーター１３に対して通電する。その後、ステップＳ４に進み、制御装置１９は、カウント手段として、送風用モーター１３の通電とほぼ同時に累積運転時間ＴＸの計時を開始する。この場合、制御装置１９は、リアルタイム・クロック（時計回路）３３の情報も利用する。
【００８９】
その後、ステップＳ５に進み、制御装置１９は、累積運転時間ＴＸが予め設定された時間Ｔ１以上か否かを判定する。ステップＳ５で累積運転時間ＴＸが予め設定された時間Ｔ１未満の場合は、ステップＳ２に戻る。ステップＳ５で累積運転時間ＴＸが予め設定された設定時間Ｔ１以上の場合は、ステップＳ６に進む。
【００９０】
ステップＳ６では、制御装置１９は、照度センサー１１からの検知信号に基づいて室内の明暗を判定する。ステップＳ６で室内が明るい場合は、ステップＳ２に戻る。ステップＳ６で室内が暗い場合は、ステップＳ７に進む。
【００９１】
ステップＳ７では、制御装置１９は、送風用モーター１３の通電を停止する。その後、ステップＳ８に進み、空気清浄機Ａは、空気清浄運転を終了する。その後、ステップＳ９に進み、制御装置１９は、脱臭機能回復動作を開始する。その後、ステップＳ１０に進み、制御装置１９は、加熱ユニット１７のヒーター２２に対して通電する。その後、ステップＳ１１に進み、制御装置１９は、加熱ユニット１７のヒーター２２の通電開始とほぼ同時に加熱ユニット１７の通電時間ＴＹの計時を開始する。
【００９２】
その後、ステップＳ１２に進み、制御装置１９は、加熱ユニット１７の通電時間ＴＹが予め設定された時間Ｔ２以上か否かを判定する。ステップＳ１２で加熱ユニット１７の通電時間ＴＹが予め設定された時間Ｔ２未満の場合は、ステップＳ１０に戻る。ステップＳ１２で加熱ユニット１７の通電時間ＴＹが予め設定された時間Ｔ２以上の場合は、ステップＳ１３に進む。
【００９３】
ステップＳ１３では、制御装置１９は、加熱ユニット１７のヒーター２２の通電を停止する。その後、ステップＳ１４に進み、制御装置１９は、駆動手段１８のモーター２３に対して通電する。その後、ステップＳ１５に進み、制御装置１９は、駆動手段１８のモーター２３への通電開始とほぼ同時に駆動手段１８の通電時間ＴＺの計時を開始する。
【００９４】
その後、ステップＳ１６に進み、制御装置１９は、駆動手段１８の通電時間ＴＺが予め設定された時間Ｔ３以上か否かを判定する。ステップＳ１６で駆動手段１８の通電時間ＴＺが予め設定された時間Ｔ３未満の場合は、ステップＳ１４に戻る。ステップＳ１６で駆動手段１８の通電時間ＴＺが予め設定された時間Ｔ３以上の場合は、ステップＳ１７に進む。
【００９５】
ステップＳ１７では、制御装置１９は、駆動手段１８のモーター２３の通電を停止する。その後、ステップＳ１８に進み、制御装置１９は、脱臭機能回復動作を終了する。その後、ステップＳ２に戻り、空気清浄運転が再開される。
【００９６】
以上で説明した実施の形態１によれば、室内が暗いときのみ、脱臭機能運転が開始される。すなわち、利用者が室内にいるとき等、室内が明るいときには、脱臭機能運転は開始されない。このため、利用者が室内にいる可能性が高い場合に脱臭することを妨げず、脱臭部１２の脱臭機能を効率よく回復させることができる。その結果、利用者の利便性を向上することができる。
【００９７】
また、照度センサー１１からの検知信号に基づいて室内が暗い状態になったと判定した場合は、空気清浄機Ａの運転モードが夜間運転モードとなる。このため、利用者が部屋にいない可能性が高い場合に、空気清浄機Ａの消費電力を抑制することができる。
【００９８】
なお、加熱ユニット１７に採用したＰＴＣヒーター２３は、自己温度制御性を備える。すなわち、サーモスタットとは異なり、断続的制御が不要となる。このため、ノイズが発生しない。その結果、空気清浄機Ａを安定して使用することができる。
【００９９】
次に、図９を用いて、第１の発明と第２の発明について、本発明の空気清浄機Ａの特徴的な動作を説明する。
本発明の空気清浄機Ａは、運転モード毎の累積運転時間又はその時間に応じた点検や機能部品の交換の時期を示したメンテナンス情報と、前記運転場所情報記録部で記録された運転場所毎の前記累積運転時間の情報とを、外部の情報通信端末機器４５に提供できることが大きな特徴である。
【０１００】
図９はこの発明の実施の形態１の空気清浄機が、運転モード毎の累積運転時間又はその時間に応じた点検や機能部品の交換の時期を示したメンテナンス情報を蓄積する動作を説明するためのフローチャートである。このフローチャートに示す動作プログラムが前記制御装置１９の記憶部１９Ａに格納されている。
【０１０１】
ステップＳ５１で処理をスタートさせると、操作部８において操作ボタン（主電源スイッチ操作ボタン）８ａ５を使用者が押す（ステップＳ２）と、制御装置１９に電源が供給され、動作プログラムが起動し、ステップＳ５３に進み、表示部８ｂ（表示画面）を起動する。
【０１０２】
次にステップＳ５４に進み、使用者が操作部８において運転モードを選択することを待つ。この場面では、「自動運転モード」と、「手動運転モード」と、「急速脱臭運転モード」と、「強制的再生運転モード」の４つの内、どれを選択しても良いが、「急速脱臭運転モード」は、最も大きな空気清浄能力を要求されるので、以下、この「急速脱臭運転モード」を使用者が選定したと仮定して説明する。
【０１０３】
ステップＳ５４で「急速脱臭運転モード」が選択されると、ステップＳ５５に進む。
このステップＳ５５では、使用者が選択した運転モードが、制御装置１９に読み込まれる。
そして、次のステップＳ５６に進む。
【０１０４】
ステップＳ５６では、空気清浄機Ａを使用する場所（部屋）を特定する情報として、使用者が決めた識別の数字、例えば「居間」は「１」、「寝室」は「２」等の数字を、操作部８において操作ボタン８ａ１を押してインプットした場合、その使用場所の識別情報（この場合には識別の数字１、２等）が、位置情報取得手段３８に入力される。
【０１０５】
上記の識別情報とは別に、あるいはその情報に加えて、空気清浄機Ａの位置情報を、位置情報取得手段３８が取得する。例えば、制御装置１９の指令によって、無線入出力部３５が、後述する統合管理装置（電力指令装置）７９に空気清浄機Ａの位置を問い合わせ、その返信信号に含まれた位置情報を利用しても良い。そして位置情報取得手段３８が取得した位置情報は、制御装置１９が読み込み、次のステップＳ５７において、前回の空気清浄運転の場所の情報に追加する。それら情報は記憶装置１９Ｒに蓄積される。
【０１０６】
ステップＳ５７の「場所の情報の追加」とは、前回の運転場所を示す位置情報に、今回の位置情報を加えることを意味する。例えば、前回の「急速脱臭運転モード」は、３日前と２日前に行われ、その際の使用場所は「寝室」であったが、これに今回も「寝室」が加わるので、３日間において寝室で「急速脱臭運転モード」が計３回使用された事実を示すデータが、最終的に記憶装置１９Ｒに保存されることになる。
【０１０７】
次のステップＳ５８では、使用者が空気清浄機Ａの運転の開始を操作部８で指令したかどうかの判定を行う。運転開始が指令された場合、ステップＳ５９に進み、空気清浄機Ａは、空気清浄運転（この場合は、「急速脱臭運転モード」）が開始される。この運転開始と同時に経過時間の計測が行われる。
【０１０８】
次のステップＳ６０では、「急速脱臭運転モード」の運転規制時間（運転開始から１５分間）が経過したかどうか、あるいは使用者が運転停止の指令をしたかどうかの判定が行われ、時間経過した場合、または運転停止の指令があった場合には、次のステップＳ６１に進み、制御装置１９は、送風用モーター１３への通電を停止して空気清浄運転を停止する。
【０１０９】
次のステップＳ６２では、制御装置１９は、記憶部１９Ｒに一時的に記憶させてある今回の運転場所（位置情報）と、運転モードの「急速脱臭運転モード」を示す情報に、今回の運転時間（使用者が途中で停止しない場合は、上記したように既定時間である１５分間）を加算する。
【０１１０】
次のステップＳ６３では、制御装置１９は、記憶部１９ＲにステップＳ６３の段階の運転時間や運転場所の累積情報を、一括して記憶部１９Ｒへ格納する。
【０１１１】
次のステップＳ６４では、制御装置１９は、ステップＳ６３の段階の累積運転時間と、この空気清浄機Aのメーカが事前に決めて記憶部１９Ｒに格納しておいた所定の（部品交換）メンテナンス時間や点検推奨時間とを比較し、それらを超えたと判断した場合、所定のアドバイス情報を生成し、または「追加動作」を行う。
【０１１２】
この図９の実施の形態１では、ステップＳ６４で、制御装置１９は、前記「追加動作」として加熱ユニット１７のヒーター２２に通電を開始し、脱臭エレメント１６の「脱臭機能回復動作」を開始する。これにより、脱臭エレメント１６は、その一部分だけではなく、全面が加熱され、脱臭機能の再生が図られる。なお、このように全面に及ぶ「脱臭機能回復動作」には、３０〜１時間程度の時間を要する。つまり、脱臭エレメント１６は、所定時間だけ加熱されると、一定角度（例えば３０度）だけモーター２３により回動されて停止、その停止位置で所定時間加熱されると、再び一定角度だけ回動されるという動作を反復して行うことで、結果的に全体が加熱されて脱臭機能の再生が図られる。
【０１１３】
この図９の実施の形態１では、表示部８ｂ（表示画面）において「脱臭機能回復動作」を開始することが予告される（ステップＳ６５）。
【０１１４】
次に、加熱ユニット１７のヒーター２２に通電が開始され、再生処理がスタートする（ステップＳ６６）。そして所定の再生処理が完了すると、表示部８ｂ（表示画面）において、再生処理が終了した旨表示される（ステップＳ６７）。
【０１１５】
次に、制御装置１９は、記憶部１９Ｒの中の再生運転の実行データに、今回の再生運転の履歴を追加して記憶させる（ステップＳ６８）。これにより、例えば、再生運転が必要な空気清浄運転の累積時間が、この段階でゼロにリセットされるので、次回の空気清浄運転では、再び０時間から運転時間の加算が行われる。
【０１１６】
そして、ステップＳ６９では表示部８ｂ（表示画面）への通電を停止し、その後、主電源スイッチ２５を自動的に開放する処理を行い、終了する（ステップＳ７０）。
【０１１７】
（情報通信端末機器４５の内部構成）
図１０において、情報通信端末機器４５は、例えば「スマートフォン」と呼ばれる高機能の通信端末機器であり、液晶表示基板等から構成された表示画面４６Ａを有する表示部４６と、使用者が操作する複数の入力キーを有する操作入力部（操作部）４７と、無線インターフェース（無線入出力部）４８と、姿勢検知部４９と、マイクロコンピューターを内蔵した制御部５０と、操作場面に応じた複数種類の合成音声を出力し、かつ必要に応じて情報通信端末機器４５を振動させる小型バイブレータを内蔵した報知部５１と、を備えている。このバイブレータは、前記報知部５１から音声を出す（鳴動）するときに、それと同期して情報通信端末機器４５自体を振動させることができ、これにより表示部４６だけでは確実に使用者に対して操作状況や通知の着信等を報知することができない状況でも、音と振動でその報知を補うことができる。
【０１１８】
無線入出力部４８は、２つの入出力部から構成され、その１つは、後述する広域通信回路網（通信ネットワーク）８８との間で所定の通信を行う無線入出力部４８Ａであり、他の１つは、後述する電力指令装置７９のＮＦＣ入出力部９８及び空気清浄機ＡのＮＦＣ入出力部２０との間で、それぞれ近距離無線通信する無線入出力部４８Ｂである。
【０１１９】
前記表示部４６、操作部４７と、無線入出力部４８、姿勢検知部４９、制御部５０、報知部５１は、図示していないが、信号回路で相互に接続されている。前記姿勢検知部４９には、ジャイロセンサー（図示せず）を備えており、使用者が情報通信端末機器４５を（左右・前後方向に）傾ける際の姿勢を検出して、当該姿勢を示す信号を前記制御部５０に出力する。
【０１２０】
制御部５０は、大きく分けて中央演算処理装置（ＣＰＵ）５２と、半導体記憶素子を主体に形成された記憶部５３とを備える。ＣＰＵ５２は、記憶部５３の中にあるＲＯＭ、ＲＡＭ部５４に格納されている制御プログラムに従って、情報通信端末機器４５全体の処理を実行するものであり、処理を実行する過程で必要なデータを前記ＲＯＭ、ＲＡＭ部５４から読み出したり、処理を実行する過程で生成したデータを、前記ＲＯＭ、ＲＡＭ部５４に格納したりする。
【０１２１】
５５は、記憶部５３の一部を構成する半導体製の不揮発性メモリーである。このメモリー５５には、前記無線入出力部４８から読み込んだ各種情報を記憶させておくことができる。また、述する電力指令装置７９から読み込んだ各種電気機器ＥＥの運転状況を示す情報、環境検知部１０３から提供された環境情報、「異常発生情報」、後述する情報サーバー９０から送信された情報、後述する対策ソフトウェア等、のそれぞれが一時的に記憶・蓄積される。この「一時的」という意味は、使用者が特に消去の指令操作をしない限り保存される場合や、１ケ月又は１週間等の一定期間だけ自動的に記憶保持され、その期間経過後には自動消去される場合を指す。
【０１２２】
前記記憶部５３には、アプリケーション・ソフトウェア部５６が含まれ、このアプリケーション・ソフトウェア部５６には、受信処理部５７、送信処理部５８、通信確立部５９、表示制御部６０、選択確定部６１、前記メモリー５５が含まれている。
【０１２３】
前記「異常発生情報」とは、電力指令装置７９の制御部９４が、家電機器ＥＥ、例えば空気清浄機Ａから、その電熱源（加熱源）であるヒーター２２と、モーター１３の緊急停止を示す信号を受けた場合に、新たに生成する特別な情報である。この異常発生情報は、前記情報通信端末機器４５と、情報サーバー９０で認識される専用情報である。つまり、家庭の外部へ家電機器ＥＥの異常発生を知らせるための情報である。この異常発生情報には、電気機器ＥＥの個別の異常発生データ（例えば、電圧値や温度、温度上昇速度など）も含まれる。前記空気清浄機Ａでは、ヒーター２２の電圧値や電流値、モーター１３の電圧値や電流値、操作部８の表示画面８ｂの温度等が制御装置１９によって監視されているので、それら各部から取得されたデータが、制御装置１９によって異常検知に利用され、また電力指令装置７９の制御部９４で異常発生情報に利用される。
【０１２４】
前記アプリケーション・ソフトウェア部５６は、空気清浄機Ａ等の家電機器ＥＥのアプリケーション・ソフトウェアを格納することができる部分である。このアプリケーション・ソフトウェア部５６は、また後述する電力指令装置７９の表示盤９５のためのアプリケーション・ソフトウェアも格納する。アプリケーション・ソフトウェア部５６のソフトウェアは、情報通信端末機器４５の外部からインストールされたものでもよいし、情報通信端末機器４５の出荷時から記憶部５３に格納されているものでもよい。つまり、後述する広域通信回路網（通信ネットワーク）８８を介して、家庭や事務所等の外部（近郊や遠隔地など何処でも良い）にある情報サーバー９０から送信された対策ソフトウェアプログラム（後述する）も、この記憶部５３に格納される。
【０１２５】
ＣＰＵ５２が上記のアプリケーション・ソフトウェア部５６に従って処理を実行することによって、所定の受信処理部５７、送信処理部５８、通信確立部５９、表示制御部６０、選択確定部６１、の各機能が実現される。これら各部分の動作について後で説明する。
【０１２６】
次に図１１に基づいて、情報通信端末機器４５が、運転状態のデータや異常監視データを空気清浄機Ａから取得する動作について説明する。なお、運転状態のデータや異常監視データだけではなく、空気清浄機Ａが後述する電力指令装置７９から取得したデータ（例えば、地域別の花粉の飛散量データ）を取得する場合も、基本的にこの図１１に示すように情報通信端末機器４５は動作する。
【０１２７】
図１１は、情報通信端末機器４５の処理ステップを示すものである。ここで示されるステップを実行するような制御プログラムが前記中央演算処理装置（ＣＰＵ）５２に最初から格納されている。なお、図１１の説明において、符号「ＳＶ」は、処理のステップを示すものである。また空気清浄機Ａでは、空気清浄運転の途中で、何らかの異常が発生したため、使用者が表示部（表示画面）８ｂに表示された表示内容見て、異常内容を確認する場合を想定して以下説明する。その表示内容とは、例えば、「異常が検知されたため、緊急停止しました。詳細は、ＮＦＣ表示部にＮＦＣ機能付きの携帯電話等の端末機器を接近させると情報入手できます」という説明の文字情報である。なお、同時に音声ガイド装置８ｄによって報知しても良い。
【０１２８】
先に起動しておいた情報通信端末機器４５を空気清浄機ＡのＮＦＣ用入出力部２０に接近させる。すると、情報通信端末機器４５は、記憶部５３に格納されているアプリケーション・ソフトウェア部５６を起動することによって処理が開始される。
ステップＳＶ１において、情報通信端末機器４５の通信確立部５９は、情報通信端末機器４５と空気清浄機Ａの間にＮＦＣ通信セッションが確立されることを監視している。ＮＦＣ通信は、前述したように１３．５６ＭＨｚ帯の電波を利用した近距離無線通信である。
【０１２９】
使用者が情報通信端末機器４５を、空気清浄機ＡのＮＦＣ用入出力部２０に近づけ、接近させる（例えば１０ｃｍ又は５ｃｍまで）と、通信確立部５９は、ＮＦＣ通信セッションを確立する。
【０１３０】
ＮＦＣ通信セッションが確立されると、通信確立部５９はＳＶ１でＹＥＳと判断して、ＳＶ２に進む。ＳＶ２では、送信処理部５８は、ＳＶ１で確立されたＮＦＣ通信セッションを用いて、空気清浄機Ａの異常監視データや識別情報の提供を要求するための情報を、空気清浄機Ａに送信する（ＳＶ２）。この要求情報は、図７に示したＮＦＣ記憶部４３に一時的に記憶される。
【０１３１】
続いて、ＳＶ３では、情報通信端末機器４５は、ＳＶ１で確立されたＮＦＣ通信セッションを用いて、空気清浄機Ａから、使用者が表示を希望する情報を選択するための「専用の表示画面」を情報通信端末機器４５の表示部４６に表示する情報を受信する。この情報は、図１１では「表示メニュー用の情報」と記載している。
ここでいう「表示メニュー」とは、異常発生時においては、少なくとも次の３つの情報群をいう。
（１）識別情報（製品識別情報）
（２）異常内容情報（異常内容を解説した詳細情報）
（３）アドバイス情報（製品の正しい使用方法や異常時の対処方法等を解説した情報）
前記「専用の表示画面」とは、例えば図１２、図１３に示したものである。
【０１３２】
表示メニュー用情報を受信すると、受信処理部５７が受信内容を確認し、ＳＶ４において、制御部５０は、情報通信端末機器４５を鳴動させる。これにより、使用者に受信（ここでは表示メニュー用情報の受信）が終了した旨が報知される。この直後に、情報通信端末機器４５はＳＶ１で確立されたＮＦＣ通信セッションを用いてＭＡＣアドレスを、空気清浄機Ａに送信する。このＭＡＣアドレスを空気清浄機Ａが受信することにより、以後の通信で連続性・関連性が担保するために空気清浄機Ａ側において通信機器の識別に利用される。
【０１３３】
前記ＳＶ４の時点での報知により、使用者は、情報通信端末機器４５を空気清浄機Ａから遠ざけてよいことを知る。仮にこれを知らない場合でも、ＳＶ６のステップでは、情報通信端末機器４５の表示部４６に、表示メニュー用情報の受信が完了し、通信は一旦中断するため、「空気清浄機Ａから遠ざけるように」との表示が出るので、使用者の無用の混乱は回避される。これら表示部４６の画面処理は表示制御部６０で実行する。
【０１３４】
情報通信端末機器４５を空気清浄機Ａからから遠ざけ、表示部４６の表示画面４６Ａが見やすいよう自分の手元近くに移動させて、以後の操作を行うことができる。これにより、情報通信端末機器４５と空気清浄機Ａとの間の距離が、互いに電波が届く距離より大きくなると、Ｓ１で確立されたＮＦＣ通信セッションが中断される（ＳＶ７）。なお、ここまでを第１のＮＦＣ通信セッションと定義すれば、このＳＶ７の段階は第１のＮＦＣ通信セッションの完了と言える。
【０１３５】
仮にＳＶ７で、ＮＦＣ通信セッションが前記したようにＳＶ７で中断しないままになった場合は、ＳＶ６の処理に戻り、使用者はＮＦＣ通信を一旦中断するように勧告される。
【０１３６】
次に、ＳＶ８において、制御部５０は、情報通信端末機器４５を鳴動させる。これにより、使用者にはＮＦＣが中断した旨が報知される。
表示制御部６０は、ＳＶ３で受信された表示メニュー用情報に含まれるテキストデータを用いて、所定の選択画面を生成する（ＳＶ９）。つまり、使用者が情報通信端末機器４５の表示部４６で最初に確認する内容は、図１２、図１３に示すような「専用の表示画面」であり、表示を希望する情報の種類を３つの中から１つだけ選択することができるものである。なお、このＳＶ９における情報の種類の選択方法については複数あるので、図１２と図１３の説明の際に詳しく述べる。
【０１３７】
ＳＶ９において、例えば「異常内容情報表示」を選択した場合、この選択結果を空気清浄機Ａにインプットする前には、ＮＦＣ通信セッションを確立する必要がある。そこで前記したように、使用者が情報通信端末機器４５を、空気清浄機Ａの本体１Ａ上面にあるＮＦＣ用入出力部２０に近づけ、通信確立部５９が、ＮＦＣ通信セッションの確立を確認した場合、通信確立部５９はＳＶ１０でＹＥＳと判断して、ＳＶ１１に進む。
【０１３８】
この後、情報通信端末機器４５はＳＶ１１で確立されたＮＦＣ通信セッションを用いてＭＡＣアドレスを再び空気清浄機Ａに送信する。このＭＡＣアドレスを空気清浄機Ａが再度受信することにより、空気清浄機Ａでは前回との通信の関連性が確認される。また同時に、情報通信端末機器４５はＳＶ９において選択した「異常内容情報表示」という表示指令を空気清浄機Ａに送信する（ＳＶ１１）。
【０１３９】
続いて、ＳＶ１２では、情報通信端末機器４５は、ＳＶ１０で確立されたＮＦＣ通信セッションを用いて、空気清浄機Ａから、使用者が表示を指定した「異常内容」に関する情報を受信する。
【０１４０】
この異常内容に関する情報を受信すると、受信処理部５７が受信内容を確認し、ＳＶ１３において、制御部５０は、情報通信端末機器４５を鳴動させる。これにより、使用者に指定した情報を受信（ここでは「異常内容情報」の受信）が終了した旨が報知される。
【０１４１】
その後、制御部５０は表示部４６に、ＮＦＣ通信セッションは切断することを表示し、使用者が所定時間内に新たな操作入力をしない限り、ＮＦＣ通信セッションを自動的に遮断して一連の処理を終了する。なお、使用者が受信した前記「異常内容情報」は、情報通信端末機器４５の記憶部５３のメモリー５５に記憶されるので、使用者は後日その内容を再び読み出して表示部４６に表示させることができる。またその「異常内容情報」は、情報通信端末機器４５の通信機能を使って広域通信回路網８８経由で空気清浄機Ａの販売会社や修理業者のサーバー等に送信することもできるし、情報通信端末機器４５を修理業者等の所まで持参して、当該業者のところで異常監視データの内容を見せることができる。また、そのような場合、空気清浄機Ａの識別情報も記録されているので、修理業者等に正確な識別情報を伝達できる。
【０１４２】
異常監視データには、後述する各種運転情報信号Ｌ１〜Ｌ１０、対象機器登録信号ＡＳ１、家電機器の総電力量を下げる要請信号（予告信号）ＡＳ２、電力削減指令信号ＡＳ３を含ませている。そのため、実際の異常を示すデータ（例えば、温度や電圧値）の計測タイミングと、例えば運転情報信号Ｌ１〜Ｌ７の送信タイミング等を時間的に対応付けてあるので、異常発生後の原因分析が容易になる。
【０１４３】
なお、情報通信端末機器４５が、ＳＶ１１において「異常内容情報表示」という表示指令を空気清浄機Ａに送信した場合、前記表示指令は空気清浄機ＡのＮＦＣ記憶部４３に一旦記録され、その表示指令を受けてＮＦＣ制御回路４１では、制御装置１９の記憶装置１９Ｒに記憶している異常監視データを、ＮＦＣ制御回路４１側へ送信するような（異常管理）データ送信命令を出す。
【０１４４】
前記ＮＦＣ制御回路４１のデータ送信命令を監視していた空気清浄機Ａの制御装置１９が、前記ＮＦＣ制御回路４１の送信命令を受けて動作する。つまり、情報通信端末機器４５側から制御データ（データ送信命令という制御コマンド）を前記家電機器ＥＥの一種である空気清浄機ＡのＮＦＣ記憶部４３へ送り、当該空気清浄機Ａの制御装置１９（「ホストコンピューター」機能を有する）が、前記ＮＦＣ記憶部４３に記憶された前記制御コマンドに従って制御動作するものである。但し、後述する図１４のフローチャート図では、セキュリティの面から、電力指令装置７９側から空気清浄機Ａへ、情報通信端末機器４５での異常監視データ取得を許可するステップ（ＳＹ１１）があると説明しており、そのような指令が、後述する第１の通信手段９１Ａ経由で空気清浄機Ａへ届いた後で、情報通信端末機器４５が異常監視データを読み出せるようにしている。
空気清浄機Ａが主電源スイッチ２５を切られ、あるいは空気清浄運転が終了又は一時停止している期間中でも、使用者が情報通信端末機器４５を、空気清浄機ＡのＮＦＣ用入出力部２０に接近させれば、その都度ＮＦＣ通信をできるようにするために、前記ステップ（ＳＹ１１）は削除しても良い。
【０１４５】
次に情報通信端末機器４５が、空気清浄機Ａの運転状態のデータや異常監視データを取得する場面での、表示部４６の表示内容について、図１２と図１３を参照しながら説明する。
図１２は、情報通信端末機器４５の表示部４６の表示内容を示すものである。ここで示される表示部４６の表示内容は、図１１のステップＳＶ９の段階におけるものである。
【０１４６】
図１２に示している通り、表示部４６には表示を希望する情報の種類を、３つの項目の中から１つ選択するように求める画面を生成している。
この図１２において、６２は異常発生を知らせる文字情報、６３は、使用者に表示すべき情報の種類を選択するように促す操作誘導情報、６４Ａは「製品識別情報表示」という表示をした選択情報、６４Ｂは「異常内容情報表示」という表示をした選択情報、６４Ｃは「アドバイス情報表示」という文字が表示された選択情報である。
【０１４７】
この図１２の表示画面で、例えば「異常内容情報表示」を選択する場合は、２つの方法がある。
第１の方法：
操作入力部４７に設けた４つの方向の選択キー（タッチ式又は押しボタン式）を使用し、例えば、選択項目を下方向に順次選ぶには、下方向指定選択キー６５Ｂを押せば良い。最初は「製品識別情報表示」の項が選択されるように、その文字情報６４Ａがハイライト表示等で強調された表示になっていた場合、前記した下方向指定選択キー６５Ｂを１回押せば、「異常内容情報表示」の項が選択され、その文字情報６４Ｂがハイライト表示等で強調された表示になる。
下方向指定選択キー６５Ｂを更に１回押せば、更に下方に表示されている「アドバイス情報表示」の項が選択され、その文字情報６４Ｃがハイライト表示等で強調された表示になる。さらに１回下方向指定選択キー６５Ｂを１回押せば、最初に戻って「製品識別情報表示」の項が選択され、「製品識別情報表示」の文字情報６４Ａがハイライト表示等で強調された表示になる。
以後もこのように下方向指定選択キー６５Ｂを押せば、選択項目が巡回する。なお、同じように上方向指定選択キー６５Ａ、右方向指定選択キー６５Ｃ、左方向指定選択キー６５Ｄも操作入力部４７に設けてある。なお、選択を確定するには、操作入力部４７の中央部にある確定キー（タッチ式又は押しボタン式）６６を押せば良い。この確定キー６６を押した段階で、図１１に示したＳＶ９の処理が終わる。
【０１４８】
第２の方法：
操作入力部４７に設けた４つの方向の選択キー６５Ａ〜６５Ｄを一切使用せずに、情報通信端末機器４５を水平に維持にした状態から、左右又は前後に傾ける動作で「製品識別情報表示」の項から「アドバイス情報表示」の項まで選択できる。前記したように、情報通信端末機器４５には、姿勢検知部４９を内蔵しているので、使用者が情報通信端末機器４５を傾ける際の姿勢（より具体的には、回転角度）を検出して、当該姿勢を示す信号を制御部５０に出力する。従って、例えば下方向指定選択キー６５Ｂを１回押すのと同様にするには、情報通信端末機器４５の表示画面４６Ａが最も上で、下方向指定選択キー６５Ｂが最も下になるように傾斜させれば良い。そして所望の項が選択された段階で前記確定キー６６を押せば良い。この確定キー６６を押した段階で、図１１に示したＳＶ９の処理が終わる。
【０１４９】
次に図１３について説明する。
図１３は、空気清浄機Ａから情報通信端末機器４５で異常監視データを表示させた場面を示している。図１３において、６７は異常の内容を知らせる文字情報、６８Ａは、異常発生個所を示した文字情報、６８Ｂは異常の原因を示した文字情報である。６９は、使用者にこの製品（空気清浄機Ａ）の異常について修理や点検の依頼先の情報を表示するかどうか使用者に判断を求める選択情報である。この６９の項を選択して更に詳しい情報を求める場合には、前記右方向指定選択キー６５Ｃを１回押せば良い。この図１３には示していないが、空気清浄機Ａを販売した時点で、製造業者がＮＦＣ記憶部４３に書き込んでおいた連絡先の所在地、電話番号等の文字情報が表示画面４６Ａにて表示できる。
【０１５０】
前記した「識別情報」は、空気清浄機Ａに固有の情報のことであり、的確な修理や点検を行う場合に必要となる重要な情報であるから、前記ＮＦＣ記憶部４３に記録しておくことが望ましいが、前記制御装置１９の記憶装置１９Ｒに「識別情報」を記憶させておくことでも良い。あるいは双方に重複して記憶させておくことでも良い。例えば、工場の製造段階で識別情報が確定する製造年月や製品（シリアル）番号、保証書番号等は、記憶装置１９Ｒに記憶させ、製品の販売時点で確定する販売日、販売業者名等の識別情報については販売店や設置業者が、ＮＦＣ用入出力部２０を介して後から情報を書き込んでも良い。
【０１５１】
以上説明した実施の形態１における空気清浄機Ａは、
集塵用フィルター１０Ｐ、１０Ｍを内蔵し、空気中の塵埃を捕集する空気清浄運転モードと空気中の匂い物質の捕集をする脱臭運転モードの少なくとも２つを有し、
前記運転モードの選択結果を入力する操作部８と、
前記操作部への入力結果を表示する表示部８ｂと、
使用者によってＯＮ・ＯＦＦ操作される主電源スイッチ２５と、
前記主電源スイッチ２５がＯＮにされてからＯＦＦにされるまでの１回の使用において、運転モード毎に、その運転された時間を順次累積して記憶する記憶部１９Ｒと、
前記フィルターに室内の空気を流通させる送風用モーター１３と、
使用者が持ち運べる情報通信端末機器４５との間で、近距離無線通信（ＮＦＣ）によって情報を授受できるＮＦＣ入出力部２０と、
前記操作部８からの入力に応じて、前記表示部４６及び前記送風用モーター１３の運転を制御する制御装置１９と、を有し、
前記制御装置１９は、前記ＮＦＣ入出力部２０を介して前記情報通信端末機器４５と通信状態を確立した場合、前記記憶部１９Ｒに記憶されている運転モード毎の累積運転時間又はその時間に応じた点検や機能部品の交換の時期を示したメンテナンス情報を、前記情報通信端末機器４５の表示用として送信する構成である。
【０１５２】
この実施の形態１の空気清浄機Ａによれば、スマートフォンなどの情報通信端末機器４５に対してＮＦＣ入出力部２０経由で運転モード毎の累積運転時間又はその時間に応じて点検や機能部品の交換時期を示したメンテナンス情報を送信することができ、空気清浄機Ａの保守管理（メンテナンス）が格段と楽になる。
【０１５３】
またこの実施の形態１の空気清浄機Ａは、第２の発明も次の形態で実施している。
すなわち、集塵フィルター１０Ｐ、１０Ｍを内蔵し、空気中の塵埃を捕集する空気清浄運転モードと空気中の匂い物質の捕集をする脱臭運転モードの少なくとも２つを有する空気清浄機において、
前記運転モードの選択結果を入力する操作部８と、
前記操作部への入力結果を表示する表示部８ｂと、
使用者によってＯＮ・ＯＦＦ操作される主電源スイッチ２５と、
前記主電源スイッチがＯＮにされてからＯＦＦにされるまでの１回の使用において、運転モード毎に、その運転された時間を順次累積して記憶する記憶部１９Ｒと、
前記フィルター・ユニットに室内の空気を流通させる送風用モーター１３と、
使用者が持ち運べる情報通信端末機器との間で、近距離無線通信（ＮＦＣ）によって情報を授受できるＮＦＣ入出力部２０と、
前記主電源スイッチ２５がＯＮにされて運転開始される度に、そのＯＮ操作後の空気清浄機Ａ本体１の運転場所を示す情報を前記記憶部１９Ｒに送信する運転場所情報記録部と、
前記操作部８からの入力に応じて、前記表示部８ｂ及び前記送風用モーター１３の運転を制御する制御装置１９と、を有し、
前記制御装置１９は、前記ＮＦＣ入出力部２０を介して前記情報通信端末機器４５と通信状態を確立した場合、前記記憶部１９Ｒに記憶されている運転モード毎の累積運転時間又はその時間に応じた点検や機能部品の交換の時期を示したメンテナンス情報と、前記運転場所情報記録部で記録された運転場所毎の前記累積運転時間の情報とを、前記情報通信端末機器４５の表示用として送信することを特徴と空気清浄機である。
【０１５４】
このため、この空気清浄機Ａによれば、スマートフォンなどの情報通信端末機器４５に対してＮＦＣ入出力部２０経由で運転モード毎の累積運転時間又はその時間に応じて点検や機能部品の交換時期を示したメンテナンス情報を送信することができ、また空気清浄機Ａを運転した場所とその場所毎の使用時間の履歴を把握できるので、使用頻度の高い場所が過去の使用実績データから分かり、予めその場所へ移動させておくこともでき、長期にわたり、保守管理（メンテナンス）が格段と楽になり、また複数の部屋で使用する場合に利便性が向上する。
【０１５５】
この実施の形態１における空気清浄機Ａの運転管理システムは、以下の構成の第３の発明も実施している。
すなわち、花粉や塵埃等の対象物を除去するフィルター１０Ｐ、１０Ｍと、室内空気を吸引する送風用モーター１３とを具備し、臭いの除去機能を有した移動可能な空気清浄機Ａと、
前記空気清浄機Ａに対し運転開始指令信号と運転状態確認照会信号とを、無線通信用の第１の入出力部を介してそれぞれ送信する統合管理装置７９と、
前記統合管理装置７９に備えた無線通信用の入出力部９８に対し、所定の指令信号を与える情報通信端末機器４５と、を備え、
空気清浄機Ａには、前記情報通信端末機器４５と通信状態が確立されるＮＦＣ入出力部２０を有し、
前記統合管理装置７９は、前記入出力部９８を介して通信状態が確立された前記情報端末機器４５から、前記空気清浄機Ａの、所定期間における累積運転時間、移動距離、移動の軌跡、運転回数、の少なくとも何れか１つの「運転関連情報」を読み出す制御装置９４と、この制御装置９４によって空気清浄機Ａから取得した前記「運転関連情報」を記憶させる記憶部９９Ｂと、この記憶部９９Ｂに記憶された前記「運転関連情報」を任意のタイミングで表示画面に表示させることを指令する入力操作部９７、とを具備したものである。
【０１５６】
このため、この第３の発明を実施した空気清浄機Ａの運転管理システムによれば、空気清浄機Ａの累積運転時間等の「運転関連情報」を統合管理装置７９によって管理でき、また、使用者によって任意のタイミングでそれら「運転関連情報」を読み出して表示画面９５Ａで確認でき、空気清浄機Ａの保守管理（メンテナンス）の利便性が向上する。
【０１５７】
この実施の形態１の空気清浄機Ａでは、前記主電源スイッチ２５がＯＮにされてからＯＦＦにされるまでの１回の使用において、その運転された時間を順次累積して記憶する場合、単位時間あたりの空気浄化能力レベルを示す情報として、手動運転モードにおいて、「強運転」、「中運転」、「弱運転」という情報も記憶部１９Ｒに記憶させ、前記制御装置１９が、前記ＮＦＣ入出力部２０を介して前記情報通信端末機器４５と通信状態を確立した場合、前記記憶部１９Ｒに記憶されているそのような空気浄化能力レベルを示す情報も読み出しを許可し、前記表示部８ｂに表示させることができる。このため、運転時間の履歴と、運転された場所を見る場合に、使用形態が容易に把握できる。
【０１５８】
（統合管理装置と運転管理システム）
図１４は、本実施形態１の空気清浄機Ａが使用された１つの家屋の例を示している。このような戸建ての家庭ではなく、マンション等の集合住宅や介護施設等であっても本発明は適用できる。
図１４において、７０は、１つの家屋を示しており、７１Ａは１つの家屋の居住空間（居間）を示している。７１Ｂは前記居住空間７１Ａと壁７２で仕切られた隣の居住空間（キッチン）を示している。なお、居住空間を総称する場合には７１を符号として使用する。この図１には示していないが、この家屋７０の中には、そのほかに「浴室」、「寝室」等があり、またトイレのある部屋もある。これ以外の部屋があっても良い。
【０１５９】
全ての居住空間７１には、家屋７０の外部にある電力会社の商用電源ＥＰから例えば２００Ｖの電力が供給されている。その電力は、電力量計７３を介して家屋の内部に引き込まれている。７４は前記２００Ｖの商用電源ＥＰにブレーカーＢＫを介して接続された電源線（主幹線）である。前記電源線には、空気清浄機Ａ、テレビジョンの受像機（以下、「ＴＶ受像機」という）７５、空気調和機７６、照明器具７７Ａ、７７Ｂ、台所用電気機器（以下、「キッチン内家電機器」という）ＫＰがそれぞれ接続されている。なお、図１においては、ＴＶ受像機７６、空気調和機７６、キッチン内家電機器ＫＰは、それぞれ１つしか示されていないが、家屋７０の中に複数個あっても良い。また照明器具７７Ａ、７７Ｂも２つだけではないが、その他は図示していない。
【０１６０】
７８は、家屋７０の中で居住空間７１の上面を仕切る天井面（壁）、７９はブレーカーＢＫを介して電力が供給される電力指令装置であり、家屋７０の中に１つだけ設置される。なお、前記ブレーカーＢＫは、家屋全体で統合的なブレーカーとして、１つの家屋で主幹回路に１つ設け、その下流側には主幹回路から分岐した２つ以上の副回路に、それぞれ副ブレーカーを配置したものでも良い。
【０１６１】
前記電力指令装置７９は、居住空間７１Ａ（キッチン）の壁面等のように、家族が容易に接近できる場所に壁掛け状態で設置されているか、又は床面の上に置いてある。なお、その他の家電機器として、食器洗い乾燥機（図示せず）や自動洗濯衣類乾燥機（図示せず）、その他の家電機器も複数あるが、これらは後で説明する。なお、この「電力指令装置」は、「統合管理装置」又は「統合管理装置」又は「集中管理装置」と呼ぶ場合がある。その理由については、後で説明する。
【０１６２】
図１４において、８０は、居住空間（キッチン）７１Ｂの室内の気温と湿度を検出する複合センサー（温度・湿度センサー）であり、環境センサーの１種である。８１は、居住空間（居間）７１Ａの室内気温と室内湿度を検出する温度・湿度センサーであり、環境センサーの１種である。８２は、家屋７０の外部空間（外壁面）に設置された温度センサーであり、環境センサーの１種である。８３は、居住空間（居間）７１Ｂの花粉量を検知する花粉センサーである。
【０１６３】
１０７は、少なくとも居間７１Ａとキッチン７１Ｂ及び寝室（図示せず）の３カ所に設置した臭気センサーであり、例えばアンモニア臭や硫黄化合物の臭いに敏感なものが選定されている。この臭気センサー１０７も、環境センサーの１種である。
【０１６４】
１４０は、少なくとも居間７１Ａとキッチン７１Ｂ及び寝室（図示せず）の３カ所に設置した塵埃センサーであり、空気清浄機Ａの埃センサー３７と同様な機能を有する。この塵埃センサー１４０も、環境センサーの１種である。
【０１６５】
前記複合センサー８０、（屋外）温度センサー８２、温度・湿度センサー８１、花粉センサー８３、臭気センサー１０７、は、測定された温度や湿度を無線又は電気信号で後述する電力指令装置７９の環境検知部１０３に送信する機能を有している。またその電源は充電された電池でも良いし、前記電源線１からの電力でも良い。またこれらセンサーの消費電力は１Ｗ（ワット）程度の小さいものであるため、前記電源線７４からの電力で運転する場合でも、電力指令装置７９の電力制限対象にはしていない。これら環境センサーは、所定のタイミングで電力指令装置７９へ計測データを継続的に送信している。例えば、空気調和機７６のある居住空間（居間）７１Ａにおいては、１０分間隔で、またキッチン７１Ｂでは５分間隔で気温と湿度、埃、臭気が計測されている。特にキッチン７１Ｂでは、食品等を扱う空間であるため、気温と湿度、埃、臭気の監視間隔は、居間７１Ａに比較して短くしており、電力指令装置７９側から環境データの取得指令が発せられなくとも、環境変化を自動的に短時間（少なくとも５分間）間隔で検知できるようにしている。
【０１６６】
以上説明したように、環境センサーの１種として、空気中の花粉の飛散量を測定する花粉センサー８３と、空気中の単位容積あたりの塵埃量を測定する塵埃センサー１４０と、室内の騒音の大きさを検知する騒音センサー（図示せず）と、が各居住空間７１Ａ、７１Ｂ内のそれぞれ適当な位置に設けてある。また室内の明るさを検知する照度センサー（図示せず）も、各居住空間７１Ａ、７１Ｂ、寝室（図示せず）内のそれぞれ適当な位置に設けてある。
【０１６７】
また前記温度・湿度センサー８１の他に、室外又は家屋７０の外部の気温と湿度を検知する温度センサーや湿度センサーを設けても良く、花粉センサーは、室内だけではなく室外（例えば家屋７０の外壁表面や窓の外枠、ベランダ、屋上等）にも設置しても良い。なお、この環境検知部１０３自体は、前記電力指令装置７９の本体７９Ａと離れた場所、あるいは別の居住空間に設置してあり、その本体７９Ａと無線又は有線で接続されている場合も、本発明では「電力指令装置７９に備えている」と定義している。
【０１６８】
図１４において、８４Ａは、人間が自然に発する赤外線を検知して居住空間７１Ａの中に人間が居るかどうかを検知できる人感知センサーである。８４Ｂは、同じく人間が自然に発する赤外線を検知して居住空間７１Ｂの中に人間が居るかどうかを検知できる人感知センサーである。なお、この他の居住空間７１にもこのような人感知センサー８４（図示せず）を設置しても良い。
【０１６９】
前記人感知センサー７１Ａ、７１Ｂは、人が居るかどうかを検出した結果を、無線又は電気信号で後述する電力指令装置７９の人検知部１０５に送信する機能を有している。またその電源は、事前に充電された電池でも良いし、前記電源線７４から分岐して供給される電力を使用しても良い。またこれらセンサーの消費電力は１Ｗ〜数Ｗ程度の小さいものであるため、前記電源線７４からの電力で運転する場合でも、電力指令装置７９の電力制限対象にはしていないので、所定のタイミング（例えば１０秒毎）で電力指令装置７９へ計測データを継続的に送信している。なお、人感知センサー７１Ａ、７１Ｂは、赤外線式だけに限定されず、他の方式、例えば超音波方式のものを採用しても良い。
【０１７０】
引き続いて図１４を説明する。８５は、前記ＴＶ受像機７５のチューナ（図示せず）に接続されている屋外アンテナ、８６Ａは、前記電力指令装置７９に接続されたルーターＡであり、このルーターＡは、電力指令装置７９を電力会社やその家屋の地域に情報を発信する地域地震情報提供機関等の外部機関８７Ａにインターネット等の広域通信回路網（「通信ネットワーク」又は「インターネット」と称する場合がある）８８を介して接続している。
【０１７１】
８６Ｂは、前記ＴＶ受像機７５に接続されたルーターＢであり、このルーターＢは、前記ＴＶ受像機７５を、前記広域通信回路網８８を介して外部機関８７Ｂに接続している。この外部機関８７Ｂは、例えば放送番組を提供する放送局や、医療・健康管理情報・運動計測（運動管理）情報を提供する公的機関や民間会社等であるが、これら以外であっても良い。前記２つの外部機関８７Ａ、９７Ｂは別々のものであっても良く、また同じ機関であっても良い。
【０１７２】
運動計測情報を提供する民間会社等とは、例えば、本格的なトレーニングプログラムを希望者へ提供し、また当該希望者が実施した各種運動（歩行、走行、ダンスやヨガ等）のデータや、それら運動した人の体組成バランス（例えば、体脂肪の率）や活動消費カロリー等の各種データを管理する組織をいう。怪我や病気で運動機能が低下した人に対し、その運動機能の改善を目的としたリハビリ情報を提供する機関も含まれている。
【０１７３】
図１４において、Ａは、本発明の対象となる移動式の空気清浄機であり、図１４では１つの居住空間７１Ａの中に設置されているが、寝室やキッチン７１Ｂ等の他の居住空間７１へ自由に移動させることが可能である。
【０１７４】
次に図１５を参照しながら、この家屋７０の外部の通信環境を説明する。なお、この実施の形態１の電力指令装置７９は、ルーターＡ８６Ａを介して外部機関８７Ａに通信ネットワーク経由で接続されているが、一般にホーム・ゲートウエイと呼ばれる機器を使用しても良い。この場合のホーム・ゲートウエイとは、インターネット接続やデジタル放送，ＩＰ電話などの各種デジタル情報メディアと，電力指令装置７９やデジタル家電機器などの端末の間に設置する家庭内用機器をいい、それら電力指令装置７９等をネットワーク化して制御したり，通信・放送メディアから受け取ったりした情報をそれら電力指令装置７９やデジタル家電機器に伝達する役割を担うものである。常時接続型のブロードバンド・サービスで，インターネット接続に加えてＩＰ電話やコンテンツ配信サービスを提供している際に，事業者がこのような家庭の居住者（使用者）に貸し出すルーターを「ホーム・ゲートウエイ」と称する場合が多い。
【０１７５】
前記電力指令装置７９は、図１４では広域通信回路網８８を介して外部機関８７Ａに接続されていたが、実際にはこの図１５に示すように、広域通信回路網８８は、８８Ａと８８Ｂの２つから構成されており、また中継サーバー８９と、それぞれの広域通信回路網８８Ａ、８８Ｂを介して外部機関８７ＡのＡＳＰ（「アプリケーション・サービス・プロバイダー」のことをいう）サーバー９０にアクセスする。このＡＳＰサーバー９０には、後述するように各種データベースが設けられており、多数の住宅に対応して後述する各種情報を記憶するように構成されている。つまり、このＡＳＰサーバー９０は、情報サーバーとしての機能を保有するので、以後、情報サーバー９０と呼ぶ。
【０１７６】
前記情報サーバー９０は、各種家電機器ＥＥの主に制御手段及び情報提供手段として機能するもので、家電機器ＥＥの製造業者（メーカ）、販売業者、修理業者、あるいは情報サービス提供業者等の組織が、単独で、又は２つ以上の組織が共同で設置しており、家電機器ＥＥに関する各種サービスを、広域通信回路網８８Ａ、８８Ｂを介して利用者に提供するものである。
【０１７７】
前記情報サーバー９０には、このサーバーのホストコンピュータとして機能する中央演算処理装置９０ＣＰと、広域通信回路網８８に接続されて情報の授受を行う通信手段である通信部９０ＩＦと、前記家電機器ＥＥのアプリケーション・ソフトウェアを記憶し、また改善ソフトウェアを蓄積している改善ソフトウェア（対策プログラム）提供部９０Ｓと、家電機器ＥＥの使用者を特定する利用者特定用データベース（「使用者情報データベース」ともいう）９０Ｕと、空気清浄機Ａ等の家電機器ＥＥの製造業者（メーカ）が提供した技術情報を蓄積したメーカ側情報データベース９０Ｍと、が設けられている。
【０１７８】
前記情報サーバー９０は、一般に「Ｗｅｂサーバー」（以下「ウェブサーバー」という）と呼ばれているもので良い。ウェブサーバーは、ＨＴＴＰ（ＨＴＭＬ文書や画像などのデータをＷｅｂサーバーとＷｅｂブラウザ間でやり取りするために使われるプロトコル）に則り、各種情報通信端末機器４５、各家庭等にあり情報通信機能を備えた前記電力指令装置７９、あるはその他パーソナル・コンピュータ等のような、「情報を受け取る側」の情報処理機器（クライアント）側ソフトウェアのウェブ・ブラウザに対して、ＨＴＭＬやオブジェクト（画像など）の表示情報を提供するサービスプログラム及び、そのサービスが動作するサーバーコンピュータを指す。なお、ウェブ・ブラウザは、「インターネットブラウザ」、又は「ＷＷＷブラウザ」ともいい、「Ｗｏｒｌｄ  Ｗｉｄｅ  Ｗｅｂ」の利用に供するブラウザである。
【０１７９】
前記利用者特定用データベース９０Ｕには、利用者からの、所謂ユーザー登録により受け付けた情報として例えば情報サーバー９０へのログインＩＤやパスワードなどの利用者固有情報、ルーターＡ８６Ａのネットワークアドレス（ＭＡＣアドレス）などの設定情報、特定の家電機器ＥＥのネットワークアドレスや種類、型名といった固有の情報（前記した「識別情報」を含む）が記憶されている。つまり、前記家電機器ＥＥの使用者情報を、検索可能な状態で蓄積する機能を備えている。
【０１８０】
前記アプリケーションデータベース９０Ｂには、居住空間の外部、例えば居住者の勤務先や外出先等の遠隔地から、電力指令装置７９又は家電機器ＥＥを遠隔制御することができるようにした制御用アプリケーション・ソフトウェアが格納・記憶されている。これにより、後述する情報通信端末機器４５、例えばスマートフォンと呼ばれている端末機器から情報サーバー９０にアクセスして制御用アプリケーション・ソフトウェアをダウンロード（読み込み）することにより、前記遠隔制御を実現することができる。
【０１８１】
情報サーバー９０には、家電機器ＥＥの特定の機種モデルに対応して、家電機器ＥＥの動作プログラムの内容を改善した「改善ソフトウェア」が保管してあり、それを電力指令装置７９が広域通信回路網８８を介して入手した場合、当該改善ソフトウェアは、電力指令装置７９の入出力部９１Ｂ（図１６参照）を介して電力指令装置７９から、空気清浄機Ａやその他の家電機器ＥＥ側へ提供される。なお、ここでいう「改善ソフトウェア」は、「対策ソフトウェア」と同じである。改善ソフトウェアは、１回作成されるだけではなく、必要に応じ、さらに改善したバージョン・アップ版が用意される場合がある。
【０１８２】
この実施の形態１でいう情報通信端末機器４５とは、使用者が気軽に携帯して屋内や屋外、その他外出先等で通話やデータ（メール情報を含む）の通信を行える携帯用通信機器のことである。インターネットで文字情報や画像、音楽等をダウンロードしたり、メールを送信・受信したり、遠隔操作信号を発信できる機器であるが、通話できない機器でも良く、そのような携帯用通信機器を総称して情報通信端末機器４５と呼んでいる。なお、小型の携帯用パーソナル・コンピュータも情報通信端末機器の一種である。
【０１８３】
本実施の形態１における情報通信端末機器４５は、各家電機器ＥＥの入出力部に数センチメートル程度接近させ（又は接触させても良い）、近距離通信で信号の授受をさせる近距離無線通信機能を備えている。
【０１８４】
この実施の形態１では、空気清浄機Ａを含む家電機器ＥＥ側に、いわゆる無線タグ（ＮＦＣタグ）が埋め込まれている。当該ＮＦＣタグは、空気清浄機Ａの例で示したような、ＮＦＣ用の通信制御ＩＣ（以下、「ＮＦＣ制御回路」という）４１（図７参照）と、この制御回路に接続されていて、外部から所定の周波数の無線を受けると前記制御回路４１のための電力が発生するアンテナ４２と、前記ＮＦＣ制御回路４１に接続されているマイクロチップメモリー（以下、「ＮＦＣ記憶部」という）４３とから構成されている。
【０１８５】
一方、情報通信端末機器２５側では、図１０に示したような構成を具備している。
そして、空気清浄機Ａの例で説明したように、家電機器ＥＥの内部記憶装置にある情報を、情報通信端末機器４５側で読み出す機能だけではなく、家電機器ＥＥ側の動作も情報通信端末機器４５からの制御コマンドによって起動できる機能まで保有している。
【０１８６】
図１５において、９２は基地局であり、居住者が所有している情報通信端末機器４５を、家屋７０と距離的に離れた場所にある勤務先の施設９３の場所で使用した場合に、情報通信端末機器４５との間で通信を行う。
【０１８７】
図１５において、広域通信回路網８８Ｂには、中継サーバー８９、広域通信回路網８８Ａを介して情報通信端末機器４５の基地局９２が接続されており、情報通信端末機器４５から基地局９２を介して情報サーバー９０やルーターＡ８６Ａにアクセスすることができるようになっている。つまり、この家庭の居住者が所有している情報通信端末機器４５を、図１５に示すように離れた場所にある勤務先の施設９３から広域通信回路網８８Ａに接続すれば、情報サーバー９０にアクセスすることができ、電力指令装置７９又は電気機器ＥＥの制御用アプリケーション・ソフトウェアをダウンロードすることにより、家庭から離れた施設９３から、電気機器ＥＥを遠隔制御することができる。
【０１８８】
この実施の形態１においては、情報通信端末機器４５から空気清浄機Ａを含む家電機器ＥＥ側に対する直接的な遠隔操作はできないようにしてある。これは家電機器ＥＥの中には、電熱調理器等のように高熱を発するもの（第２の特定家電機器ＳＰ２）もあるため、家屋の外から多くの人が利用する通信回路を経由して遠隔操作することは、安全面を考慮して採用していない。その代わり、全て電力指令装置７９を経由して家電機器ＥＥの操作が可能となるようにしている。なお、家屋７０の内部では、情報通信端末機器４５はＴＶ受像機７５のみを無線通信で遠隔操作できるように制限してある。遠隔制御の内容は後で詳しく説明する。情報通信端末機器４５は、空気清浄機Ａの主電源ＯＮ−ＯＦＦや空気清浄運転の開始、停止等は行えないようになっている（ＮＦＣ入出力部２０を介しての情報の授受はできる）。
【０１８９】
図１６は、本実施形態１の家電機器の運転管理システムが適用された電力指令装置５を中心に示したブロック図である。この図１６において、７９Ａは、前記電力指令装置７９の本体で、外形は箱形状をしている。この本体７９Ａの内部には、１つの家庭で使用できる電力使用限度を設定する設定器や、家電機器ＥＥと電力上限値（家庭内で使用できる総電力）との差を判定する比較器、強制的に電力を削減する場合に、削減すべき家電機器の優先順位の設定手段、及びこれら各構成要素を制御する制御部９４が全て格納されている。
【０１９０】
図１６において、９５は、電力指令装置７９の本体７９Ａの正面に設けた表示盤で、使用者が自由に持ち運びできる大きさ、重さになっている。９５Ａは、その表示盤９５の表示画面である。
【０１９１】
９６は本体７９Ａに内蔵された記憶装置（大容量メモリー）で、例えばＤＶＤ記録装置や各種半導体メモリー、又はハードディスクドライブ装置（ＨＤＤ）等である。また、表示盤９５の表面は、例えばタッチ式パネルで構成されており、電力制御や居住空間ＨＡの気温や湿度等の環境関係の情報を表示する表示部としての機能と、画面に触れることにより使用者からの入力が行われる操作入力部９７としての機能とを有している。この操作入力部９７を操作することにより、電力指令装置７９における前記した使用限度設定器の上限電力値や削減すべき家電機器の優先順位の設定が行える。
【０１９２】
図１６において、９１Ａ、９１Ｂ、９１Ｃは、無線通信を行うための送受信部であり、以下、単に「入出力部」と呼ぶ。１つの入出力部９１Ａは、前記空気清浄機Ａを含む各種家電機器ＥＥと無線通信を行うためのものである。入出力部９１Ｂは、前記ルーター８６Ａと無線通信を行うためのものである。９１Ｃは、ＴＶ受像機７５と無線通信を行うためのものである。なお、この実施の形態１では、これら送受信部９１Ａ、９１Ｂ、９１Ｃで使用する無線は、ＩＥＥＥにより策定された、広く普及している無線ＬＡＮ関連規格の一つである「国際標準規格ＩＥＥＥ  ８０２．１１ｂ」で定める２．４ＧＨｚのＩＳＭ帯と呼ばれる周波数帯域を利用している。実際の使用中心周波数は２．４１２ＧＨｚ（２４１２ＭＨｚ）〜２．４７２ＧＨｚに設定されている。
【０１９３】
なお、各家電機器ＥＥには、通信機能を内蔵させずに、通信用アダプター１００（図１８において説明する）を１つずつ設置しても良い。前記通信用アダプター１００も、上記した２．４ＧＨｚの周波数帯域を利用している。
【０１９４】
図１６において、９８は、ＮＦＣのための無線入出力部である。これは、図１０に示している前記情報通信端末機器４５の無線通信部（ＮＦＣ無線入出力部）４８Ｂが所定の距離（約１０センチメートル）まで接近した場合に、情報の授受が行える通信確立状態となり（１つの通信セッションの開始となる）、情報の授受が行えるための入出力部となる。
【０１９５】
前記無線入出力部９８は、電力指令装置７９における表示盤９５の操作入力部９７の直ぐ近くの下方に、常時「ＮＦＣ」の文字を表示して設けてある。これにより、無線入出力部９８の設置位置が明確になるようにしてあるから、情報通信端末機器４５の無線通信部（ＮＦＣ無線入出力部）４８Ｂを接近させることが容易にできる。
【０１９６】
ＴＶ受像機７５は、外部機関８７Ｂから緊急的な情報、例えば夏場の日中において、この家庭の総電力量の上限を早急に削減（いわゆる「ピークカット対応」）して欲しいという要請情報がＴＶ受像機７５に届いた場合、あるいは緊急地震情報が気象庁や居住地域を担当する地域の防災センターや地震警報センター等から届いた場合等に、それら情報をこの居住空間ＨＡにいる居住者が早期に知ることができる。なお、ＴＶ受像機７５を視聴していない場合であっても、緊急遮断情報が発信された場合、当該情報で起動され、情報を報知するようにしたＴＶ受像機は従来から色々提案されているので、ここでは具体的な説明を省略する。
【０１９７】
電力指令装置７９の電力関連情報、例えばその時点における家庭内の総電力使用量や、外部から電力削減要請を受けていることを示す情報等を、前記電力指令装置７９の表示画面９５Ａで表示するのではなく、居住者が集まっている居間等の居住空間に設置されているＴＶ受像器７５で表示させることができる。
【０１９８】
９４は、前記したように、３つの無線通信用の入出力部９１Ａ〜９１Ｃや、表示画面９５Ａを集中的に制御する制御部である。またこの制御部９４は、後述するように、家電機器ＥＥに対して、電力削減要請信号ＡＳ２、電力削減指令信号ＡＳ３の送信を指令する。前記空気清浄機Ａは、この実施の形態１においては、消費電力を削減すべき対象機器ではない。つまり「第１の家電機器」ではないので、電力指令装置７９の入出力部９１Ａから前記電力削減要請信号ＡＳ２、電力削減指令信号ＡＳ３を受信することはない。
【０１９９】
前記制御部９４には、電力制御関係で専用の「第１の記憶部」となる第１のメモリー９９Ａを保有しており、ブレーカーＢＫに設定された総電力量上限値の情報や、各種家電機器ＥＥの消費電力量を制限するための電力量上限値のデータ、さらには居住者毎に設定された電力上限値等の情報が、それぞれ記憶されている。
【０２００】
また制御部９４には、空気清浄機Ａの関係で、特に使用場所データ等を格納するために「第２の記憶部」となる第２のメモリー９９Ｂを保有している。
この第２の記憶部９９Ｂには、空気清浄機Ａの運転中において、空気清浄機Ａが使用された居住空間７１における環境情報又は環境データ（例えば、気温、湿度、臭い、単位体積あたりの埃の数）が、その運転時間と対になって時系列で記録される。「臭い」データの代わりに、臭気強度という環境情報を記憶させても良い。
例えば、運転時刻が２３時１０分であった場合、それから１０分ごと（居間７１Ａの場合、キッチン７１Ｂでは５分毎）に環境検知部１０３（後述する）によって取得された気温と湿度の環境データが、その時刻情報と共に順次記憶される。従って環境データに基づく「環境快適度」等の「環境情報」の生成も可能となる。
【０２０１】
なお、前記入出力部９１Ａは、電力指令装置７９がインターネット経由で入手した各電気機器ＥＥの動作プログラム改善用の特定のコンピュータ・プログラムソフトウェアを読み込む際に使用される。
【０２０２】
図１６において、１０３は前記環境検知部である。この環境検知部は、前記複合センサー８０、温度・湿度センサー８１、温度センサー８２、臭気センサー１０７、塵埃センサー１４０で測定された温度や湿度等の情報を受け取る。８４は、人感知センサー８２、８３の人感知情報を受け取る人感知部である。
【０２０３】
前記環境検知部１０３には、各居住空間７１の中に、それぞれ照度センサー（図示せず）を設置している。その照度センサーは、居住空間が明るいか暗いかを見分けるためのものであり、例えば前記人検知部１０５が、ある居住空間７１に人がいないと判断している状況で、照度センサーが明るい状態であることを示している場合、居住者が照明器具７７Ａを点灯したままの状態であることを忘れている可能性が考えられる。そこでこのような場合は、電力指令装置７９の制御部９４は、その時点での総電力使用量が使用限度設定器で設定された上限値よりも十分に余裕のある少ない量であったとしても、電気エネルギーの無駄を無くすという観点から照明器具７７Ａの消灯を使用者に（表示画面９５ＡやＴＶ受像機７５の表示画面を通じて）勧告する。その後、電力指令装置７９の制御部９４は消灯指令信号を当該照明器具に発する（但し、当該照明器具７７Ａを電力指令装置７９の電力削減対象機器になるように、接続しておくことが必要）。
【０２０４】
図１６において、１０４は在宅検知手段（「在宅検知部」ともいう）であり、前記人検知部１０５からの人の存在を検知しているかどうかの検知信号を受ける構成になっている。
また居住空間７１の共通した出入口である玄関（図示せず）の外側には、電気錠１０６が設置されており、その電子錠に入力された暗証番号や生体情報（例えば指紋情報）に基づいて、居住者が帰宅したことを検知する個人認証手段（図示せず）を備えている。この個人認証装置では居住者からのパスワードの入力に基づいて、居住者であるかどうかを判定するが、その判定結果を前記在宅検知手段１０４に送信する構成になっている。
【０２０５】
玄関のドアを電子的にロックしている前記電子錠と個人認証手段については、既に多くの構成例が提案されているので詳しく説明しないが、本実施の形態１においては、各居住者（例えば居住者Ａ〜Ｄの４名）にそれぞれ固有のパスワードが割り当てられている。全ての居住者には「４桁の（共通の）数字の後に、個人別数字２文字」というルールでパスワードを決めるように指示されている。居住者Ａのパスワードは「１２３４０１」、居住者Ｂのパスワードは「１２３４０２」、居住者Ｃのパスワードは「１２３４０３」となっている。なお、このパスワードは、玄関ドアの電子錠の所に設置してある１０個の入力キー（テン・キー）で入力する。
【０２０６】
前記パスワード入力して居住空間の中に入った後、玄関から逆に外に出る際には、パスワード入力は必要ないが、前記人検知部１０５が、所定の時間（例えば３０分間）に亘って全ての居住空間７１から人の存在を検知できない場合は、在宅検知手段１０４が、全ての居住者が外出しているものと判断し、それまでに入力した全ての居住者のパスワード入力記録を取り消し、在宅状態から留守状態へ検知情報を変更する。
【０２０７】
この後、居住者が帰宅した場合は、再度パスワード入力が必要となる。なお、玄関から外出する際に、各居住者が外出することを前記個人認証装置にインプットするようにすれば、更に在宅状態の検知は正確になる。また前記したように、パスワードの入力を省略するため、生体情報（例えば指紋情報）から、居住者が帰宅したことを検知する手段に変えたり、居住者が保持している固有の身分証やＩＤカード等に記録された個人特定情報を、磁気的又は光学的手段で個人認証装置に直接読み込ませたりするという方法でも良いが、詳しい説明は省略する。
【０２０８】
図１６に示した表示盤９５の表示画面９５Ａでは、前記環境検知部１０３が判定した環境関係のデータを、前記情報通信端末機器４５のＮＦＣ入出力部４８Ｂから読み出すことができる。つまり、仮に空気清浄機Ａの無線通信部（第２の入出力部）３５と電力指令装置７９の入出力部９１Ａとの間で、無線通信ができない状況（例えば一時的な通信障害）であっても、空気清浄機ＡのＮＦＣ入出力部（第１の入出力部）２０と、情報通信端末機器４５のＮＦＣ入出力部４８Ｂとの間で情報の授受ができる。
同様に、その他家電機器ＥＥと電力指令装置７９の入出力部９１Ａとの間で、無線通信ができない状況（例えば一時的な通信障害）であっても、情報の授受が行える。
【０２０９】
空気清浄機Ａの運転結果（例えば、累積運転時間や、運転モード、あるいは異常発生で停止した状態）のデータが、情報通信端末機器４５で取得できることから、情報通信端末機器４５を家屋７０の外部に持ち出して、遠隔地でそれらデータを専門家（例えば医師や空気調和専門家等）に見て貰って質の良い空気調和、空気清浄の助言を得たり、そのデータを加工したりして、帰宅後に、空気清浄機Ａに読み込ませ、その後の運転に利用するという便利な利用方法も可能となる。
【０２１０】
ＴＶ受像機７５の表示画面で表示できる情報と、表示盤９５の表示画面９７Ａで表示できる情報とは、基本的に較差はない。つまり電力指令装置７９の「動作情報」、環境検知部１０３の「環境情報」は、ＴＶ受像機７５の表示画面でも表示盤９５の表示画面９７Ａでも、同様に表示可能である。但し、ＴＶ受像機７５では、通常２０〜６０インチの画面サイズであるのに対し、表示盤９５の表示画面９７Ａの画面サイズは、１０〜１５インチ程度と、数分の１以下と狭いので、全く同じ内容が同じ大きさで表示される訳ではない。当然ながら表示される文字のサイズは小さくなるが、前記した居住空間７１の温度・湿度表示情報や各種環境情報は、何れも表示される。
【０２１１】
以上説明した構成により、ＴＶ受像機７５の表示画面と表示盤９５の表示画面９７Ａとの間で、表示される情報の齟齬が生じないようにして、キッチンでも居間でも同じ（電力関連情報、環境情報等の）情報を確認できるようにしている。なお、これら各種情報の表示画面９７Ａでの表示は、前記制御部９４の第１の記憶部９９Ａに格納した表示用制御プログラムによって実行される。
【０２１２】
本発明の（空気清浄機を含む）家電機器の運転管理システムは以上の構成であるので、前記空気清浄機Ａや、空気調和機７６は、電力指令装置７９の本体７９Ａとの間で、無線信号によって電力削減指令や運転状態報知等の通信を行っている。但し、空気清浄機Ａは、電力削減指令信号は受けない。
前記空気清浄機Ａからの異常監視データや識別情報は、その空気清浄機Ａの入出力部３５と入出力部９１Ａとの間の無線通信を利用して、電力指令装置７９の本体７９Ａ側へ送信され、最終的には当該本体７９Ａの中にある第２の記憶部９９Ｂに記録させる。
【０２１３】
これによって、仮に空気清浄機Ａの異常監視データの容量が大きく、情報通信端末機器４５が近距離無線通信（ＮＦＣ）によって当該データを読み込むまでに時間を要することが懸念される場合にも、迅速に異常監視データを電力指令装置７９は空気清浄機Ａから取り出すことができる。そして第２の記憶部９９Ｂに保存した異常監視データは、操作入力部９７からの操作によって、表示盤９５の表示画面９５Ａに表示させることができる。そのため、使用者は、手元に適当な情報通信端末機器４５がない場合でも、前記電力指令装置７９の表示盤９５を利用して異常の内容や推定原因、その他アドバイスを確認することができる。
【０２１４】
同様に、識別情報も本体７９Ａ側へ送信し、第２の記憶部９９Ｂに記憶させておけば良い。このようにすることで、仮に数年前に空気清浄機Ａを購入し、既に取扱説明書や保証書等の物的な書面、資料が手元に無い場合であっても、使用者はその空気清浄機Ａに異常が発生した段階で、異常の内容や識別情報を確認し、販売店やメーカ（製造業者やその委託を受けた業者等）に修理や点検を依頼する場合でも、的確に空気清浄機Ａに関する事実関係を伝達でき、早期に的確な対応をすることを可能にし、使用者だけではなく、販売店やメーカ側においても利便性が向上する。
【０２１５】
空気清浄機Ａ等の家電機器ＥＥの識別情報は、異常監視データとは異なり、常に変化するものではないので、１回だけ第２の記憶部９９Ｂに記憶できれば良い。従って、異常発生の都度、必ずしも識別情報を取得する必要はないが、古い記録の中から探す労力を減らすためには、異常が発生した場合に識別情報を空気清浄機Ａ側から提供することが望ましい。
【０２１６】
上記のように空気清浄機Ａから情報通信端末機器４５が異常監視データを直接受け取り、情報サーバー９０にその異常監視データを転送する方法では、空気清浄機Ａの周囲の環境データ（例えば、居住空間７１Ａの気温や湿度情報）や、電力指令装置７９から他の家電機器ＥＥに対して出していた電力制限動作等の指令情報が、情報サーバー９０に伝達できない。そこで、これを解決する方法として、電力指令装置７９が異常監視データを、前記「異常発生データ」に変更（データ充実化）して、情報サーバー９０に送る方法も実施できるように構成している。これについては、次の図１７を参照しながら説明する。
【０２１７】
図１７は、電力指令装置７９の制御部９４の動作を示すフローチャート図である。
空気清浄機Ａの空気清浄運転が緊急停止した情報が、入出力部３５と入出力部９１Ａを介して電力指令装置７９の制御部９４に届く（ステップ：ＳＹ１）と、制御部９４は、使用者が情報通信端末機器４５を介して外部に異常監視データの送信を設定しているかどうかを判定する（ＳＹ２）。
【０２１８】
情報通信端末機器４５を介して異常監視データを送信するように事前に設定してあった場合、制御部９４は、空気清浄機Ａに対して、情報通信端末機器４５が異常監視データを取得し、外部へ送信することを通知する（ＳＹ１０）。これに続いて、空気清浄機Ａに対して、その制御装置１９が把握している異常監視データを、情報通信端末機器４５がＮＦＣ通信で読み取ることを許可するように指令する（ＳＹ１１）。これ以降は、前記したように、情報通信端末機器４５が異常監視データを直接受け取り、情報サーバー９０にその異常監視データを転送することができる。なお、前記したように、空気清浄機Ａから、いつでも情報通信端末機器４５がＮＦＣ通信で異常監視データや識別情報を読み取ることができるよう、前記２つのステップ（ＳＹ１０）、（ＳＹ１１）は省略しても良い。
【０２１９】
一方、前記ステップＳＹ２において、異常監視データを情報通信端末機器４５経由で送信するよう事前に設定していない場合には、制御部９４は、環境検知部１０３に対して、最新の環境情報を取得するように指令し、環境検知部１０３は、空気清浄機Ａが設置されている居間や寝室等の居住空間７１の気温や湿度等の環境情報を取得して、制御部９４に送信する（ＳＹ３）。
【０２２０】
次に、制御部９４は、空気清浄機Ａが設置されている居間、寝室等において、他に運転中の家電機器がある場合、その運転情報を取得する。例えば、空気調和機７６が運転中であり、消費電力は１３００Ｗであること、また運転開始から１２０分経過していること、電力指令装置７９からは何の電力制限指令も出されていないこと、等の情報が取得される（ＳＹ４）。このような情報取得は、前記電力指令装置７９に対して、各家電機器ＥＥの設置位置の情報が登録されているため、可能となっている。同じ居住空間における家電機器は、電力指令装置７９側の制御部９４（第２の記憶部９９Ｂ）に保存されている「設置位置情報」を検索することで直ぐに分かる。
【０２２１】
次に、制御部９４は、空気清浄機Ａから受信した異常監視データに、環境データをセットにして情報サーバー９０に対して、異常発生情報を送信するための指令を出す。このデータ送信時には、前記した「同一居住空間における、他の家電機器ＥＥ等の運転情報」も送信する（ＳＹ５）。つまり、単なる異常を監視していて計測、取得されたデータそれだけではなく、異常が発生したことを電気機器側が一次判定したことを示す特別な識別コードも含め、「異常発生情報」としている。なお、異常発生情報が、１度の通信で送信できない場合には、複数回に分割して自動的に送信するようにしておいても良い。
【０２２２】
次に、制御部９４は、情報サーバー９０に送信した異常監視データ等の異常発生情報を、記憶装置９６の内部に、識別情報とセットにして記憶させる。これにより、上記情報サーバー９０への送信が、何らかの通信異常で失敗した場合でも、後日また電力指令装置７９としてデータを取り出し、再送信することができる。
【０２２３】
次に、制御部９４は、居間のＴＶ受像機７５が既に起動されているかどうかを判定する（ＳＹ１２）。居間で空気清浄機７５を使用中に、その使用者（就寝者）がその居間から離れて別の部屋（居住空間）に行っていることは想定し難いが、可能性としてはゼロではないので、人感知センサー８２、８３によって居住者が居ることが分かった居住空間にあるＴＶ受像機７５で、空気清浄機Ａの使用者や他の居住者へ、異常の発生を報知した方が安全性向上する。このためにこの処理（ＳＹ１２）がある。但し、空気清浄機Ａの異常発生タイミングが、深夜（２３時）から早朝（午前５時）の間である場合には、突然ＴＶ受像機２が起動されて画像や音声で報知されると、安眠妨害や他の居住者の不安感を招くおそれがあるので、上記のＳＹ１２の処理を受けて、ＴＶ受像機７５を起動するという後述の処理（ＳＹ７）は、深夜から早朝の間は省略される。
【０２２４】
次に、制御部９４は、ＴＶ受像機７５が既に起動されていた場合、その表示画面において、異常発生を警報文字やアニメーション等で速やかに報知する（ＳＹ８）。
【０２２５】
もしこのステップ（ＳＹ１２）でＴＶ受像機７５が起動していない場合は、電力指令装置７９の制御部９４は、ＴＶ受像機７５に、起動指令信号を送り、ＴＶ受像機７５を起動する（ＳＹ７）。そして異常発生を警報文字やアニメーション等で速やかに報知する（ＳＹ８）。
【０２２６】
次に、制御部９４は、空気清浄機Ａから受信した異常監視データと、環境データとをセットにして、異常発生情報を（情報サーバー９０に向けて）送信するよう、入出力部９１Ｂへ指令を出す。またこのデータ送信時には、前記した「同一居住空間における、他の家電機器ＥＥ等の運転情報」も送信する（ＳＹ９）。以上で電力指令装置７９により情報サーバー９０への異常発生情報の送信動作を終える。
【０２２７】
この図１７に説明した機能は、例えば子供や高齢者が自宅の寝室で空気清浄機Ａを使用中に、もし異常が発生した場合でも、その異常の発生を子供の親や高齢者の介護者等が保有している情報通信端末機器４５で確認でき、またその使用場所と離れた居住空間のＴＶ受像機７５でも知ることができるので、居住者の安全性や安心感を増大させることができる。
【０２２８】
実施の形態１の変形例．
図１８は、本発明の実施の形態１の変形例を示したものであり、本発明に係る家電機器の運転管理システムで使用される通信アダプター１００、電力指令装置７９及び家電機器の全体構成を示すブロック図である。図中、前記実施の形態１のものと同一又は相当部分には同一符号を付してある。
【０２２９】
図１８における家電機器の運転管理システムは、実施の形態１のものと基本的構成は同じである。但し、電力指令装置７９の制御部９４と、空気清浄機Ａ含む家電機器ＥＥとの間は、直接情報の授受ができず、介在物として別個の通信アダプター１００を使用している点が大きく異なっている。また、空気清浄機Ａは、「第１の家電機器」と定義されており、電力指令装置７９から電力削減指令信号ＡＳ３等を受ける可能性がある点で、実施の形態１とは大きく異なっている、
【０２３０】
前記「通信アダプター」１００とは、個々の家電機器とその電源との間に設けられる通信制御機器をいう。例えばここでいう通信アダプターとは、特開２０１０−２８８３８８号公報に示されるような通信アダプターをいい、電源プラグとコンセント（接続口）又は端子を有し、そのコンセント又は端子に通電を制御すべき電気機器を接続する。そして電力指令信号を通信アダプターが無線や有線通信手段によって受け取ると、制御すべき家電機器の電源供給を制限し、又は遮断する。このように既存の家電機器に通信アダプターを接続し、その通信アダプターに電力制御装置７９から電力指令信号を送り、その信号によって通信アダプター１００が家電機器を制御するので、既存の家電機器にも通信アダプター１００を電源側に介在させることで、電力指令装置７９によって電力を集中制御できる利点が得られる。
【０２３１】
通信アダプター１００は、電力指令装置７９の入出力部９１Ａに無線で接続される入出力部１１０と、通信アダプター１００自身の制御を行う制御部１１１と、通信アダプター１００が制御対象とする空気清浄機Ａの通電制御を行うための制御プログラム及び制御用データを格納したプログラム格納部１１２と、空気清浄機Ａの制御装置１９に所定の信号ケーブルで接続された入出力部（インターフェース部）１１３、とにより構成されている。
【０２３２】
前記通信アダプター１００は、空気清浄機Ａとは別に直接電源線（主幹線）７４に接続され、その電源線から電力を得る方式で良いが、空気清浄機Ａの電源回路２６に、コネクタ等の接続手段で接続し、電力を得る方式でも良い。電源線７４に直接接続したものでは、空気清浄機Ａの主電源スイッチを開放（切断）しても、常に通信アダプター１００には電力が供給されるから、空気清浄機Ａの運転中、主電源切断中の何れにあっても電力指令装置７９との通信を実行することができる。
【０２３３】
この図１８に示した変形例では、空気清浄機Ａ以外の家電機器ＥＥにも、それぞれ前記通信アダプター１００と同様な構成のアダプター（図示せず）が設置されている。このため、１つの家庭内、居住空間等で複数の通信アダプター１００が同時に使用されることから、各通信アダプター１００には、各通信アダプター固有の識別番号（通信アダプターＩＤ）が付けられており、電力指令装置７９の側から見て、通信相手の特定の通信アダプター１００だけを識別できるようになっている。
【０２３４】
１つの通信アダプター１００は、空気清浄機Ａの本体１Ａの外郭となる本体ケース（箱体）に直接固定し、又はそのような本体１Ａと信号用ケーブル等で接続し、その本体の近傍に設置されて使用されるようになっている。またこの通信アダプター１００があることから、実施の形態１における空気清浄機Ａで備えていた無線通信用の入出力部３５は、空気清浄機Ａ側で不要となっている。なお、実際には、空気清浄機Ａをメーカが販売する場合には、この通信アダプター１００をセットにして同時に販売している。
【０２３５】
この変形例においては、実施の形態１のように、空気清浄機Ａに異常が発生したことが制御装置１９によって判定されると、直ちに空気清浄機Ａの動作を緊急停止するため、ヒーター２２と、モーター１３を緊急停止する。そしてこれら緊急停止を示す信号を、前記通信アダプター１００から電力指令装置７９に送信し、その後、制御装置１９で空気清浄運転中に連続的に取得していた監視データが、通信アダプター１００から電力指令装置７９に送信される。
【０２３６】
この変形例によれば、通信アダプター１００が、電力指令装置７９との間で各種信号を授受できる。
しかも、空気清浄機Ａの中に、前記した通信アダプター１００のような機能を組み込んで製造する必要がないので、空気清浄機Ａ自体のコストを低く抑えることができる。つまり、この通信アダプター１００は、空気清浄機Ａの特定モデル専用に設計されたものでなくとも良く、他の家電機器ＥＥにも（前記プログラム格納部１１２の記憶内容を入れ替えること等で）広く利用することができるので、多数の家電機器ＥＥを使用する１つの家庭でも、全体の設置費用を抑制できるという効果もある。
【０２３７】
実施の形態２．
図１９〜図２２は、本発明の実施の形態２を示すもので、図１９は、空気清浄機Ａの操作部を示す平面図である。図２０は、同じくその空気清浄機ＡとＮＦＣ通信によって情報の授受を行える情報通信端末機器を示す正面図１、図２１は、同じく情報通信端末機器を示す正面図２である。なお、実施の形態１と同一又は相当部分は同一符号を付け、重複した説明は省略する場合がある。
【０２３８】
図１９において、８ｂは、空気清浄機Ａの操作部８に設けた表示部（表示画面）であり、その表示部は、液晶表示画面１１６と、この液晶表示画面の上面全体を覆うガラス板（図示せず）に使用者のタッチを（静電容量の変化で）検出する複数の透明な検知電極（図示せず）を貼り付けたり、蒸着させて定着させたりして構成したタッチ検知部とを具備している。
【０２３９】
前記ガラス板の上面（表面）には、物理的な構造物としては現れないが、後述する各種アイコン１１５が、前記液晶表示画面１１６の表示によって視覚上で認識できる。そのガラス板自体の特定部分が発光したり、画像を発生させたりする訳ではないが、以下の説明では、このように表示部８ｂの上のガラス板に、文字や図形、その他の情報が表示されることを、視認する使用者の立場に立って、「表示画面に表示」という表現を使う。
なお、ここでいう「アイコン」とは、所望の入力を行うことができる。つまり、個々のアイコン部分には、静電容量検知型のキーが配置される。アイコンの存在と機能を表示するため、特定の機能が（少なくとも入力を受け付け可能な状態では）文字や図形で表示される。後述する図２８の例のように、「健康管理情報」というように、文字で目的・機能を表示しただけの入力表示部（「タブ」又は「見出し」と呼ばれる場合もある）１７４もアイコンに含むものとする。
【０２４０】
前記液晶表示画面１１６は、図１９に示すように平面視が長方形である。
１１７は、使用者に操作の入力を促す情報を表示する第１の表示エリアで、図１９の例では、使用者に運転モードを選択するように文字情報が表示されている。
【０２４１】
図１９において、１１８〜１２１は、運転モードを選択するアイコンである。図１９に示した画面は、空気清浄機Ａの主電源スイッチ２５をＯＮにして使用開始する場合の最初の画面を示したものである。実施の形態１と同様に、この実施の形態２においても、空気清浄機Ａの「運転モード」とは、「自動運転モード」と、「手動運転モード」と、「急速脱臭運転モード」と、「強制的再生運転モード」の、４つがある。
【０２４２】
１１８は、「自動運転モード」の選択用アイコン、１１９は「手動運転モード」の選択用アイコン、１２０は、「急速脱臭運転モード」の選択用アイコン、１２１は、「強制的再生運転モード」の選択用アイコンである。
【０２４３】
１２２は、空気清浄機Ａの累積運転時間を表示する運転時間表示部である。この累積運転時間は、強制的再生運転モードによって前記脱臭エレメント１６全面が加熱され、脱臭機能の再生が図られた場合には、その時点でゼロに戻る。つまり、この累積運転時間の表示を見ることで、脱臭機能の再生後の運転時間を把握することができる。
【０２４４】
１２３は、空気清浄機Ａが、制御装置１９によって自動的、つまり強制的に脱臭機能の再生運転に入るまでの余裕時間を示す運転可能時間表示部である。この図１９の例では、あと累積運転時間が１０時間までは、強制的な脱臭機能の再生運転モードには入らないことが使用者には容易に分かる。言い換えると、運転時間表示部１２２と運転可能時間表示部１２３の２つから、脱臭エレメント１６の定格運転時間が、累積で６０時間であり、既に５０時間運転してしまったことが分かる。
【０２４５】
１２４Ａ〜１２４Ｄは、空気清浄機Ａを使用した場所（居住空間）の情報を、使用者が直接入力できるようにした４つのアイコンである。１２４Ａは、居間という使用場所情報を入力するためのアイコン、１２４Ｂは、居間１という使用場所情報を入力するためのアイコン、１２４Ｃは、居間２という使用場所情報を入力するためのアイコン、１２４Ｄは、まだ特定の居住空間が指定されていないアイコンである。このアイコン１２４Ｄの使用場所情報を定義する入力は、この空気清浄機Ａ自体で行え、また情報通信端末機器４５でも行えるが、詳しい説明は省略する。なお、以下の説明では、１２４Ａ〜１２４Ｄの４つの使用場所情報の入力用アイコンを総称する場合は、符号として１２４を用いる。またこれら使用場所情報の入力用アイコンは、実施の形態１における位置情報取得手段３８の（運転場所情報の）手動入力手段に相当する。
【０２４６】
１２５Ｆは、液晶表示画面１１６を切り替える（進める）ためのアイコンであり、次の画面を表示させる場合に使用される。１２５Ｂは、逆に１つ前の画面に切り替える（戻す）ためのアイコンである。図１９の状態は、最初の画面であり、前の画面に戻す必要もなく、また戻すことは不可能であるので、図１９では破線でアイコンの輪郭を示しているが、実際には、このアイコン１２５Ｂは表示されないので、使用者が仮にタッチしても、何の操作入力も行えない。
【０２４７】
図１９において、１２６は、空気清浄運転や、強制的な脱臭機能の再生運転の開始を指令するスタートスイッチ（スタートキー）に相当するアイコン、１２７は、前記した４つの運転モードによる運転を、使用者が任意の時点で停止させるための指令を与えるストップスイッチ（スタートキー）に相当するアイコンである。
【０２４８】
１２８は、インフォーメーション・キーであり、使用者がこれに触れると、その場面で使用者に参考になる有益な使用方法、特定の運転モードの運転条件（例えば、運転時間）などの情報が、この液晶表示画面１１６の中、例えば、前記第１の表示エリア１１７の中や、それとは別の位置に出現する特定の表示エリアにその都度表示される。
【０２４９】
１２９は、ヘルプモードキーであり、使用者がこれに触れると、その場面で使用者の操作に参考になる情報が表示されるとともに、音声ガイド装置８ｄによって、正しい操作方法が音声で報知される。なお、何度もこのキーを押した場合、この液晶表示画面１１６の中に、注意事項や更に詳しい操作手順等の情報が、模式図や文字等で表示される。なお、２０は、ＮＦＣ入出力部（第１の入出力部）であり、前記液晶表示画面１１６の外側で、かつ手前の位置にある。つまり、このＮＦＣ入出力部は、空気清浄機Ａ本体１Ａの上面に配置されており、使用者が操作部８を操作する場合に、容易にその設置位置が分かるようになっている。
【０２５０】
前記各種アイコン１１８〜１２１、使用場所情報の入力用アイコン１２４、インフォーメーション・キー１２８、ヘルプモードキー１２９、運転の開始・停止用のアイコン１２６、１２７は、常に液晶表示画面１１６の中に表示されるものではない。使用者の入力操作が必要になった場合に、必要なアイコンは表示され、不必要になった場合には、自動的に消える。これらの一連の表示動作は、制御装置１９が駆動回路４０（図７参照）を通じて実行している。
【０２５１】
実施の形態２の空気清浄機Ａは、使用場所情報の入力用アイコン１２４があるので、使用者は使用する部屋等を直感的に選定でき、目的の使用場所を示したアイコン１２４にタッチする。なお、例えば２つのアイコン１２４Ａと１２４Ｂが同時にタッチされた場合は、入力を無効とするようになっている。１つのアイコン１２４Ａがタッチされ、その後で別のアイコン１２４Ｂがタッチした場合には、最も新しい操作を有効と判断するようになっており、アイコン１２４Ｂの操作入力が制御装置１９に対して有効となる。
【０２５２】
この実施の形態であるから、実施の形態１ではステップＳ５６において、空気清浄機Ａを使用する場所（部屋）を特定する情報として、使用者が決めた識別の数字、例えば「居間」は「１」を、操作部８において操作ボタン８ａ１を押してインプットする必要があったが、この実施の形態では、「居間」を指定するには、居間であることが明示されたアイコン１２４Ａにタッチすれば良く、迅速に入力操作を終えることができる。そしてこの入力を完了しない限り、運転開始の指令を与えるアイコン１２６を表示した表示画面には進まない。なお、図１９では、アイコン１２５Ｆが破線で描かれていないが、図１９は、使用場所情報の入力用アイコン１２４が押され、アイコン１２５Ｆは入力可能状態であり、これをタッチすれば次の画面に進めることを示しているので、実線でアイコン１２５Ｆを示している。
【０２５３】
次に図２０について説明する。
図２０は、空気清浄機Ａの空気清浄運転が終了した後、その直後に、運転結果を情報通信端末機器４５で確認する場合の表示画面４６Ａの表示内容を示している。
【０２５４】
この場面の情報通信端末機器４５は、実施の形態１で説明したＮＦＣ通信セッションの確立により、空気清浄機ＡのＮＦＣ記憶部４３（第３の記憶部）に記憶されていた直前の運転データを読み取った状態である。
【０２５５】
図２０において、１３０は空気清浄運転が終了したことを確認する画面であることを知らせる文字情報である。この図２０に示している通り、表示部４６の表示画面４６Ａには、表示を希望する情報の種類を、３つの項目の中から１つ選択するように求める画面を生成している。１３１は、選択を促す文字情報である。
【０２５６】
この図２０において選択できる３つの情報とは、使用場所別の累積使用時間について情報と、空気清浄度（空気清浄運転の結果）に関する情報と、アドバイス情報である。
１３２Ａは、「場所別累積使用時間」という表示をした選択情報、１３２Ｂは、「空気清浄度」という表示をした選択情報、１３２Ｃは、「アドバイス情報表示」という表示をした選択情報である。
【０２５７】
図２０において、「場所別累積使用時間」という表示をした選択情報１３２Ａを入力操作部４７で選択した場合、図２１の画面表示に変化する。図２１において、１３３、１３４は、累積運転時間の情報を表示する画面であることを知らせる文字情報である。
【０２５８】
１３５Ａは、居間の累積使用時間を示した情報で、図２１では「５時間」となっている。１３５Ｂは、寝室１の累積使用時間を示した情報で、図２１では「４５時間」となっている。つまり、この空気清浄機Ａは、２つの居住空間で、合計５０時間運転されていることが分かる。
【０２５９】
なお、この実施の形態２では、空気清浄機Ａの運転中において、空気清浄機Ａが使用された居住空間７１における環境情報又は環境データ（例えば、気温、湿度、臭い、単位体積あたりの埃の数）が、その運転時間と対になって時系列で、記憶装置１９Ｒに記録される。記憶装置１９Ｒには、異常監視情報を記録した結果も記憶させてある。このため、情報通信端末機器４５では，前記した「空気清浄度」の選択情報１３２Ｂを選ぶ操作を行うことによって、空気清浄機Ａの臭いセンサー３６や埃センサー３７が検知した環境状況を、空気清浄機ＡからＮＦＣ入出力部２０を介して読み出し、表示部４６に随時表示させることができる。
【０２６０】
実施の形態３．
図２２〜図２４は、本発明の実施の形態３に関するものである。図２２は、統合管理装置（電力指令装置を兼ねる）７９を主体にした、家電機器の運転管理システムの構成図であり、空気清浄機Ａの運転管理システムを示している。図２３は、統合管理装置７９と、空気清浄機Ａの間における、各種指令信号や報知情報の授受を、時系列で示した説明図１である。図２４は、統合管理装置７９と、空気清浄機Ａの間における、各種指令信号や報知情報の授受を、時系列で示した説明図２である。なお、これら図において、実施の形態１と同一又は相当部分には同一符号を付して、重複した説明は極力省略する。
【０２６１】
まずこの実施の形態３の空気清浄機Ａの制御装置１９は、統合管理装置７９に対して、空気清浄機Ａを使用する居住空間の環境状態（例えば、埃や花粉の飛散量）を把握するために、空気清浄運転を開始する段階で、単位体積あたりの花粉の飛散量や、埃の量等のリアルなデータの提供を求めることができ、また居住空間が暗い場合又は夜間の時間帯では、後述する睡眠時間の判定データを求めることができる点が特徴である。
【０２６２】
実施の形態３の統合管理装置７９は、居住空間にいる居住者の入眠時刻、覚醒時刻等のタイミングを示す情報から実際の睡眠時間帯を把握できる機能がある。具体的には、図２２に示すように、睡眠判定部１０１を有している。この睡眠判定部１０１は、睡眠センサー１０２から、生体情報を定期的（所定の時間間隔）に受信して睡眠状態を判定する機能を有する。この生体情報とは、例えば居住者の就寝時（就床時）の生体の心拍、呼吸数、および体動の時間変化を示す情報であるが、これに限定されない。
【０２６３】
各種の睡眠検知手段や睡眠状態の判定技術が既に提案されており、例えば日本国特許公開２００７−１９９０２５号公報には、睡眠センサー付き身体装着装置及び睡眠報知制御方法が提案されている。また日本国特許公開２０１４−７３２３７号公報には、対象者の呼吸から睡眠状態を推定する睡眠モニタリングシステムが提案され、日本国特許公開２０１４−７０７６６号公報には、脚を具備するベッドと、脚に設置され脚に掛かる荷重を検出する荷重計と、寝室を空調する空調機と、荷重計にて検出された荷重の変動に基づき使用者の睡眠状態を判定し、使用者の睡眠状態に基づきエアコンの設定温度を決定する温度決定部と、寝室の温度が温度決定部によって決定され設定温度になるようにエアコンを制御する制御基板と、を備える、睡眠環境制御システムが提案されている。日本国特許公開２０１４−４２７７３号公報では、浅い睡眠から深い睡眠へと遷移する際に最適な制御を行い、利用者に違和感を与えることなく浅い睡眠から深い睡眠へと誘導することができる睡眠環境温度制御装置が提案されている。その他として日本国特許公開２０１３−２１３６４２号公報では、就寝者に快適な睡眠環境を提供可能な室内環境制御システムが提案されている。
本発明の本実施の形態３における睡眠判定部１０２は、上記したような各種方式、構成の技術が適用できる。
【０２６４】
次に、図２３の各動作Ｔ１〜Ｔ１２について説明する。
使用者が、空気清浄機Ａの主電源スイッチ２５をＯＮし（Ｔ１）、「お任せ（運転）モード」を選択すると、この選択結果を示す信号が空気清浄機Ａから統合管理装置７９に送信される（Ｔ２）。ここで「お任せモード」とは、実施の形態１における「自動運転モード」に相当するものであり、標準モードと、おやすみモード及び節電モードの３つのモードがある。空気清浄機Ａ自身が、臭いセンサー３６や、埃センサー３７を利用して、空気清浄機Ａが置かれた場所、居住空間７１の環境情報を常に所定時間間隔で監視し、空気清浄運転を開始したり、一時停止したり、あるいは送風用モーター１３の消費電力を抑制した「弱」運転に切り替えたりする等の動作を自動的に行うものである。なお、前記「節電モード」は、居住空間の空気中における花粉の飛散量や埃の飛散量が少ない場合には、自動的に運転が一時的に停止するものである。
【０２６５】
統合管理装置７９の制御部９４は、環境検知部１０３に対して、空気清浄機Ａの置かれた居住空間７１の環境データを取得するように指令する（Ｔ３）。すると環境検知部１０３は、環境センサー８０、８１、８２，８３、１０７、１４０を起動する。
【０２６６】
環境検知部１０３は、取得した環境データの中から、空気調和に関係するものとして、少なくとも室内気温・湿度・花粉飛散量、埃飛散量の各データを、空気清浄機Ａの置かれた居住空間７１の環境データとして制御部９４へ送信する。
【０２６７】
制御部９４は、入出力部９１Ａから無線で空気清浄機Ａの無線入出力部３５へ前記環境データを送信する（Ｔ５）。なお、ここで室内気温・湿度・花粉飛散量、埃飛散量の各データをそのまま送信しているが、空気清浄機Ａでは、そのような実際の生データの方が制御装置１９における処理に使いやすいからである。しかし、環境データではなく、それに評価係数等を掛けて評価指標等に変換した「環境情報」の形で送信しても良い。
【０２６８】
空気清浄機Ａでは、その入出力部３５から制御装置１９に届いた環境データは、制御装置１９の記憶部１９Ｒにおいて、時系列で、かつ居住空間７１別に記憶されて保存される（Ｔ６）。仮に取得した環境データから、埃や花粉の飛散量が多く、空気の汚染度が高くて、居住者には健康上、推奨できない状況であることが制御装置１９によって判明した場合、できるだけ迅速に空気を浄化できるような運転条件を選び、空気清浄運転を開始する（Ｔ６）。
【０２６９】
空気清浄機Ａは、空気清浄運転を開始し、その入出力部３５から統合管理装置７９の制御部９４に対して、空気清浄運転を開始したことを示す通知信号を送信する（Ｔ７）。
空気清浄機Ａでは、その制御装置１９によって、埃センサー３７や臭いセンサー３６等から送信されてくる検出データを所定の時間間隔（例えば１分間）で繰り返しチェックし、居住空間７１の空気の質の変化（この場合、空気浄化の改善度合い）を監視する。
【０２７０】
一方、前記環境検知部１０３は、空気清浄機Ａの置かれた居住空間７１の環境データを、その後も所定の時間間隔（例えば３分間）で取得し、前に取得した環境データと変化があった場合には、最新のデータとして入出力部９１Ａから無線で空気清浄機Ａの無線入出力部３５へ送信するように指令する（Ｔ８）。
制御部９４は、入出力部９１Ａから無線で空気清浄機Ａの無線入出力部３５へ前記環境データを送信する（Ｔ９）。
【０２７１】
空気清浄機Ａは、制御装置１９によって所定の時間（例えば、３時間）だけ空気清浄運転を継続して運転を終了するが、このような運転終了について、その入出力部３５から統合管理装置７９の制御部９４に対して、通知する（Ｔ１０）。
【０２７２】
空気清浄機Ａでは、Ｔ７の時点から空気清浄運転が停止するまでの時間を計測しているので、空気清浄運転が一時停止した場合にも、それまでの運転時間データは制御装置１９の記憶部１９Ｒに保存される（Ｔ１１）。
空気清浄機Ａでは、Ｔ７の時点から空気清浄運転が停止するまでの期間中、空気清浄度を監視している。すなわち、一旦空気清浄度が向上し、空気清浄運転を自動的に一時休止したあと、再びその居住空間の環境状況が悪化した場合を検知し、その場合には、空気清浄運転を再開してその旨統合管理装置７９へ報知する（Ｔ１２）。
【０２７３】
次に、図２４の各動作Ｔ１〜Ｔ１４について説明する。
この図２４は、使用者が、「お任せモード」の中の１つのモードである「おやすみモード」を選択した場合の動作を示している。
図２４のＴ８までは、図２３と同じである。
【０２７４】
図２４において、睡眠判定部は、空気清浄機Ａの設置された居住空間７１において、居住者の入眠状態を検知したとの判定データを空気清浄機Ａへ無線で送信する（Ｔ９）。すると、それまで通常の運転速度で回転駆動されていた送風用モーター１３は、空気清浄機Ａの運転音が最も静かになるように制御装置１９によって制御される。つまり、「おやすみモード」の中で最も静かな運転状態になる（Ｔ１０）。
【０２７５】
空気清浄機Ａは、制御装置１９によって所定の時間（例えば、５時間）だけ空気清浄運転を継続して運転を終了するが、このような運転終了について、その入出力部３５から統合管理装置７９の制御部９４に対して、通知する（Ｔ１１）。
【０２７６】
空気清浄機Ａでは、Ｔ６の時点から空気清浄運転が停止するＴ１１の時点までの時間を計測しているので、空気清浄運転が終了した場合にも、それまでの運転時間データ（この場合は、５時間）は制御装置１９の記憶部１９Ｒに保存される（Ｔ１２）。
【０２７７】
空気清浄機Ａは、制御装置１９によって、空気清浄運転の累積時間が所定時間（例：３０時間）になると脱臭機能回復動作を開始するようにプログラムされているが、前記Ｔ１２の段階で、そのような３０時間になった場合（この３０時間に近い時間、例えば２７時間の場合でも良い）、制御装置１９は、脱臭機能回復動作を指令する。具体的には、空気清浄機Ａが空気清浄運転を行っていない状態において、加熱ユニット１７に対して通電開始する（Ｔ１３）。当該通電により、加熱ユニット１７のヒーター２２が熱を発して脱臭エレメント１６の機能再生処理が行われる。そして当該加熱は、予め設定された時間だけ継続し、脱臭機能回復動作は終了する（Ｔ１４）。
【０２７８】
以上のように、この実施の形態３における空気清浄機Ａ及び運転管理システムは、空気清浄機Ａのある居住空間で使用者（居住者）か入眠したことを示す睡眠判定データを入手し、睡眠状態を妨げないように、空気清浄機Ａの運転モード、運転条件（送風用モーター１３の回転速度など）を自動的に制御装置１９が変更する。
このため、この実施の形態３においては、居住者が就寝時に空気清浄機Ａを使用する場合でも、その睡眠状態を妨げず、快適な睡眠となるように自動的に「おやすみモード」を適切に実行するから、使用者にとってより快適な使用環境が実現できるという効果がある。
【０２７９】
なお、睡眠センサー１０２と睡眠判定部１０１を１つのユニットで構成し、居住者の体や衣服、または寝具等に装着して、入眠データを統合管理装置７９に送信するように変更しても良い。
【０２８０】
また入眠データは、統合管理装置７９から自動的に空気清浄機Ａに提供されるようにした構成（図２４）ではなく、空気清浄機Ａから統合管理装置７９へ要求信号が届いた場合に、初めて睡眠判定部１０１を起動し、睡眠状態にあるかどうかを判定するように変更しても良い。
【０２８１】
なお、図２３と図２４に示す空気清浄機Ａの動作履歴は、制御装置１９の記憶部１９Ｂに、その日時情報、使用場所のデータと組にして格納される。一方、統合管理装置７９側でも同様に制御部９４の動作や、睡眠判定部１０１の判定結果を示す情報は、記憶装置９９Ｂの中に、その日時情報、空気清浄機Ａの使用場所のデータと組にして格納される。従って、これら何れの情報も、情報通信端末機器４５によって容易に取り出せるとともに、また操作入力部９７の操作に応じて液晶表示画面９５Ａに表示させることができるので、空気清浄機Ａの運転履歴や運転時間等の情報を、使用者が確認できる。
【０２８２】
以上の説明から明らかなように、この空気清浄機Ａでも、実施の形態１と同様の効果が期待できる。
さらに、睡眠状態を妨げないように、空気清浄機Ａの運転モード、運転条件（送風用モーター１３の回転速度など）を自動的に調整するから、居住者が就寝時にも快適に使用できる空気清浄機Ａを提供できる。
【０２８３】
第４の発明
以上の説明から明らかなように、この実施の形態４では、更に別の空気清浄機の運転管理システムを実施している。
すなわち、実施の形態４の空気清浄機の運転管理システムは、
居住空間から空気を吸引し、花粉や塵埃等の対象物を除去した後の空気を居住空間へ排出する機能を有し、居住空間内を移動可能な空気清浄機Ａと、
前記空気清浄機Ａと、第１の入出力部９１Ａを介して無線で通信する統合管理装置７９と、
前記統合管理装置７９に備えた無線通信用の第２の入出力部９８に対し、所定の指令信号を与える情報通信端末機器４５と、を備え、
前記空気清浄機Ａは、前記情報通信端末機器４５と通信状態が確立されるＮＦＣ入出力部２０を有し、かつ送風量が異なる複数の運転モードを選択できる操作部８を有し、
前記統合管理装置７９は、睡眠センサー１０２から入手した生体データから使用者（居住者）か入眠したことを判定する睡眠判定部１０１を備え、
前記空気清浄機Ａは、空気清浄運転中に、前記統合管理装置７９から前記入眠状態になったことを示す所定の通知を受けた場合、睡眠状態を妨げないように、空気清浄機Ａの運転モードを自動的に変更する制御装置１９を備えたものである。
【０２８４】
この構成の空気清浄機の運転管理システムによれば、空気清浄機Ａから累積運転時間やメンテナンス情報等の情報を情報通信端末機器４５で容易に取得できるとともに、居住者の入眠後の睡眠を妨害しないような空気調和運転に自動的に変更できる。このため、深夜の寝室等においても空気清浄機Ａを有効に活用できる。
【０２８５】
実施の形態４．
図２５〜図３０は、本発明の実施の形態４を示すものであり、図２５は、空気清浄機の移動用車輪部分と制御装置の概要図である。図２６は、空気清浄機を使用する家屋を模式的に示した平面図、図２７は、空気清浄機やその他家電機器が接続される電力制御システムで制御されるＴＶ受像機の画面例の概要図１、図２８は、図２７に示したＴＶ受像機の画面例の概要図２である。図２９は、図２７に示したＴＶ受像機の画面例の概要図３、図３０は、図２７に示したＴＶ受像機の画面例の概要図３である。なお、これら図において、実施の形態１と同一又は相当部分には同一符号を付して、重複した説明は極力省略する。
【０２８６】
図２５は、本発明の空気清浄機の移動用車輪部分と制御装置の概要図であり、前記車輪の回転量とその方向を検知して空気清浄機本体の移動方向と距離を計測する移動検出部を説明する図である。
図２５において、１４１は、ボール状の車輪（移動用ボール）であり、空気清浄機Ａの本体１Ａを支えるように支柱（図示せず）に回転自在に支持されている。この車輪は、パーソナル・コンピュータの入力用操作部として知られている「トラックボール」のように、球体であり、空気清浄機Ａの本体１Ａが家屋７０の床上を移動する場合に、円滑に回転する。空気清浄機Ａの本体１Ａの底部の少なくとも４隅に、１つずつ配置されている。なお、１つの車輪はこの図２５の構成を用い、他の複数個の車輪は、実施の形態１で示したような汎用の車輪４，６であっても良い。
【０２８７】
１４２は、１つの前記車輪１４１の上に設置された車輪カバーであり、縦断面形状が半円形であり、車輪１４１の上部表面に近接するように球面形状に形成されている。
１４３は、回転検出センサーであり、磁気感知式又は光学式のセンサーである。
【０２８８】
磁気式とは前記車輪が磁性体から形成されている場合、その回転によって発生する磁気を検知し、車輪１４１の回転を非接触で検知するものをいう。
光学式とは、前記車輪に対してレーザー光線等を当て、その反射光から車輪の回転を非接触で読み取るものをいう。
【０２８９】
１４４は、回転量と回転方向の判定回路であり、前記回転検出センサー１４３から送られてくるパルス状の信号を積算し、図２６に示すように平面上のＸ軸方向とＹ軸方向の回転量を制御回路１９が算出できるようにしている。なお、前記判定回路１４４と、回転検出センサー、制御回路１９は、電源コードを介して電源回路２６に電源を供給しなくとも（つまり、主電源スイッチ２５を閉じなくとも）、空気清浄機Ａの本体１Ａに内蔵した二次電池や補助電源回路によって電源が供給されるようになっている。つまり通常の空気清浄運転時では電源コードの先端のプラグを壁等の給電口に接続する必要があるが、この実施の形態４の空気清浄機Ａでは、そのような電源接続動作は不要である。但し、主電源スイッチ２５を閉じないと、空気清浄運転はできない。
【０２９０】
図２６は、空気清浄機を使用する家屋７０を模式的に示した平面図である。この場合の家屋７０とは、一般の家庭はもちろん、高齢者介護施設や病院の病室等であっても良い。
家屋７０は、第１の部屋７１Ｅ、第２の部屋７１Ｆ、第３の部屋７１Ｇ、第４の部屋７１Ｈから構成されている。
【０２９１】
図２６から明らかなように、家屋７０は、前記４つの部屋（居住空間）７１Ｅ、７１Ｆ、７１Ｇ、７１Ｈが１つの廊下１４５によって繋がっている。それら各部屋は壁７２Ａ〜７２Ｆによって区画されている。
【０２９２】
図２６の家屋７０の中に示したＰ１は、第１の場所（基準位置）である。この位置は、空気清浄機Ａを使用する使用者が最初に自由に設定できる。この図２６では、廊下１４５の左端部にある。
Ｐ２は、第２の場所である。Ｐ３は、第３の場所である。
【０２９３】
前記第１の位置〜第３の位置は、実際の家屋７０の床上等に何ら物理的に存在したものではなく、空気清浄機Ａの制御装置１９が、移動検出部としての機能を発揮するために、コンピューター・プログラムで描いたマップ（座標データ）の上の１つの点でしかない。
【０２９４】
以上の構成であるから、この空気清浄機Ａを使用する場合には、最初に第１の場所Ｐ１に空気清浄機Ａを配置し、その位置で、操作部８に設けた起点設定ボタン（「基準位置設定ボタン」ともいう）を押すと、空気清浄機Ａの制御装置１９は、その位置で、記憶装置１９Ｒに蓄積される使用位置データをリセットする。
【０２９５】
次に空気清浄機Ａを実際に使用する場所が第３の部屋７１Ｇであった場合と仮定して説明する。
空気清浄機Ａを第１の場所Ｐ１から第３の部屋７１Ｇの第２の場所Ｐ２に、廊下１４５を経由して床上を前記車輪１４１によって移動させると、その移動に伴う車輪１４１の回転と回転方向を示す信号が、前記回転検出センサー１４３からの信号を受けた判定回路１４４に送信される。例えば、前記車輪１４１の外周長さが２０ｃｍであった場合、この車輪１４１が２０回転すれば、それまでの回転検出信号を蓄積した結果、制御装置１９では走行距離は４ｍであることが分かる。
【０２９６】
そこで、第３の部屋７１Ｇの第２の場所Ｐ２で、空気清浄機Ａの主電源スイッチ２５をＯＮし、その場所で空気清浄運転を行うと、その第２の場所Ｐ２で行った空気清浄運転の運転モードや運転時間、日時等の情報がセットになって記憶部１９Ｒに記憶される。なお、運転時間は、空気清浄運転の終了を待って計算され、記憶される。
【０２９７】
空気清浄機Ａを次に使用する場所が第４の部屋７１Ｈであった場合と仮定して説明する。
空気清浄機Ａを第２の場所Ｐ２から第４の部屋７１Ｈの第３の場所Ｐ３に、廊下１４５を経由して床上を前記車輪１４１によって移動させると、その移動に伴う車輪１４１の回転と回転方向を示す信号が、前記回転検出センサー１４３からの信号を受けた判定回路１４４に送信される。そして制御装置１９では走行距離は、例えば第２の場所Ｐ２からＸ軸方向で、マイナス３ｍであることが分かる。
このようにして、空気清浄機Ａを色々な場所に移動して使用しても、その移動方向と移動距離が、最終的には前記第１の場所（基準点）を基準にして分かる。制御装置１９は、そのような移動方向と移動距離のデータを集計すれば、例えば１週間単位での空気清浄機Ａの運転時間と使用場所が分かる。
【０２９８】
この実施の形態４の空気清浄機Ａによれば、使用者が実施の形態２のように、使用場所においてその都度使用場所・位置を示す情報を制御装置１９に読み込ませなくとも良い。言い換えると、最初の基準点Ｐ１を設定するだけで、移動した距離と方向の座標データ（Ｘ軸とＹ軸の２軸で）が制御装置１９に蓄積できる。従って、その情報をそのまま数字や文字で表示部８ｂに表示させても良いが、座標データから平面図を自動的に作成し、その図面上に、累積運転時間等のデータを表示させても良い。
【０２９９】
次に図２７について説明する。図２７はＴＶ受像機の画面例とその操作説明図１である。
図２７において、ＴＶ受像機７５にはテレビ用ポータルサイトが表示された状態であって、リモコン７５Ｒに設けられた特定の電源ＯＮ用ボタンを１回押圧すると、ＴＶ受像機７５が起動され、液晶表示画面７５ＤにＴＶ用ポータルサイトを表示する。ここで、ＴＶ用ポータルサイトとは、主にインターネットへの接続機能を持ったＴＶ向けに様々なサービスを提供することを目的としたポータルサイトのことをいう。
【０３００】
図２７に示したように、ＴＶ用ポータルサイトには、例えば「ニュース」、「天気予報」、「交通情報」、「地震・津波情報」などの略方形の枠で囲まれたアイコン（オンスクリーン型の入力スイッチ）１５０によるポータルサイトのメニューが表示される。また、別のアイコンとして、「健康管理情報」と表示された特別アイコン１５１と、「電気エネルギー管理」と表示された特別アイコン１５２と、「すまいの環境情報」と表示された特別アイコン１５３が、それぞれ表示されている。これら３つの特別アイコンは、他の通常のアイコンよりも特別に目立つように大きく、また目立つ色で表示しても良い。なお、ここでいうアイコンとは、表示画面上に表示され、特定の機能の選択が行われるものであり、図形だけではなく、文字でその特定機能を表現している場合も含む。また図２８の例のように、「健康管理情報」というように、文字で目的・機能を表示しただけの入力表示部（「タブ」又は「見出し」と呼ばれる場合もある）１７４、１７５、１７６もアイコンに含むものとする。
【０３０１】
ここで、図２７に示したように、ＴＶ受像機７５の液晶表示画面７５Ｄに「電気エネルギー管理」と表示された特別アイコン１５２方向に向けて、リモコン７５Ｒの特定のボタン（入力決定ボタン）を押すと、リモコン７５Ｒが赤外線信号を発信し、それをＴＶ受像機７５が検知して「電気エネルギー管理」の画面を選択したことになるので、液晶表示画面７５Ｄには「電気エネルギー管理」と表示された専用の画面（図示していない）が表示される。
なお、リモコンからの赤外線信号が特定のアイコンのみに照射されて入力信号が発生するのではなく、リモコンで特定のアイコンを選択した上で、リモコンが赤外線信号を発したことが検知され、その選択されていたアイコンが選択されたことになる。このようなアイコン自体は周知であるので、詳しい動作原理の説明は省略する。
【０３０２】
一方、液晶表示画面７５Ｄに「健康管理情報」と表示された特別アイコン１５１に向けて、リモコン７５Ｒの特定のボタン（入力決定ボタン）を押すと、液晶表示画面７５Ｄには、「健康管理情報」と表示された専用の画面が表示される。
【０３０３】
一方、図２７に示した液晶表示画面７５Ｄに「すまいの環境情報」と表示された特別アイコン１５３側に向けて、リモコン７５Ｒの特定のボタン（入力決定ボタン）を押すと、液晶表示画面７５Ｄには、図２８に示したような環境情報専用の画面が表示される。
【０３０４】
図２７では、ＴＶ受像機７５のリモコン７５Ｒで、各種アイコン１５０、１５１〜１５３の選択を行っているが、家屋の中では、前記情報通信端末機器４５でも行えるようになる。情報通信端末機器４５から基地局９２を介して情報サーバー９０にアクセスすることができるようになっているから、前記情報サーバー９０にあるＴＶ受像機７５の制御用アプリケーション・ソフトウェアをダウンロードすれば、家屋７０の内部においてＴＶ受像機７５の制御に使用することができる。また前述したように、この実施の形態４においては、外出先等から情報通信端末機器４５によって家電機器ＥＥに対する直接的な遠隔操作はできないようにしてあるが、家屋７０の内部では、ＴＶ受像機７５以外の他の家電機器ＥＥの操作をできる。そのため、各家電機器ＥＥの入出力部に情報通信端末機器４５を接近させ（接触させても良い）、近距離無線通信（ＮＦＣ）で情報、指令信号の授受をさせることができる。
【０３０５】
図２７において、ＥＶ１は、環境確認用の指令スイッチ（図示せず）の押しボタン式操作ボタンであり、前記ＴＶ受像機７５の前面で、液晶表示画面７５Ｄの下辺近傍に設けてある。ＥＶ２は、前記ＴＶ受像機７５のリモコン７５Ｒの中に設けた環境確認用の指令スイッチ（図示せず）の操作ボタンである。これら２つの操作ボタンＥＶ２、ＥＶ３の何れか１つを押すと、ＴＶ受像機７５が起動していない場合は、起動し、その液晶表示画面７５Ｄでは、最初に後述するような各種環境情報を表示する画面（図２８又は図２９に示す）を表示し、後述するポータルサイト画面（図１１に示す）の表示を経ずに、家屋内部の全居住空間７１の環境状況を素早く確認できる。
【０３０６】
このように、この実施の形態４では、空気清浄機Ａを使用していない場合でも、使用者は自分の居る居住空間７１を含め、家屋７０内部の環境状況を随時確認できるから、ある部屋の掃除をした後のその部屋の塵埃の飛散量（空気清浄度）の確認や、来客を招く部屋の環境の事前確認、更には子供や幼児が単独で就寝している部屋の環境を、親が離れた場所から確認すること等、便利な使い方ができる。なお、統合管理装置７９の表示盤９５にも、これら２つの環境確認用の操作スイッチ（図示せず）の操作ボタンＥＶ１、ＥＶ２と同様な機能の操作ボタンＥＶ３（図示せず）が設けてあり、その操作ボタンを押せば、任意のタイミングで、液晶表示画面９５Ａに、家屋７０内部の環境状況を数値やグラフ等で表示させることができる。
【０３０７】
次に図２８において、１５４は、居間の環境情報を表示するエリア、１５５は、キッチンの環境情報を表示するエリア、１５６は、寝室の環境情報を表示するエリア、１５７は、浴室の環境情報を表示するエリアであり、この「住まいの環境情報」の表示画面を表示した際に、ＴＶ受像機７５のシステム制御部（図示せず）によって仮想的に形成される。仮想的とはエリア個々が物理的に独立したものではなく、システム制御部の制御プログラムによって液晶表示画面７５Ｄの画像表示エリアが、区分けされた状態をいう。なお、各表示用エリア１５４〜１５７には、対応する居住空間の名称が「居間」、「キッチン」等の文字で表示される。
【０３０８】
図２８において、１５８は、室内の気温または湿度の少なくも何れか一方を文字で表示した温度・湿度表示部、１５９は、居住空間７１が使用者の予め定めた室温と気温の範囲にある場合に現れる快適マークで、星型マークの３つが最高、２つが中程度の快適、１つは３段階の快適度の内の最も低い場合を示す。このマークに代えて文字で表示しても良い。このマーク１５９は快適性を示す情報の一種である。なお、この快適度は、使用者が何時での変更可能であり、例えば冬と夏、あるいは居住している地方の実情に合せて居住者が自由に決めることができる。なお、初期設定では気温２６℃、湿度５０％未満に快適（３段階）の範囲のデフォルト値が設定してある。
【０３０９】
１６０は、前記快適条件を外れるような気温と湿度であって、不快状態又はそれに近い状態にある場合に表示される注意マーク（表示情報）である。三角形のマーク１つは、「やや不快」、三角形のマーク２つは「不快」を意味する。このマーク１６０も快適性を示す情報の一種である。なお、日本では、気温と湿度で算出する不快指数を用いる場合がある。例えば、気温２９℃、湿度７０％で不快指数８０である。この不快指数が７５を越えると人口の１０％が不快に感じ、８０を越えると全員が不快になると言われているが、注意１６０を１つ表示する場合は不快指数７５未満、２つ表示する場合は不快指数７５以上、と定義して表示させるようにしても良い。
【０３１０】
前記三角形のマーク１６０が１つの場合は、「やや不快」、２つの場合は「不快マーク」であるとしているが、室温が３０度以上で、湿度７５％を超えた場合、不快指数は８０を超え、室内に居ても熱中症になる危険性がある。特に、熱中症の発症現場を見ると、６５歳以上の男性、女性とも室内が圧倒的に多いということが分かっている（参考文献：日本の環境省の「熱中症環境保健マニュアル」：２０１１年５月改訂版）。
【０３１１】
そこで、環境検知部１０３は、気温２９℃で、湿度７０％になった時点で「第１次警報」レベルの信号を前記制御部９４に送り、室温が３０度以上で、湿度７５％を超えた場合時点で「第２次警報」レベルの信号を制御部９４に対して送る。制御部９４は、人検知部１０５が何らかの居住者等の人の存在を検知している居住空間が、前記「第１次警報」を出された場合は、以下に示す「第１次警報」を出すための処理を行う。
対策１：統合管理装置（電力指令装置）７９の表示盤９５の表示画面９５Ａで警報出す。
対策２：ＴＶ受像機７５を視聴している状態であれば、その液晶表示画面７５Ｄに文字で警報出す。
【０３１２】
前記対策１、対策２の動作指令を出してから５分以内に、気温２９℃未満か、湿度７０％未満に改善されない場合は、当該居住空間７１にいる人が暑さを体感していない場合も想定されるので、この場合は、制御部９４は次に示す「第２次警報」を出すための処理をする。
対策３：当該居住空間にある環境改善機器の内、冷房能力（気温上昇抑制効果）のある空気調和機２を強制的に運転開始する（例えば、その時の室内目標温度は２７℃）。
【０３１３】
この実施の形態４で、空気調和機７６が第１の居住空間７１Ａにある場合とは、その居住空間の内部に装置自体があることは勿論含む。また居住空間の外部に装置自体があっても良いが、処理された空気が居住空間内へ供給される場合も含むものである。空気調和機７６が居住空間に無い場合又は電源コードのプラグが接続口から抜かれている等、運転不能であることが分かった場合は、他の環境改善機器（後述するが、例えば換気装置や空気清浄機Ａ等）を運転開始する。
【０３１４】
熱中症を防止するために室内の空気を対流させることも効果があることは知られている。そこで本発明の実施の形態では、居住空間７１の外にいる居住者に対して、環境状態が健康上で危険であることを報知する。具体的には報知情報は、統合管理装置７９の入出力部９１Ｂ（図２２参照）からルーター８６Ａを介して屋外の通信回路網（通信ネットワーク）８８に通信で送られ、居住者の情報通信端末機器４５に届くようにする。居住者が遠隔操作で統合管理装置７９を経由して空気調和機７６の運転を行うようにするが、これが出来ない場合には、近親者や介護ヘルパー派遣事務所などに連絡して直接居住空間に出向いて貰うこともできる。つまり、前記制御部９４は、前記第２次警報信号を受けてから所定時間内に気温と湿度が第１の所定値未満の状態に改善しない場合、居住空間７１の外にいる居住者に対して、環境状態が危険であることを報知する。この構成であるから、環境改善機器の使用に不慣れな高齢者や子供が１人で部屋にいる場合でも、その環境を前記検知部１０３が見守り、屋内居住空間７１での安全性を高めることが期待できる。
【０３１５】
また、環境検知部１０３は、「第１次警報」を出したかどうかに関係なく、室温が３０度以上で、湿度７５％を超えた場合時点で直ちに「第２次警報」を制御部９４に対して出す。制御部９４は、人検知部１０５が何らかの居住者等の人の存在を検知している居住空間が、前記「第２次警報」を出された場合は、前記した対策３の処理を指令する。対策３を指令してから以後１分経過毎に環境検知部１０３は、当該警報を出した居住空間の最新環境条件を計測して監視する。
【０３１６】
上記のように強制的に運転開始された空気調和機７６、空気清浄機Ａ等の環境改善機器は、居住空間７１の環境条件が、居住者の定めた所定の条件になった場合には、制御部９４が指令を出し、環境改善機器の運転を自動停止させる。あるいは環境改善機器の運転を３０分継続したら、自動停止させることでも良い。必要以上に運転すると省エネの観点から好ましくないからである。
【０３１７】
さらにこの実施の形態４では、熱中症の危険性がある居住空間に、空気調和機７６がないが、空気清浄機Ａがある場合には、前記した３つの対策と別に、次の対策をおこなう。
（４）対策４：当該居住空間にある空気清浄機Ａを強制的に運転開始する（その場合には、送風用モーター１３は、最大送風能力で送風するように制御を指令する）。この運転開始指令を出すには、空気清浄機Ａが、当該居住空間にあることを統合管理装置７９で把握しており、また空気清浄機Ａの電源コードが居住空間の電源接続口に接続されている必要がある。空気清浄機Ａが、当該居住空間にあることは、空気清浄機Ａが空気清浄運転を終えた時点でその位置情報を統合管理装置７９に送信していれば良い。あるいは、図１８に示したように、どの居住空間に設置しているかを統合管理装置７９側で把握している通信アダプター１００に空気清浄機Ａが接続されていれば良い。
何れにしても、空気調和機７６が居住空間にない場合の緊急的な代替手段として、熱中症を防止するために空気清浄機Ａを有効活用できる構成になっている。
【０３１８】
図２８において、１６１は、前記注意マーク１６０の近傍に文字で暑さ又は寒さを表示する寒暖表示部である。図２８では、寝室と浴室には、それぞれこの寒暖表示部として「暑い」と表示されている。
【０３１９】
１６２は、前記統合管理装置（電力指令装置）７９の人検知部１０５によって人がいないと判定された場合に表示される不在マーク（不在表示情報）である。図２８では、寝室と浴室には誰も居ないことがこの液晶表示画面７５Ｄによって容易に分かる。
【０３２０】
図２８において、１６３は、居住空間の空気に影響を与え、快適性を維持・改善できる機能を備えた家電機器ＥＥ、例えば空気調和機７６や、空気清浄機Ａ、換気装置（図示せず）等の「環境改善機器」の運転状況を示す第１の特定電気機器ＳＰ１の運転表示部である。なお、換気装置は図示していないが、ＩＨクッキングヒータ等のキッチン内家電機器ＫＰの真上の位置に設置されるフード付換気扇が代表的なものである。
【０３２１】
１６４は、居住空間が快適性高く、室内の運動に適しているかどうかを文字で表示する運動注意マーク（運動注意表示情報）である。このマークは全ての居住空間の表示エリア１５４〜１５７に表示させても良いが、少なくとも居住空間７１に前記統合管理装置（電力指令装置）７９に無線又は有線で情報を送信したい健康計測機器、例えば前記室内運動計測機器がある場合には、その機器のある居住空間の表示エリアには、前記運動注意マーク１６４が表示される。
【０３２２】
前記図２７〜図２８に示したＴＶ受像機７５の液晶表示画面７５Ａの構成、つまり表示される情報とその配置等は、表示盤９５の液晶表示画面９５Ａでも同様に表示される。但し、２０〜６０インチの画面サイズの液晶表示画面７５Ｄの有効表示面積に比較して、１０〜１５インチの画面サイズの表示画面９５Ａでは、数分の１以下と狭いので、全く同じ内容が同じ大きさで表示される訳ではない。当然ながら表示される文字のサイズは小さくなるが、前記した温度・湿度表示部１５８、快適マーク１５９、注意マーク１６０、運動注意マーク１６４、後述する変動表示部１７０、不適環境表示部１７１、花粉飛散量表示部１７２、運転表示部１７３は、何れも表示される。これによりＴＶ受像機７５の液晶表示画面７５Ｄと表示盤９５の液晶表示画面９５Ａとの間で、表示される情報の較差が生じないようにして、キッチンでも居間でも同じ情報を確認できるようにしている。なお、これら各種情報の液晶表示画面９５Ａでの表示は、前記制御部９４の表示用制御プログラムによって実行される。
【０３２３】
図２８において、１７４は、「健康管理情報」と表示された特別アイコン１５１と同様のタブ（アイコン）である。１７５は、同じく、「電気エネルギー管理」と表示された特別アイコン１５２と同様のタブ（アイコン）である。
１７６は、同じく「すまいの環境情報」と表示された特別アイコン１５３と同様のタブ（アイコン）である。
【０３２４】
図２８において、１７７は、表示画面を切り替えるためのアイコンであり、図２７のメニューページに戻る場合に選択する。
【０３２５】
次に図２９について説明する。この図２９は、図２８に示した環境情報の画面構成の変形例である。
この図２９において、特徴的な構成は、居住空間別に詳細な情報を見るためのアイコン１７８〜１８１を、４つの各表示エリア１５４〜１５７に、それぞれ設けていることにある。また前記第１の特定家電機器ＳＰ１の運転表示部１６３に加え、居住空間の空気に放熱してそれを高温化する可能性があるなどの悪影響を及ぼす可能性のある第２の特定家電機器ＳＰ２、例えば電気炊飯器の運転の状況を示す運転表示部１８２を設けたことである。
【０３２６】
図２９において、１７０は、温度又は湿度が所定の変化率以上変化（上昇又は下降）していることを示す変動表示部である。例えば２分間に気温が１℃以上上昇している場合、又は下降している場合には「上昇中」又は「下降中」とそれぞれ表示される。
【０３２７】
図２９において、１７１は、居住者の健康に適当ではなく、前記第１の特定家電機器ＳＰ１、つまり環境改善機器の運転によって改善できるような物理的環境にあることを示す不適環境表示部である。図２９では、空気中１リットル中に含まれる所定の大きさ（直径）以上の塵埃が所定数以上ある場合を示している。例えば、起床後に寝具を移動させたり、叩いたりした場合には一時的に埃が空気中に舞い上がって滞留している状態になるので、このような場合にはこの不適環境表示部に何らかの文字や記号等が現れる。この不適環境表示部１７１も、特定の居住空間の快適性を示す情報の一種である。
【０３２８】
図２９において、１７２は、家屋の外の空気中に飛散している花粉の量が多いかどうかを表示する花粉飛散量表示部であり、花粉アレルギーの人達にとっては外出を控えたりする判断材料にもなり、有益な情報である。なお、この花粉飛散量表示部の基礎データは、日本の気象庁やその他気象専門機関、ＴＶ放送局などから提供されるので、前記した花粉センサー８３（図１４参照）の情報に加え、あるいはその花粉センサー８３を設ける代わりに、それら外部機関からの情報を利用しても良い。そのような外部情報は外部機関８７Ａ、８７Ｂから統合管理装置（電力制御装置）７９又はＴＶ受像機７５が取得する。
【０３２９】
次に、図２９の表示画面の状態で、さらにリモコン７５Ｒを操作して、例えば前記アイコン１８０を選択すると、図３０に示すように寝室についての環境情報を示すための画面構成に切り替わる。
図３０において、１８３は、寝室に設置された換気扇（図示せず）が運転されているかどうかを示す表示部、１８４は、同じく寝室に設置された電気掃除機（自走式掃除ロボット）（図示せず）が運転されているかどうかを示す表示部である。この自走式掃除ロボットとは、使用者が運転開始指令を与えると、居住空間７１の内部で床上を自動的に移動し、移動しながら床上の塵埃を吸引することで掃除を行う機器であり、既に周知であるので、詳しい説明は省略する。
【０３３０】
１８５は、寝室に設置された空気調和機（エアコン）が運転されているかどうかを示す表示部である。１８６は、寝室においてある空気清浄機Ａが運転されているかどうかを示す表示部である。この空気清浄機Ａは、実施の形態１で示したように、居住者が床上を移動させることができる可搬性のものであるため、寝室から別の部屋に移動させて使用することもできる。
【０３３１】
１８７は、各居住空間の表示エリア１５４〜１５７において、居住者が快適に生活できるために有益となる情報を文字で表示する快適アドバイス情報表示部である。図３０では「空気清浄機が運転できます」と表示されているが、この表示の基礎となる情報は、統合管理装置（電力指令装置）７９が、環境検知部１０３で取得している居住空間（この場合は、寝室）７１の環境データに基づいて、以下の判断で自動的に行っている。
（１）寝室の埃の飛散量が多い。
（２）空気清浄機Ａが運転されていない。
（３）寝室に空気清浄機Ａが現在置いてある。
なお、この実施の形態４においても、実施の形態１と同様に、この空気清浄機Ａは、統合管理装置７９から見て、電力量が制限される対象機器ではなく、空気調和機７６の場合のように、統合管理装置７９が「電力指令装置」ではないが、仮にこの空気清浄機Ａが電力量の制限される対象機器であった場合には、前記した（１）〜（３）の判断要素・条件に加え、次の判断要素が加わる。
（４）ブレーカーＢＫの容量と現時点の家電機器ＥＥの総電力使用量との対比結果から見て、空気清浄機Ａを運転するだけの電力量の余裕がある。
なお、寝室の窓が開放されていて屋外の空気が流入するような状況になっているかどうかを検知する構成になっていた場合には、上記のように空気清浄機Ａの運転を推奨するようなアドバイス情報は出ない。特に図３０のように、花粉飛散量表示部１７２において花粉の量が多いと表示されている場合には、屋外の花粉飛散量が多いことが想像されるので、空気清浄機Ａを運転する場合には、窓を閉めるようにアドバイス情報が出る。これらの情報は、統合管理装置７９の制御部９４で行われる。
【０３３２】
１８８は、空気清浄機Ａを運転する場合に、選択されると空気清浄機Ａに対して運転開始指令信号が統合管理装置７９の制御部９４から、入出力部９１Ａを介して無線で出されるアイコンである。なお、この空気清浄機Ａは、統合管理装置７９から見て、電力量が制限される対象機器ではないが、空気清浄運転の開始と停止は、使用者の入力操作に応じて遠隔的に実行できるものである。
【０３３３】
１８９は、キッチンの環境情報を、図３０に示したように詳細に確認したい場合に、選択されるタブ（アイコン）である。１９０は、居間の環境情報を、図３０に示したように詳細に確認したい場合に、選択されるタブ（アイコン）である。１９１は、同様に浴室の環境情報を、詳細に確認したい場合に、選択されるタブ（アイコン）である。
【０３３４】
このように、この実施の形態４では、空気清浄機Ａから離れた場所においても、また空気清浄機Ａを運転していない状態でも、居住者は自分の居る居住空間７１を含め、家屋７０内部の環境状況を随時確認でき、しかも空気清浄機Ａの運転によって快適な環境にすることができる居住空間の情報が、ＴＶ受像機７５の液晶表示画面を通じてリアルタイムで入手できる。
また同様な情報は、統合管理装置７９の表示盤９５においても、ＴＶ受像機７５で表示したものと同等の情報を表示させることができる。
このように、この実施の形態４においては、家屋の中の各居住空間の環境情報をＴＶ受像機７５又は統合管理装置７９によって一元的に把握できるから、快適な居住空間を維持するために空気清浄機Ａを含む、環境改善機器ＳＰ１を有効に活用できるという効果が期待できる。
【０３３５】
なお、前記した実施の形態４では、居住空間７１の快適性の具体的指標について述べなかったが、初期設定を、気温２６℃、湿度５０％未満に快適の範囲を、デフォルト値として設定しておく案がある。
【０３３６】
一般的に、快適な環境を絶対的な数値で表現することは難しい。例えば快適性とは、ＡＳＨＲＡＥ（アメリカ暖房冷凍空調学会  １９９６年）によると、「環境条件への満足度を表す知覚の状態」と定義している。つまり、今よりも暑くなっても寒くなっても不快感をもたらすような環境条件を意味していると言える。このため、居住者が受ける印象は、必ずしも常に環境から受ける感じに対応している訳ではなく、居住者の気分や、体験、体調等でも変化する。
【０３３７】
そこで一般に「快適な室内環境（気候）」とはどのような状態であるのか、定義を述べると、例えばＩＥＡ（国際エネルギー機関）では、室内（部屋）における状態を次のように定義している。
（１）室内気温：冬においては２０℃前後であること。
夏においては２８℃前後であること。
（２）部屋の水平温度：一様であること。
（３）部屋の上下の温度差：３℃〜４℃以下であること。
【０３３８】
一方、家庭内の部屋やオフィスの空気調和機での設定温度は夏の冷房時で２８℃、冬の暖房時で２０度が、省エネルギーの観点から日本では推奨されているが、実際に人が快適と感じる室温は２５℃前後であるとも一般に言われている。
【０３３９】
従って、本発明の実施の形態４を実施する場合に、快適性を算出し、それを表示する場合には、家屋のある地域や居住者の年齢や性別等の種類のような、多様な前提条件で快適性の判断が変わる可能性があるので、居住者が例えば、快適性の「気温」を、適宜調整できるようにすると更に良い。また統合管理装置（電力指令装置）７９に電波時計等を内蔵させ、季節に応じて前記気温を自動的に変化させるようにしても良い。さらには、具体的には、居住者が快適と感じた段階で、ＴＶ受像機７５や統合管理装置（電力指令装置）７９又は情報通信端末機器４５、空気清浄機Ａで、快適と感じた時点を特定する信号を統合管理装置（電力指令装置）７９に入力し、統合管理装置（電力指令装置）７９がその入力受付時の環境情報（気温や湿度など）を、以後の快適性判定の基礎データに用いるようにしても良い。このような居住者の快適性に関係する情報の蓄積で統合管理装置（電力指令装置）７９による快適性判定は、居住者の認識、感覚に一層近いものにできる。
【０３４０】
以上の説明から明らかなように、この実施の形態４では、第３の発明に係る空気清浄機の運転管理システムを、以下の形態で実施している。
すなわち、実施の形態４の空気清浄機の運転管理システムは、
花粉や塵埃等の対象物を除去するフィルター１０Ｍと、空気吸引用のモーター１３とを具備し、臭いの除去機能を有した移動可能な空気清浄機Ａと、
前記空気清浄機Ａに対し運転開始指令信号を、無線通信用の第１の入出力部９１Ａを介して送信する統合管理装置７９と、
前記統合管理装置７９に備えた無線通信用の第２の入出力部９８に対し、所定の指令信号を与える情報通信端末機器４５と、を備え、
前記空気清浄機Ａには、前記情報端末機器４５と通信状態が確立されるＮＦＣ入出力部２０を有し、
前記統合管理装置７９は、前記第２の入出力部９８を介して通信状態が確立された前記情報通信端末機器４５から、前記空気清浄機Ａの、所定期間における累積運転時間、移動距離、移動の軌跡、運転回数、の少なくとも何れか１つの運転関連情報を読み出す制御部９４と、この制御部９４によって空気清浄機Ａから取得した前記運転関連情報を記憶させる記憶部９９Ｂと、この記憶部９９Ｂに記憶された前記運転関連情報を任意のタイミングで表示画面９５Ａに表示させることを指令する操作入力部９７、とを具備したことを特徴とするものである。
【０３４１】
この構成であるから、この空気清浄機の運転管理システムによれば、情報通信端末機器４５を通じて、空気清浄機Ａの累積運転時間等の運転関連情報を統合管理装置７９によって確認でき、また、使用者によって任意のタイミングでその運転関連情報を読み出して表示画面９５Ａで確認できる。このため、空気清浄機Ａの保守管理（メンテナンス）の利便性が向上する。
【０３４２】
第５の発明
以上の説明から明らかなように、この実施の形態４では、更に別の空気清浄機の運転管理システムを実施している。
すなわち、実施の形態４の空気清浄機の運転管理システムは、
居住空間から空気を吸引し、花粉や塵埃等の対象物を除去した後の空気を居住空間へ排出する機能を有し、居住空間内を移動可能な空気清浄機Ａと、
前記空気清浄機Ａと少なくともＴＶ受像機７５に対し運転開始指令信号を、無線通信用の第１の入出力部９１Ａを介して送信する統合管理装置７９と、
前記統合管理装置７９に備えた無線通信用の第２の入出力部９８に対し、所定の指令信号を与える情報通信端末機器４５と、を備え、
前記空気清浄機Ａには、前記情報端末機器４５と通信状態が確立されるＮＦＣ入出力部２０を有し、
前記統合管理装置７９は、居住空間の環境データを取得する環境検知部１０３と、この環境検知部１０３を介して取得した環境データを利用して前記空気清浄機Ａが置かれた居住空間の環境状況を判定する制御部９４と、この判定結果を示すデータを記憶させる記憶部９９Ｂと、を備えており、
前記制御部９４は、居住者の入力操作に応じて、前記ＴＶ受像機７５の表示画面９５Ａにおいて、前記記憶部９９Ｂに記憶された前記空気清浄機Ａが置かれた居住空間の環境状況を示すデータを、表示させる構成である。
【０３４３】
この構成の空気清浄機の運転管理システムによれば、空気清浄機Ａの置かれた居住空間の気温や埃の飛散量等の環境データを、その空気清浄機Ａからの検出データに依存しないで、統合管理装置７９が独自に取得し、統合管理装置７９が居住空間の環境の快適性を判定することができる。しかも、統合管理装置７９は、居住者の入力操作に応じて、ＴＶ受像機７５の表示画面９５Ａにおいて、空気清浄機Ａが置かれた居住空間の環境状況を文字や図形等の視覚的媒体で表示させるので、空気清浄機の使用者やその他居住者が、任意のタイミングで居住空間のその運転関連情報を読み出して表示画面９５Ａで確認できる。このため、空気清浄機を使用する居住空間の環境状況がＴＶ受像機で事前に確認でき、空気清浄機Ａを有効活用できる。
【０３４４】
実施の形態５．
図３１は、本発明の実施の形態５に係る空気清浄機を接続した統合管理装置の動作を示すフローチャート図である。なお、図３１において、実施の形態１と同一又は相当部分には同一符号を付して、重複した説明は極力省略する。
【０３４５】
この実施の形態５は、空気清浄機Ａの室内環境の信頼性を向上させ、また空気清浄機Ａやその他家電機器と無線通信を行い、環境情報を集中的に取得る統合管理装置（電力指令装置）７９による居住空間の環境監視精度も向上させることを目的としたものである。
【０３４６】
この実施の形態５では、実施の形態１と同じように、複合センサー８０、（屋外）温度センサー８２、温度・湿度センサー８１、花粉センサー８３、臭気センサー１０７、は、測定された温度や湿度を無線又は電気信号で電力指令装置７９の環境検知部１０３に送信する機能を有している。
【０３４７】
この実施の形態５では、それら環境センサーが統合管理装置７９へ環境した計測データを継続的に送信するタイミングを、居住者が居るかどうかで変化させ、また家電機器ＥＥの種類で変化させていることが特徴である。
【０３４８】
前記したように、居住空間内の空気の温度、湿度、質を改善する効果がある家電機器ＥＥを「第１の特定家電機器」（環境改善機器）ＳＰ１と呼び、室内の居住空間に熱を与えてしまう電熱加熱調理器等のような家電機器ＥＥを「第２の特定家電機器」ＳＰ２と呼んでいる。ところで、本発明の対象である空気清浄機Ａは、空気清浄運転を行っている場合に、前記第１の特定家電機器（環境改善機器）ＳＰ１に属するが、加熱ユニット１７のヒーター２２に通電を開始して脱臭エレメント１６の機能再生処理を行っている場合には、第２の特定家電機器ＳＰ２でもある。そこで、本実施の形態５では、空気清浄機Ａを第２の特定家電機器ＳＰ２であると分類して、以下詳細に説明する。
【０３４９】
図３１に示すフローチャート図で基づき、統合管理装置７９の動作を、スタート（ステップＳＸ１）から順次説明する。
統合管理装置７９は、空気清浄機Ａから図２３のＴ７時点のように、運転開始通知の信号を受け、空気清浄機Ａが実際に運転されたことを知る。なお、統合管理装置７９が、電力指令装置である場合には、空気清浄機Ａ側の事情ではなく、他の電気機器の電力使用量の増加等によって、家庭内の総電力使用量がブレーカーＢＫの定格容量に接近した場合、電力指令装置７９は空気清浄機Ａに対して電力削減要請信号ＡＳ２を出す。このような電力指令装置７９と空気清浄機Ａとの関係である場合、空気清浄機Ａからは、その主電源スイッチ２５がＯＮしたあとに、事前に使用したい希望の電力量を電力指令装置７９に通知して、運転開始の許可を求めるステップがある。この実施の形態５ではこのような、運転開始通知の信号を発する前に、希望の使用電力量を電力指令装置７９に通知することを「運転開始予告」と呼ぶ。この予告の信号を「運転開始予告信号」という。
【０３５０】
ステップ（ＳＸ２）において、統合管理装置７９が、空気清浄機Ａから運転開始通知の信号又は運転開始予告信号を受けた場合、次のステップ（ＳＸ３）に進む。
ステップ（ＳＸ３）では、前記運転開始通知の信号又は運転開始予告信号を送ってきた家電機器ＥＥが「第２の特定家電機器」ＳＰ２であるかどうかの判定が行われる。本実施の形態５では、空気清浄機Ａは第２の特定家電機器ＳＰ２であるので、このステップ（ＳＸ３）では「Ｙｅｓ」と判定され、次のステップ（ＳＸ４）に進む。
【０３５１】
ステップ（ＳＸ４）では、統合管理装置７９が、空気清浄機Ａの位置情報を取得しているかどうか判定する。何らかの事情で最新の位置情報を取得していない場合には、統合管理装置７９の入出力部９１Ａから、空気清浄機Ａの無線入出力部３５又は通信アダプター１００に対して位置情報を送信するよう指令信号を無線通信で送信する（ＳＸ７）。
【０３５２】
ステップ（ＳＸ４）で、統合管理装置７９が、空気清浄機Ａの位置情報を取得した場合には、次のステップ（ＳＸ５）に進む。ステップ（ＳＸ５）では、統合管理装置７９が、空気清浄機Ａの位置情報、通信アダプター１００からの位置情報から、空気清浄機Ａの最新の位置を特定し、人検知部１０５に指令して、その特定された居住空間に居住者が居るかどうかの判定を行う。そして人の存在が感知できたかどうかを判定する（ＳＸ５）。
【０３５３】
ステップ（ＳＸ５）で、人の存在が感知できない場合（例えば、家屋の中に居住者が居るが、別の居住空間に移動している場合）には、次のステップ（ＳＸ６）に進む。ステップ６は、環境検知部１０３の環境監視レベルを決定する監視レベル決定手段の１つである。
ステップ（ＳＸ６）では、第２の特定家電機器ＳＰ２の運転中に、居住者が近くに居ない場合であるため、危険度のレベルが最も高いと判定し、「危険度レベル：高い」を選択し、環境検知部１０３が、空気清浄機Ａのある最新の居住空間（例えば、居間７１Ａ）に配置されている各種環境センサーの内、温度・湿度センサー８１、臭気センサー１０７、塵埃センサー１４０、花粉センサー８３からの環境データを、１分間隔で求めるように動作する。これによって、空気清浄機Ａのある最新の居住空間（居間７１Ａ）では、温度、湿度、悪臭の発生、花粉の飛散量等が監視される。なお、臭気センサー１０７の種類によっては、衣類等の焦げた臭いも感知できるので、空気清浄機Ａが万一、ヒーター２２に通電を開始して脱臭エレメント１６の機能再生処理の途中で異常な高温になった場合等の場合には、それも統合管理装置７９が感知できる。そのため、空気清浄機Ａ以外の家電機器ＥＥの運転時の異常発熱事故や、その他可燃物の燃焼等の不測の事態も感知できる。
【０３５４】
一方、前記ステップ（ＳＸ３）の判定で、第２の特定家電機器ＳＰ２ではないとの判定が行われた場合、次のステップ（ＳＸ８）に進む。ステップ（ＳＸ８）では、統合管理装置７９が、家電機器ＥＥ（この場合は、空気清浄機Ａを含まない）の位置情報を取得した場合には、次のステップ（ＳＸ９）に進む。ステップ（ＳＸ９）では、統合管理装置７９が、家電機器ＥＥ（この場合は、空気清浄機Ａを含まない）の位置情報、通信アダプター１００からの位置情報から、その家電機器ＥＥの最新の位置を特定し、人検知部１０５に指令して、その特定された居住空間に居住者が居るかどうかの判定を行う。そして人の存在が感知できたかどうかを判定する。何らかの事情で最新の位置情報を取得していない場合には、統合管理装置７９の入出力部９１Ａから、家電機器又はその通信アダプター１００に対して位置情報を送信するよう指令信号を無線通信で送信する（ＳＸ１２）。
【０３５５】
ステップ（ＳＸ９）で、人の存在が感知できなかった場合には、次のステップ（ＳＸ１０）に進む。ステップ１０は、環境検知部１０３の環境監視レベルを決定する監視レベル決定手段の１つである。
ステップ（ＳＸ１０）では、危険度のレベルが「中程度」と判定し、「危険度レベル：中」を選択し、環境検知部１０３が、家電機器ＥＥ（この場合も、空気清浄機Ａを含まない）のある最新の居住空間（例えば、居間７１Ａ）に配置されている各種環境センサーの内、温度・湿度センサー８１、臭気センサー１０７、塵埃センサー１４０、花粉センサー８３からの環境データを、３分間隔で求めるように動作する。これによって、家電機器ＥＥ（この場合は、空気清浄機Ａを含まない）のある最新の居住空間（居間７１Ａ）では、温度、湿度、悪臭の発生、花粉の飛散量等が監視される。
【０３５６】
一方、前記ステップ（ＳＸ５）で、人の存在が感知できた場合には、前記ステップ（ＳＸ１０）に進む。そして危険度のレベルが「中程度」と判定され、「危険度レベル：中」で決まっている環境監視ルールに従い、環境検知部１０３は室内気温等の各種環境データの取得を、３分間隔で環境センサーに要求するように動作することになる。
【０３５７】
さらに前記ステップ（ＳＸ９）で、人の存在が感知できた場合には、次のステップ（ＳＸ１１）に進む。ステップ１１は、環境検知部１０３の環境監視レベルを決定する監視レベル決定手段の１つである。このステップ（ＳＸ１１）では、危険度のレベルが「低い」と判定し、「危険度レベル：低」を選択し、環境検知部１０３が、家電機器ＥＥ（この場合も、空気清浄機Ａを含まない）のある最新の居住空間（例えば、居間７１Ａ）に配置されている各種環境センサーの内、温度・湿度センサー８１、臭気センサー１０７、塵埃センサー１４０、花粉センサー８３からの環境データを、１０分間隔で求めるように動作する。
【０３５８】
以上のように、運転開始された家電機器ＥＥが、第１の特定家電機器ＳＰ１であるか、第２の特定家電機器ＳＰ２であるかという条件と、居住者が同じ居住空間に居るか、居ないかという条件の組み合わせに応じて、危険度のレベルを変え、環境データの取得頻度を変化させて環境監視している。
また環境データも、温度や温度、湿度、悪臭、花粉の飛散量等、異なる種類のものを使用しているため、居住空間内の環境変化を色々な角度から監視できる。
【０３５９】
以上のように、この実施の形態５では、以下のような第４の発明を実施した家電機器の運転監視システムを開示している。
すなわち、複数の家電機器ＥＥと統合管理装置７９との間で無線通信により運転監視を行うものにおいて、
前記統合管理装置７９は、室内の少なくとも温度データを取得する環境検知部１０３を有し、かつ前記家電機器ＥＥから運転開始情報又は運転開始予告情報を受けた場合、当該家電機器ＥＥの位置情報から、その家電機器のある居住空間７１の人の存在を検知し、さらに当該家電機器ＥＥが特定の熱機器（第２の特定家電機器ＳＰ２）であるかどうか判別する機能を有し、
前記第２の特定家電機器ＳＰ２は、自身の運転開始後の温度監視機能と異常温度が検知された場合に自動停止する機能を有し、
前記統合管理装置７９は、運転開始情報又は運転開始予告情報を受けた場合、当該家電機器ＥＥのある居住空間７１に人の存在が検知されず、である場合には、環境検知部１０３の環境データ取得時間間隔を、人が検知された場合に比較して短く設定する（判断ステップＳＸ６）ことを特徴とするものである。
【０３６０】
このため、この実施の形態５では、熱機器等の第２の特定家電機器ＳＰ２が、複数の居住空間の中で移動させられて使用される場合でも、居住者が検知出来ない場合には、危険度のレベル、言い換えると環境監視のレベルを高くして、時間的に細かい間隔で環境変化を監視するので、居住空間の安全・安心感を高めることができる。また、統合管理装置７９によって、異常発生の報知が各居住空間に広く行われるので、異常発生の事態を各居住者に迅速に周知できる。
【０３６１】
また、この実施の形態５では、以下のような第５の発明を実施した家電機器の運転監視システムを開示している。
すなわち、
内部に電熱源２２を有し、室内の異なる２つ以上の居住空間７１Ａ、７１Ｂでそれぞれ使用可能な家電機器ＥＥ（空気清浄機Ａを含む）と、
前記家電機器ＥＥとの間の無線通信により当該家電機器の運転監視を行う統合管理装置７９と、を備えた家電機器の運転監視システムにおいて、
前記家電機器ＥＥ（空気清浄機Ａを含む）は、自身の位置情報を発信する機能と、室温を検知して温度情報を発信する機能を有し、
前記統合管理装置７９は、前記家電機器ＥＥ（空気清浄機Ａを含む）から、運転開始情報又は運転開始予告情報を受けた場合、当該家電機器ＥＥの位置情報から、その家電機器のある居住空間の人の存在を検知し、
人の存在が検知されない場合には、当該家電機器（空気清浄機Ａを含む）との間で室内温度情報の取得を、所定の時間間隔で繰り返し実行し、かつ、当該時間間隔を、人が検知された場合に比較して短く設定する（図３１の、判断ステップＳＸ６、ＳＸ１０）ことを特徴とする構成である。
【０３６２】
このため、この実施の形態５では、家電機器が、複数の居住空間の中で移動させられて使用される場合でも、居住者が検知出来ない場合には、危険度のレベル、言い換えると環境監視のレベルを高くして、時間的に細かい間隔で環境変化を監視するので、居住空間の安全・安心感を高めることができる。また、統合管理装置７９によって、異常発生の報知が各居住空間に広く行われるので、異常発生の事態を各居住者に迅速に周知できる。
【０３６３】
なお、実施の形態５では具体的に説明しなかったが、環境センサーの１つとして、煙を検知する煙センサーや、一酸化炭素ガスを計測するセンサーを設けても良い。例えば、一酸化炭素ガスセンサーとメタンガスセンサーが、１つの実装基板上にセットになったモジュールが既に市販されており、そのようなセンサーを採用すれば、居住空間内の火炎や火災の発生を早期に検知可能となる。
つまり、この実施の形態５では、以下のような第６の発明を実施した家電機器の運転監視システムを開示している。
すなわち、
内部に電熱源２２を有し、室内の異なる２つ以上の居住空間７１でそれぞれ使用可能な家電機器ＥＥ（空気清浄機Ａを含む）と、
前記家電機器との間の無線通信により当該家電機器の運転監視を行う統合管理装置７９と、を備えた家電機器の運転監視システムにおいて、
前記家電機器（空気清浄機Ａを含む）は、自身の位置情報を発信する機能と、室温を検知して温度情報を発信する機能と、煙を検知して警報情報を発する機能（一酸化炭素ガスを計測するセンサー２０１Ａによる一酸化炭素ガス検知機能）と、を有し、
前記統合管理装置７９は、前記家電機器から、運転開始情報又は運転開始予告情報を受けた場合、当該家電機器の位置情報から、その家電機器のある居住空間７１の人の存在を検知し、また警報情報を受けた場合に、音による警報を発生する機能を有し、
人の存在が検知されない場合には、当該家電機器との間で室内温度情報の取得を、所定の時間間隔で繰り返し実行し、かつ、当該時間間隔を、人が検知された場合に比較して短く設定する（危険度レベル：「高い」に設定する）ことを具備している。
なお、前記音による警報を発生する機能とは、音声合成装置８ｄと、スピーカー２８の他に、各居住空間に向けて警報音を発するようなブザーやスピーカーを設ければ、容易に実現できる。
【０３６４】
実施の形態６．
図３２〜図３５は、本発明の実施の形態６を示すものであり、図３２は、空気清浄機の縦断面図、図３３は、図３２の空気清浄機の電気回路構成を示すブロック図１。図３４は、図３２の空気清浄機の電気回路構成を示すブロック図２。図３５は、図３２の空気清浄機の動作を示すフローチャート図である。なお、これら図において、実施の形態１と同一又は相当部分には同一符号を付して、重複した説明は極力省略する。
【０３６５】
図３２において、２００は、人間が自然に発する赤外線を検知して居住空間７１の中に人間が居るかどうかを検知できる人感知センサーである。
前記人感知センサー２００は、空気清浄機Ａの本体１Ａの前パネル１の正面最上端部に形成した透孔に臨むようにその背後側に設置されている。
【０３６６】
前記人感知センサーは、空気吸込口２の真上位置から、前記空気吸込口２の前方方向（図３２の矢印ＩＲの方向）における人の存在を検知するものであり、この人感知センサー２００からの感知信号は、制御装置１９に入力される。なお、この人感知センサー２００は、例えば超音波センサー、赤外線センサー、あるいはこれらを組み合わせた複合センサーである。人の存在有無の検知動作は、空気清浄機Ａの主電源スイッチ２５をＯＮにした後、所定の時間（少なくとも５秒未満が望ましい）間隔で自動的に繰り返し実行される。
【０３６７】
２７Ｂは、温度検出回路２７に接続された温度センサーであり、前記空気吸込口２に流入する居住空間７１の室内空気に直接接触するサーミスタ式温度センサーであり、空気吸込口２の下端部に臨むように本体１Ａ内部に設置されている。そのため、空気清浄機Ａの本体１Ａ内部に形成された通風路Ｒに露出しており、この通風路を流れる処理空気の温度を直接感知できる。
【０３６８】
２７Ａは、温度検出回路２７に接続された温度センサーであり、加熱ユニット１７の温度を検知するよう、当該加熱ユニット１７の部分に設置されている。その温度センサー２７Ａからの検出温度データを制御装置１９が取得するので、脱臭エレメント１６の機能再生処理の際に、脱臭エレメント１６が加熱ユニット１７のヒーター２２によって適正な範囲で加熱されるよう、制御装置１９によって制御される。
【０３６９】
前記温度検出回路２７は、前記温度センサー２７Ｂからの検出データと、前記温度センサー２７Ａからの検出データが、それぞれ所定の温度（「閾値」）を超えないかどうかを判定する。例えば温度センサー２７Ｂについては、５０℃、温度センサー２７Ａについては、２００℃に設定してあり、これら閾値を超えた場合には、危険であることを示す所定の信号（以下、「異常温度検知信号」という）を、前記制御装置１９へ即座に送る。
【０３７０】
図３２において、２０１Ａは、炭酸ガス（二酸化炭素ガス）の濃度を検知できるガスセンサーである。この種のセンサーには各種方式があるが、例えば、光源（ランプ）と検出素子（サーモパイル）の間に、空気を流通させ、光源から検出素子に向けて放射された赤外線の特定の波長域で、炭酸ガスが赤外線を吸収する性質を利用したものが１つの代表例である。
前記ガスセンサー２０１Ａは、空気清浄機Ａの本体１Ａの前パネル１に形成した空気吸込口２の上部に臨むように、その前パネル１の背後側に設置されている。そのため、ガスセンサー２０１Ａは、空気清浄機Ａの本体１Ａ内部に形成された通風路Ｒに露出しており、この通風路を流れる処理空気の中の二酸化炭素ガスの濃度を直接感知できる。炭酸ガスの濃度変化の検知動作は、空気清浄機Ａの主電源スイッチ２５をＯＮにした後、所定の時間間隔（少なくとも３０秒未満が望ましい）（以下、この時間間隔を「ガス検知間隔」という）で自動的に繰り返し実行される。なお、ガスセンサー２０１Ａの検知動作は、空気清浄機Ａの主電源スイッチ２５をＯＮにした後、スタートするのではなく、使用者が空気清浄機Ａの運転の開始を操作部８で指令した時点（図３５のステップＳ８４）からスタートするように変更しても良い。
【０３７１】
次に図３３において、２０１は、前記ガスセンサー２０１Ａからの検出データを取得するガス検知回路である。このガス検知回路では、炭酸ガスの濃度が人体に有害なレベルになった場合、あるいは火災等の発生が疑われる場合を検知するため、所定の「閾値」を超えるレベルの検出データを取得した場合、危険であることを示す所定の信号（以下、「異常ガス検知信号」という）を、前記制御装置１９へ即座に送る。
【０３７２】
図３３において、１９Ｅは、制御装置１９に内蔵された異常判定処理部であり、前記異常温度検知信号と異常ガス検知信号の２つの信号を受けた場合、予め決定してある所定の処理プロセスに従って、空気清浄機Ａを制御し、また統合管理装置（電力指令装置）７９に対して所定の報知信号を発信する。
【０３７３】
図３３において、１００は、通信アダプターであり、制御装置１９とは端子１００Ｔを介して接続されている。
この通信アダプター１００には、固有の識別番号（通信アダプターＩＤ）が付けられており、統合管理装置（電力指令装置）７９の側から見て、通信相手の特定の通信アダプター１００だけを識別できるようになっている。つまり、他の家電機器ＥＥにも同様の通信アダプターが使用されても、この空気清浄機Ａの通信アダプター１００だけを識別できる。
【０３７４】
次に図３４について説明する。１００は、前記通信アダプターである。実施の形態１において、電源タップに家電機器を接続した際、電源タップからは機器接続検知イベントを、また家電機器からは起動完了イベント通知を行い、２つの通知を受信した、統合管理装置（家電機器管理装置）は、人手を介さずに自動的に電源接続口（コンセント）と家電機器との正しい接続関係を検知する技術が提案されていることを説明したが、この実施の形態６においても、居住空間７１毎に、電源接続口（コンセント）の識別コードが付けられているので、そのコンセントに空気清浄機Ａを接続して、通信アダプター１００を介して統合管理装置７９と交信を行うと、統合管理装置７９側では、その空気清浄機Ａの現在位置が特定できる。また空気清浄機Ａの通信アダプター１００も、統合管理装置７９からの返信を受けて、その空気清浄機Ａの現在位置情報を取得できる。そのため、この図３４では、電源供給を受けるコンセント口を特定することで、空気清浄機Ａが使用される場所の特定が可能となる。
従って、この図３４では、通信アダプター１００と端子１００Ｔが、位置情報の取得手段３８として機能する部分となっている。
【０３７５】
空気清浄機Ａの現在位置を特定できる情報を統合管理装置７９が得た場合、その情報に基づいて所定の居住空間の名称（例えば、「居間」、「キッチン」等）に変換されて、記憶部９９Ｂに記憶される。
また、空気清浄機Ａ側でも、空気清浄機Ａの現在位置を特定できる情報を制御装置１９が得た場合、その情報に基づいて所定の居住空間の名称（例えば、「居間」、「キッチン」等）に変換されて、記憶部１９Ｒに記憶される。なお、居住空間の名称は、電源接続口（コンセント）の識別コードと対応させておくため、電源接続口（コンセント）の識別コードを、統合管理装置７９に事前に登録する際に、名称情報も登録しておく。
【０３７６】
次に図３５について説明する。図３５はこの発明の実施の形態６の空気清浄機Ａの制御装置１９が、前記異常温度検知信号と異常ガス検知信号の２つの信号を受けた場合、予め決定してある所定の処理プロセスに従って動作することを説明するフローチャート図である。
まず、空気清浄機Ａを目的の居住空間７１に移動させて、居住空間７１にある電源接続口（コンセント）に電源プラグ（図示せず）を接続し、主電源スイッチ２５を使用者がＯＮすると、一連の動作がスタート（Ｓ８０）する。
【０３７７】
すると、次のステップ（Ｓ８１）では、空気清浄機Ａを使用する場所（部屋）を特定する位置情報が、統合管理装置７９から届いているかどうかの判定を行い、位置情報を取得していなかった場合には、統合管理装置７９へ問い合わせの信号を送信する。そして、位置情報取得手段３８が取得した位置情報は、制御装置１９が読み込み、前回の空気清浄運転の場所の情報に追加する。それら情報は記憶装置１９Ｒに蓄積される（Ｓ８２）。
【０３７８】
次のステップ（Ｓ８３）では、表示部（表示画面）８ｂが起動される。次に使用者が空気清浄機Ａの運転の開始を操作部８で指令したかどうかの判定を行う（Ｓ８４）。運転開始が指令された場合、ステップＳ８５に進み、空気清浄機Ａは、使用者が操作部８で選定した空気清浄運転（例えば、「急速脱臭運転モード」）について、運転を開始するとの予告信号を統合管理装置７９へ送信する。
【０３７９】
統合管理装置７９から運転の開始について許可するとの信号を受けかどうかの判定を行い（Ｓ８６）、許可信号が到着した場合には、次のステップ（Ｓ８７）では、送風用モーター１３に対して通電を開始する。このステップ（Ｓ８７）時点から経過時間のカウントを始める。
【０３８０】
制御装置１９の異常判定処理部１９Ｅは、温度検出回路２７に接続された温度センサー２７Ａ，２７Ｂからの温度検知信号を、３０秒置きにチェックしている。
この温度センサーの内、居住空間７１の室内空気を直接計測する温度センサー２７Ｂは、空気吸込口２に吸い込まれる空気の流れの中に露出しており、この通風路を流れる処理空気の温度を直接感知しており、計測された温度Ｔ１が、所定の閾値である基準温度ＴＳと同じかそれ未満であるかどうかを、所定の時間間隔（少なくとも３０秒以下が望ましい）（以下、この時間間隔を「温度検知間隔」という）で判定している（ステップＳ８８）。なお、温度センサー２７Ｂの検知動作は、空気清浄機Ａの主電源スイッチ２５をＯＮにした後、スタートして所定の温度検知間隔で自動的に繰り返し実行されるが、そのスタート時期を、使用者が空気清浄機Ａの運転の開始を操作部８で指令した時点（図３５のステップＳ８４）からとしても良い。
【０３８１】
前記ステップ（Ｓ８８）で基準温度（ＴＳ）と同じが、それ未満であった場合には、次のステップ（Ｓ８９）へ進む。
ステップ（Ｓ８９）では、制御装置１９の異常判定処理部１９Ｅは、前記ガスセンサー２０１Ａからの検出データを取得し、その計測されたガス量Ｖ１が、所定の「閾値」であるガス量ＶＳを超えたかどうかの判定をする。基準量（ＶＳ）と同じが、それ未満であった場合には、次のステップ（Ｓ９０）へ進む。
【０３８２】
次のステップ（Ｓ９０）では、前記ステップ（Ｓ８７）時点からの経過時間のカウント結果が、予め定めてある時間、又は使用者が運転開始前に設定した希望時間を超過したかどうかを判定する。例えば、実施の形態１で説明したように「急速脱臭運転モード」は、１つの固定時間（例えば１５分間）だけ運転するように設定されており、この時間を使用者が変更することはできない
【０３８３】
ステップ（Ｓ９０）で時間を超過していない場合には、ステップ（Ｓ８８）に戻り、再び計測された温度Ｔ１が、所定の閾値（基準温度ＴＳ）と同じか、それ未満であるかどうかの判定がされる。
【０３８４】
ステップ（Ｓ９０）で、予め定めてある時間や使用者が設定した希望時間を超過した場合には、次のステップ（Ｓ９１）に進み、送風用モーター１３への通電を停止する。そして送風用モーター１３への通電時点（ステップＳ８７）以降の運転データを記憶部１９Ｒに記憶させる（Ｓ９２）。
【０３８５】
そして次のステップ（Ｓ９３）では、表示部（表示画面）８ｂの動作を停止し、さらに統合管理装置７９に対して空気清浄運転を終了したことを示す信号を送信し、終了する（Ｓ９９）。
【０３８６】
一方、前記ステップ（Ｓ８８）で基準温度（ＴＳ）を超えた場合には、ステップ（Ｓ９４）へ進む。異常判定処理部１９Ｅがこの時に出す信号を「第１異常信号」と呼ぶ。
また、前記ステップ（Ｓ８９）で基準量（ＶＳ）を超えた場合には、ステップ（Ｓ９４）へ進む。異常判定処理部１９Ｅがこの時に出す信号を「第２異常信号」と呼ぶ。
【０３８７】
ステップ（Ｓ９４）では、前記第１異常信号又は第２異常信号の少なくとも何れか一方が発信された場合には、空気清浄機Ａにて異常発生を検知したものと判断し、異常発生を報知する。具体的にはブザー８ｃを鳴動させる。また音声合成装置８ｄにより、スピーカー２８から音声で異常発生したことを報知させる。これら異常発生報知の際には、空気清浄機Ａが使用されている居住空間の名称も同時に報知する。
【０３８８】
次のステップ（Ｓ９５）では、制御装置１９は、統合管理装置７９に対して空気清浄運転中に異常発生したことを感知した旨の信号を送信する。なお、統合管理装置７９では、家屋７０内部の各種家電機器ＥＥの内、報知機能を持ったもの、例えばＴＶ受像機７５を起動し、その表示画面で、空気清浄機Ａが、ある居住空間（例えば２階の寝室）において、異常発生を報知していることを音声や文字情報等を利用して居住者に緊急に知らせる。この報知に際に、統合管理装置７９の記憶部９９Ｂには、直前までの記憶情報の中に、空気清浄機Ａが、ある居住空間（例えば２階の寝室）で使用開始されたことのデータがあるので、そのデータを読みだして瞬時に正確な場所の名称を報知する。
【０３８９】
一方、制御装置１９は、ステップ（Ｓ９６）で、送風用モーター１３への通電を緊急停止する。そして空気清浄運転の開始時点（ステップＳ８７）から、この送風用モーター１３への通電時点（ステップＳ９６）までの運転データや制御装置１９から出された制御指令信号等のデータを、記憶部１９Ｒに一括して記憶させる（Ｓ９７）。
【０３９０】
そして表示部（表示画面）８ｂを停止し、空気清浄運転の開始時点（ステップＳ８７）から、この送風用モーター１３への通電時点（ステップＳ９６）までの運転データや制御装置１９から出された制御指令信号等のデータを、統合管理装置７９に送信（Ｓ９８）して、終了する（Ｓ９９）。
【０３９１】
この実施の形態６の空気清浄機Ａは、「環境改善機器」ＳＰ１の１種である。この実施の形態６の構成は、他の環境改善機器ＳＰ１、例えば室内空気に高湿度の空気や水蒸気を供給して湿度を上げる加湿機器、あるいは逆に湿度を下げる除湿機器にも適用できる。
【０３９２】
この実施の形態６において、温度センサー２７Ｂと、ガスセンサー２０１Ａをそれぞれ通風路Ｒの中、特に最も上流側である前パネル１側に設置したのは、空気清浄機Ａの運転中に、室内空気の変化を迅速に捉えるためである。すなわち、送風用モーター１３が運転されている空気清浄運転中には、常に室内の空気が通風路Ｒの中に順次導入されるので、通風路Ｒの中の最も上流側の空気吸込口２付近が有利である。
【０３９３】
また、温度センサー２７Ｂと、ガスセンサー２０１Ａは、前パネル１の裏側（通風路Ｒの中で下流側）であるため、使用者が通常の使用時に不用意に直接触れることがなく、そのような接触による誤動作や故障等の懸念もない。
【０３９４】
なお、人感知センサー２００によって、空気清浄機Ａの前方に使用者が居る場合は、その居住空間７１に、他の熱源機器等による異常高温が発生して煙が発生したような場合でも早期発見できるが、使用者が空気清浄機Ａのある居住空間から出てしまった場合には、危険度が増す。そのため、この実施の形態６においては、前記した「温度検知間隔」と「ガス検知間隔」を、「使用者が居る」と人感知センサー２００が判定している期間中は、前記したように少なくとも（最長で）３０秒間間隔に設定し、使用者が居ない場合（居ると判定していた状態から、居ることが検知できなくなった場合含む）には、例えば５秒又は１０秒間隔に短縮化し、監視密度を上げるようにしている。このような変更の指示は、制御装置１９の異常判定処理部１９Ｅの中に、所定の監視動作プログラムとして格納されている。
さらに、統合管理装置７９の環境検知部１０３による居住環境の監視も、人感知部１０５で居住者の存在が確認できなくなった場合には、検知動作の頻度（検知間隔の時間の短縮）を上げ、空気清浄機Ａの監視動作に協調、連携させると更に安全性と信頼性が高まる。
【０３９５】
以上の説明から明らかなように、この実施の形態６では、実施の形態１と同様に、第１〜第３の発明を実施しているため、実施の形態１と同様な効果を期待できる。
【０３９６】
さらに、この実施の形態６では、以下のような第７の発明を実施した環境改善機器を開示している。
すなわち、本体１Ａの内部に電熱源となるヒーター２２を有し、室内の異なる２つ以上の居住空間７１に移動可能な空気清浄機Ａ等の環境改善機器であって、
前記本体１Ａの位置情報を取得し、居住空間７１を特定する名称情報として蓄積する記憶部１９Ｒと、
室内空気を循環させて空気の質を改善する空気処理部（集塵フィルター１０Ｍ、脱臭ユニット１２）と、
空気処理部のために処理用空気を導入し、それを強制的に排出する電動送風機用モーター１３と、
前記処理用空気の温度又は一酸化炭素ガス量の少なくとも何れか１つを検知して所定の閾値を超えた場合、異常発生信号（「第１異常信号」、「第２異常信号」）を発信する異常判定処理部１９Ｅと、
前記異常発生信号を受信した場合、警報信号を発信するとともに、前記モーター１３の運転を制御する制御装置１９と、
前記警報信号を受けて警報音を発する警報部８ｃと、
前記制御装置１９の指令に応じて前記本体１Ａの外部に向け異常発生事態であることを示す外部報知信号を無線通信で送信する無線送信部（アダプター１００）と、を有し、
前記制御装置１９は、前記異常判定処理部１９Ｅから異常発生信号を受信した場合に前記ヒーター２２とモーター１３の運転を停止させ、前記無線送信部から前記外部報知信号及び前記記憶部１９Ｒが保有している居住空間の名称情報を送信する構成である。
【０３９７】
この第７の発明の実施態様によれば、空気清浄機Ａにおいて、居住空間に有害な煙が発生して炭酸ガスの濃度が人体に有害なレベルになった場合、あるいは火災等の発生が疑われる場合を検知するため、所定の「閾値」を超えるレベルの検出データを取得した場合、危険であることを報知し、また統合管理装置７９へ即座に送ることができ、しかもその警報時には、空気清浄機Ａの本体１Ａが存在する居住空間内の位置情報から、当該居住空間７１を特定する名称情報も報知できるので、警報に接した居住者に正しい情報を伝えることができ、居住者の安心感・安全性を向上させることができる。
【０３９８】
なお、前記した各実施の形態では、１つの空気清浄機Ａを１つの統合管理装置（電力指令装置）７９で制御するシステムであったが、２台以上の空気清浄機Ａを１つの統合管理装置７９で集中制御することにも応用できる。例えば、高齢者介護施設等で多数の部屋（居住空間）で、複数の空気清浄機Ａを共同で使用しているような場合、個々の空気清浄機Ａの累積運転時間や使用場所の情報を集約して統合管理装置７９で確認できる。そのため、過去の仕様頻度を見て、予め空気清浄機Ａの一時的な保管場所を使用頻度の高い部屋の近くにするなどにより、人的労力の大幅な軽減に貢献できる。同様に、スマートフォンやタブレット型端末機と呼ばれているような情報通信端末機器４５が１つであっても、各空気清浄機Ａから個々にＮＦＣ通信で運転時間情報等を読み出すことができる。
【０３９９】
また以上の各実施形態の説明において、電力指令装置（統合管理装置）７９には、在宅検知部１０４、人検知部１０５、環境検知部１０３、睡眠判定部１０１、ＮＦＣ入出力部９８を有していたが、それらは独立した構造物として設置されている構成に限定されない。例えば、環境検知部１０３の基本的動作を実行するソフトウェアは、他の部分のソフトウェアと同じ回路実装基板の上に取付けた半導体記憶素子の中に一体に組み込むことでも良い。また電力指令装置（統合管理装置）７９の記憶装置９６の一部は、家屋７０の外部の遠隔地に設置された情報サーバー９０にて構成し、その情報サーバーと電力指令装置７９が通信回路網を経由して情報を授受するようなシステムで構成しても良い。
【０４００】
また以上の各実施形態の説明において、空気清浄機Ａには、温度検知回路２７、ガス検知回路２０１、位置情報取得手段３８を有していたが、それらは独立した構造物として設置されている構成に限定されない。例えば、位置情報取得手段３８の基本的動作を実行するソフトウェアは、他の部分のソフトウェアと同じ回路実装基板の上に取付けた半導体記憶素子の中に一体に組み込むことでも良い。また臭いセンサー３６や照度センサー１１、埃センサー３７、温度センサー２７Ａ、２７Ｂ等の各種センサー類も複数のものを組み合せて複合機能に構成したものでも良い。
【０４０１】
今回開示された実施の形態はすべての点で例示であって制限的なものではないと考えられるべきである。本発明の実質的な範囲は、上記した説明ではなく、特許請求の範囲によって示され、特許請求の範囲と均等の意味および範囲内でのすべての変更が含まれることが意図されている。
【産業上の利用可能性】
【０４０２】
本発明に係る空気清浄機及びその運転管理システムは、一般の住宅用だけではなく介護施設や病院、集合住宅等でも広く利用することができる。
【符号の説明】
【０４０３】
Ａ  空気清浄機
ＥＰ  商用電源
ＥＳ  異常検知手段
ＫＰ  キッチン内家電機器
Ｒ  通風路
１  前パネル
１Ａ  本体
２  空気吸込口
３  前ケース
４  車輪
５  後ケース
６  車輪
７  ハンドル
８  操作部
８ａ１  操作ボタン
８ａ２  操作ボタン
８ａ３  操作ボタン
８ａ４  操作ボタン
８ａ５  操作ボタン（主電源スイッチ操作ボタン）
８ｂ  表示部（表示画面）
８ｃ  ブザー
８ｄ  音声出力部（音声合成装置）
８ｅ  発光部
８ｆ  警告光発光部
９  空気吹出口
１０Ｐ  プレフィルター
１０Ｍ  集塵フィルター（メインフィルター）
１１  照度センサー
１２  脱臭部（脱臭ユニット）
１３  送風用モーター
１４  送風ファン
１５  枠体
１６  脱臭エレメント
１７  加熱ユニット
１８  駆動手段
１９  制御装置
１９Ａ  記憶部（第２の記憶部）
１９Ｅ  異常判定処理部
１９Ｒ  記憶部（第１の記憶部）
２０  ＮＦＣ入出力部（第１の入出力部）
２１  無線通信用のアンテナ
２２  ヒーター
２３  位置変更手段（モーター）
２４  電源線
２５  主電源スイッチ
２５Ａ  操作ボタン
２６  電源回路
２７  温度検出回路
２７Ａ  温度センサー
２７Ｂ  温度センサー
２８  スピーカー
２９  駆動回路
３０  駆動回路
３１  駆動回路
３２  駆動回路
３３  リアルタイム・クロック（時計回路）
３４  感振機器
３５  無線通信部（第２の入出力部）
３６  臭いセンサー
３７  埃センサー
３８  位置情報取得手段
３９  風量センサー
４０  駆動回路
４０Ａ  表示用メモリー
４０Ｂ  表示コントローラー
４０Ｃ  インターフェース部
４０Ｄ  電源
４０Ｅ  コモンドライバー
４０Ｆ  セグメントドライバー 
４１  ＮＦＣ用の通信制御ＩＣ（ＮＦＣ制御回路）
４２  アンテナ
４３  マイクロチップメモリー（第３の記憶部）
４４  発光ダイオード素子（ＬＥＤ）
４５  情報通信端末機器
４６  表示部
４６Ａ  表示画面
４７  操作入力部（操作部）
４８  無線インターフェース（無線入出力部）
４８Ａ  無線入出力部
４８Ｂ  無線入出力部
４９  姿勢検知部
５０  制御部
５１  報知部
５２  中央演算処理装置（ＣＰＵ）
５３  記憶部
５４  ＲＯＭ、ＲＡＭ部
５５  半導体製不揮発性メモリー
５６  アプリケーション・ソフトウェア部
５７  受信処理部
５８  送信処理部
５９  通信確立部
６０  表示制御部
６１  選択確定部
６２  文字情報
６３  操作誘導情報
６４Ａ  選択情報
６４Ｂ  選択情報
６４Ｃ  選択情報
６５Ａ  上方向指定選択キー
６５Ｂ  下方向指定選択キー
６５Ｃ  右方向指定選択キー
６５Ｄ  左方向指定選択キー
６６  確定キー
６７  文字情報
６８Ａ  文字情報
６８Ｂ  文字情報
６９  選択情報
７０  家屋
７１  居住空間
７１Ａ  居住空間（居間）
７１Ｂ  居住空間（キッチン）
７２  壁
７３  電力量計
７４電源線（主幹線）
７５  ＴＶ受像機
７６  空気調和機
７７Ａ  照明器具
７７Ｂ  照明器具
７８  天井面（壁）
７９  電力指令装置（統合管理装置）
７９Ａ  電力指令装置の本体
８０  複合センサー（温度・湿度センサー）
８１  温度・湿度センサー
８２  温度センサー
８３  花粉センサー
８４  人感知センサー
８４Ａ  人感知センサー
８４Ｂ  人感知センサー
８５  屋外アンテナ
８６Ａ  ルーターＡ
８６Ｂ  ルーターＢ
８７Ａ  外部機関
８７Ｂ  外部機関
８８  広域通信回路網
８９  中継サーバー
９０  情報サーバー（ＡＳＰサーバー）
９０ＣＰ  中央演算処理装置
９０ＩＦ  通信部
９０Ｓ  ソフトウェア（対策プログラム）提供部
９０Ｕ  利用者特定用データベース
９０Ｍ  メーカ側情報データベース
９１Ａ  無線通信用送受信部（入出力部）
９１Ｂ  無線通信用送受信部（入出力部）
９１Ｃ  無線通信用送受信部（入出力部）
９２  基地局
９３  勤務先の施設
９４  制御部
９５  表示盤
９５Ａ  表示画面
９６  記憶装置
９７  操作入力部
９８  ＮＦＣ無線入出力部
９９Ａ  第１のメモリー
９９Ｂ  第２のメモリー
１００  通信アダプター
１００Ｔ  端子
１０１  睡眠判定部
１０２  睡眠センサー
１０３  環境検知部
１０４  在宅検知手段
１０５  人検知部
１０６  電気錠
１０７  臭気センサー
１１０  入出力部
１１１  制御部
１１２  プログラム格納部
１１３  入出力部（インターフェース部）
１１５  アイコン
１１６  液晶表示画面
１１８  自動運転モードの選択用アイコン
１１９  手動運転モードの選択用アイコン
１２０  急速脱臭運転モードの選択用アイコン
１２１  強制的再生運転モードの選択用アイコン
１２２  運転時間表示部
１２３  運転可能時間表示部
１２４  アイコン
１２４Ａ  使用場所情報入力用アイコン
１２４Ｂ  使用場所情報入力用アイコン
１２４Ｃ  使用場所情報入力用アイコン
１２４Ｄ  使用場所情報入力用アイコン
１２５Ｂ  画面切り替え用アイコン
１２５Ｆ  画面切り替え用アイコン
１２６  アイコン
１２７  アイコン
１２８  インフォーメーション・キー
１２９  ヘルプモードキー
１３０  文字情報
１３１  文字情報
１３２Ａ  選択情報
１３２Ｂ  選択情報
１３２Ｃ  選択情報
１３３  文字情報
１３４  文字情報
１３５Ａ  累積使用時間を示した情報
１３５Ｂ  累積使用時間を示した情報
１４０  塵埃センサー
１４１  車輪（移動用ボール）
１４２  車輪カバー
１４３  回転検出センサー
１４４  判定回路
１４５  廊下
１５０  アイコン
１５１  アイコン
１５２  アイコン
１５３  アイコン
ＥＶ１  環境確認用の指令スイッチの押しボタン式操作ボタン
ＥＶ２  環境確認用の指令スイッチの押しボタン式操作ボタン
１５４  居間の環境情報を表示するエリア
１５５  キッチンの環境情報を表示するエリア
１５６  寝室の環境情報を表示するエリア
１５７  浴室の環境情報を表示するエリア
１５８  温度・湿度表示部
１５９  快適マーク
１６０  注意マーク（表示情報）
１６１  寒暖表示部
１６２  不在マーク（不在表示情報）
１６３  第１の特定電気機器ＳＰ１の運転表示部
１６４  運動注意マーク（運動注意表示情報）
１７０  変動表示部
１７１  不適環境表示部
１７２  花粉飛散量表示部
１７３  運転表示部
１７４  タブ（アイコン）
１７５  タブ（アイコン）
１７６  タブ（アイコン）
１７７  アイコン
１７８  アイコン
１７９  アイコン
１８０  アイコン
１８１  アイコン
１８２  第２の特定家電機器ＳＰ２の運転表示部
１８３  表示部
１８４  表示部
１８５  表示部
１８６  表示部
１８７  快適アドバイス情報表示部
１８８  アイコン
１８９  タブ（アイコン）
１９０  タブ（アイコン）
１９１  タブ（アイコン）
２００  人感知センサー
２０１  ガス検知回路
２０１Ａ  ガスセンサー。
【図１】
0006365260.tif 000002
【図２】
0006365260.tif 000003
【図３】
0006365260.tif 000004
【図４】
0006365260.tif 000005
【図５】
0006365260.tif 000006
【図６】
0006365260.tif 000007
【図７】
0006365260.tif 000008
【図８】
0006365260.tif 000009
【図９】
0006365260.tif 000010
【図１０】
0006365260.tif 000011
【図１１】
0006365260.tif 000012
【図１２】
0006365260.tif 000013
【図１３】
0006365260.tif 000014
【図１４】
0006365260.tif 000015
【図１５】
0006365260.tif 000016
【図１６】
0006365260.tif 000017
【図１７】
0006365260.tif 000018
【図１８】
0006365260.tif 000019
【図１９】
0006365260.tif 000020
【図２０】
0006365260.tif 000021
【図２１】
0006365260.tif 000022
【図２２】
0006365260.tif 000023
【図２３】
0006365260.tif 000024
【図２４】
0006365260.tif 000025
【図２５】
0006365260.tif 000026
【図２６】
0006365260.tif 000027
【図２７】
0006365260.tif 000028
【図２８】
0006365260.tif 000029
【図２９】
0006365260.tif 000030
【図３０】
0006365260.tif 000031
【図３１】
0006365260.tif 000032
【図３２】
0006365260.tif 000033
【図３３】
0006365260.tif 000034
【図３４】
0006365260.tif 000035
【図３５】
0006365260.tif 000036